(57)【要約】【課題】手っ取り早く運搬できるものを準備でき、かつ、早い速力で引くことができる人引き車輪付き椅子を提供する。【解決手段】人引き車輪付き椅子１は、椅子１００と、車輪１４０，１４２と、梶棒１Ａ，１Ｂと、第１取付部材２９，３９と、第２取付部材４９，５９とを備えている。椅子１００は、前脚部１０２，１０４と、座部１１０と、背もたれ部１２６と、後脚部１２８，１３０と、前脚連結杆１５０及び後脚連結杆１５２と、前後脚連結杆１６０，１６２とを備えている。第１取付部材２９，３９は、前脚部１０２，１０４に取り付けられている。人引き車輪付き椅子１は、車輪１４０，車輪１４２を接地させ、且つ、前脚部１０２，１０４の下部を接地面より浮かせた状態で、前方に引かれる。【選択図】図１
2016222226.tif 000002
【特許請求の範囲】
【請求項１】
前脚部と後脚部を備える左右の脚体と、左右の脚体の間に配設された座部と、背もたれ部とを有する椅子であって、
左右の前記脚体の後脚部の下部に又は後脚部の下部の近傍に、取付けられた左右一対の車輪と、
椅子を引っ張るための梶棒と、
椅子の左右の前脚部又は左右の後脚部の少なくとも何れかに、前記梶棒を取り付けるための左右一対の第１取付部とを備え、
前記梶棒は、握り部が杆体の一端部に形成され、かつ、椅子取付部が杆体の他端側に形成され、
車輪を接地させ且つ前脚部の下部を接地面より浮かせた状態で、人が梶棒を前方に引くことができるように構成されたことを特徴とする、人引き車輪付き椅子。
【請求項２】
車輪は、タイヤの中央に設けられた回転軸を、後脚部に形成された嵌合孔に嵌合固定され、又は、後脚部の近傍に設けられた取付板に形成された貫通孔に嵌挿固定され、
左右一対のタイヤがそれぞれ左右一対の後脚部の外側に回転自在に固定され、
左右のタイヤは正面視平行で、タイヤの下部が後脚部の下部より下方に位置し、回転するように構成されたことを特徴とする、請求項１に記載の人引き車輪付き椅子。
【請求項３】
前記第１取付部は、前記梶棒の杆体の椅子取付部を挿通するように構成され、
前記第１取付部は、前記椅子の前脚部及び連結杆部の少なくとも何れかに構成された第１連結部材および前脚部及び連結杆部の少なくとも何れかに接合するように構成された第２連結部材により構成され、
前記第１連結部材と前記第２連結部材とは、前脚部及び連結杆部の少なくとも何れかを間に連結され、
前記第１取付部は、梶棒を回転させて梶棒と水平面とのなす角度を変更し得るように構成されていることを特徴とする、請求項１に記載の車椅子引張り補助具。
【請求項４】
前記椅子の左右の脚体に設けられた取付部に形成され、且つ、前記梶棒の杆体を支えるための左右一対の第２取付部を、更に備え、
前記第２取付部は、前記杆体の他端部に位置し、前記第１取付部は、前記杆体の前記握り部と前記第２取付部との間に位置し、
前記第２取付部は、前記椅子の連結杆部に接合するように構成された第３連結部材及び前記椅子の連結杆部に接合するように構成された第４連結部材により構成され、
前記第２取付け部材は、第３連結部材及び／又は第４連結部材を回転させて梶棒と水平面とのなす角度を変更し得るように構成されていることを特徴とする、請求項１に記載の人引き車輪付き椅子。
【請求項５】
前記第１取付部は、前記梶棒の杆体の椅子取付部を挿通するように構成され、かつ、位置決めねじの締め付け又は位置決めピンの抜き差しによって前記梶棒の杆体を脱着するように構成され、
前記第１取付部は、前記椅子の連結杆部の少なくとも何れかに接合するように構成された第１連結部材及び前記椅子の連結杆部の少なくとも何れかに接合するように構成された第２連結部材により構成され、
前記第１連結部材と前記第２連結部材とは、連結杆部の少なくとも何れかを間に挟んで連結され、
前記第１取付部は、第１連結部材及び／又は第２連結部材を回転させて梶棒と水平面とのなす角度を変更し得るように構成されていることを特徴とする、請求項１に記載の人引き車輪付き椅子。
【請求項６】
前記椅子の左右の前記前脚部と前記後脚部とを繋ぐ連結杆部に着脱自在に取り付け可能である、前記梶棒の杆体を支えるための左右一対の第２取付部を、更に備え、
前記第２取付部は、前記杆体の他端部に位置し、前記第１取付部は、前記杆体の前記握り部と前記第２取付部との間に位置し、
前記第２取付部は、前記椅子の連結杆部に接合するように構成された第３連結部材及び前記車椅子の連結杆部に接合するように構成された第４連結部材により構成され、
前記第２取付け部は、第３連結部材及び／又は第４連結部材を回転させて梶棒と水平面とのなす角度を変更し得るように構成されていることを特徴とする、請求項１に記載の人引き車輪付き椅子。
【請求項７】
前記第１取付部は、俯仰角度調整機構を備えている、請求項１ないし６のいずれかに記載の人引き車輪付き椅子。
【請求項８】
前記第２取付部は、俯仰角度調整機構を備えている、請求項４ないし７のいずれかに記載の人引き車輪付き椅子。
【発明の詳細な説明】
【技術分野】
【０００１】
本発明は、人引き車輪付き椅子に関し、特に、災害時などの緊急避難時あるいは砂利道などの不整地や登り坂での走行移動時に、人が引張って人を運搬できる人引き車輪付き椅子に関するものである。
【背景技術】
【０００２】
災害時などの緊急避難時の車椅子の走行移動、あるいは、砂利道などの不整地や登り坂での車椅子の走行移動を補助するための車椅子緊急補助具として、例えば、特許文献１に記載の車椅子移動支援具が知られている。
【０００３】
特許文献１の車椅子移動支援具は、車椅子の左右のフロントパイプまたは左右のレッグパイプの少なくとも何れかに着脱自在に取り付け可能な左右一対の取付部材と、前記一対の取付部材がパイプフレームの両端部に設けられた梶棒用パイプフレームとを備えている。
【０００４】
前記取付部材は第１部材と第２部材とで構成され、前記一対の取付部材を結ぶ軸を回動軸として、梶棒用パイプフレームの端部に第１部材が回動自在に取り付けられている。一方、第２部材は車椅子のフロントパイプまたはレッグパイプの少なくとも何れかと嵌合するように構成されている。そして、第１部材と第２部材とは複数のボルトとナットとを用いて固定されている。
【先行技術文献】
【特許文献】
【０００５】
【特許文献１】実用新案登録第３１７５８３２号公報
【発明の概要】
【発明が解決しようとする課題】
【０００６】
緊急避難時は、手っ取り早く身体の不自由な人を乗せて運搬できることが必要であり、人を乗せた車を早い速力で引くことが必要である。
しかしながら、特許文献１の車椅子移動支援具は、取付部材の第１部材と梶棒用パイプフレームとが一体的構造を有しているので、車椅子の左右のフロントパイプまたは左右のレッグパイプに着脱する作業が煩雑であるという不具合があった。
更に、車椅子は、置き場所が限定されており、手っ取り早く避難用の車を準備できず、又、早い速力で引くことができる構造を備えておらず、避難に時間を要するという問題がある。
【０００７】
さらに、引く人の体型に応じて、梶棒の角度を容易に変更する構造を有することも必要である。
【０００８】
それゆえに、この発明の主たる目的は、手っ取り早く運搬できるものを準備でき、かつ、早い速力で引くことができる人引き車輪付き椅子を提供することである。
【課題を解決するための手段】
【０００９】
この発明の請求項１に係る人引き車輪付き椅子は、前脚部と後脚部を備える左右の脚体と、左右の脚体の間に配設された座部と、背もたれ部とを有する椅子であって、
左右の前記脚体の後脚部の下部に又は後脚部の下部の近傍に、取付けられた左右一対の車輪と、
椅子を引っ張るための梶棒と、
椅子の左右の前脚部又は左右の後脚部の少なくとも何れかに、前記梶棒を取り付けるための左右一対の第１取付部材とを備え、
前記梶棒は、握り部が杆体の一端部に形成され、かつ、椅子取付部が杆体の他端側に形成され、
車輪を接地させ且つ前脚部の下部を接地面より浮かせた状態で、人が梶棒を前方に引くことができるように構成されたことを特徴とする、人引き車輪付き椅子である。
【００１０】
この発明の請求項２に係る人引き車輪付き椅子は、車輪は、タイヤの中央に設けられた回転軸を、後脚部に形成された嵌合孔に嵌合固定され、又は、後脚部の近傍に設けられた取付板に形成された貫通孔に嵌挿固定され、
左右一対のタイヤがそれぞれ左右一対の後脚部の外側に回転自在に固定され、
左右のタイヤは正面視平行で、タイヤの下部が後脚部の下部より下方に位置し、回転するように構成されたことを特徴とする、請求項１に記載の人引き車輪付き椅子である。
【００１１】
本発明では、手っ取り早く人を運搬でき、かつ、早い速力で引くことができる人引き車輪付き椅子が得られる。
【００１２】
この発明の請求項３に係る人引き車輪付き椅子は、第１取付部材は、梶棒の杆体の椅子取付部を挿通するように構成され、
第１取付部材は、椅子の前脚部及び連結杆部の少なくとも何れかに構成された第１連結部材および前脚部及び連結杆部の少なくとも何れかに接合するように構成された第２連結部材により構成され、
第１連結部材と第２連結部材とは、前脚部及び連結杆部の少なくとも何れかを間に連結され、
第１取付部材は、梶棒を回転させて梶棒と水平面とのなす角度を変更し得るように構成されていることを特徴とする、請求項１または請求項２に記載の車椅子引張り補助具である。
【００１３】
本発明では、梶棒が、椅子に容易に脱着されると共に容易に位置決めされる。
また、第１取付部材の第１連結部材が、一対の第１取付部材を結ぶ軸を回動軸として回動可能であるように構成されているため、第１連結部材によって位置決めされている梶棒の角度設定が容易に行われる。
【００１４】
この発明の請求項４に係る人引き車輪付き椅子は、椅子の左右の脚体に設けられた取付部に形成され、且つ、梶棒の杆体を支えるための左右一対の第２取付部材を、更に備え、
第２取付部材は、杆体の他端部に位置し、第１取付部材は、杆体の握り部と第２取付部材との間に位置し、
第２取付部材は、椅子の連結杆部に接合するように構成された第３連結部材及び椅子の連結杆部に接合するように構成された第４連結部材により構成され、
第２取付け部材は、第３連結部材及び／又は第４連結部材を回転させて梶棒と水平面とのなす角度を変更し得るように構成されていることを特徴とする、請求項１に記載の人引き車輪付き椅子である。
【００１５】
本発明では、第２取付部材の第３連結部材及び／又は第４連結部材を回転させて、一対の第１取付部材を結ぶ軸を回動軸として回動可能であるように構成されているため、第１連結部材によって位置決めされている梶棒の角度設定が容易に行われる。
【００１６】
この発明の請求項５に係る人引き車輪付き椅子は、第１取付部材は、梶棒の杆体の椅子取付部を挿通するように構成され、かつ、位置決めピンの抜き差しによって梶棒の杆体を脱着するように構成され、
第１取付部材は、椅子の連結杆部の少なくとも何れかに接合するように構成された第１連結部材及び椅子の連結杆部の少なくとも何れかに接合するように構成された第２連結部材により構成され、
第１連結部材と第２連結部材とは、連結杆部の少なくとも何れかを間に挟んで連結され、
第１取付部材は、第１連結部材及び／又は第２連結部材を回転させて梶棒と水平面とのなす角度を変更し得るように構成されていることを特徴とする、請求項１に記載の人引き車輪付き椅子である。
本発明では、梶棒が、椅子に容易に着脱されると共に容易に位置決めされる。
【００１７】
この発明の請求項６に係る人引き車輪付き椅子は、椅子の左右の前脚部と後脚部とを繋ぐ連結杆部に着脱自在に取り付け可能である、梶棒の杆体を支えるための左右一対の第２取付部を、更に備え、
第２取付部材は、杆体の他端部に位置し、第１取付部材は、杆体の握り部と第２取付部材との間に位置し、
第２取付部材は、椅子の連結杆部に接合するように構成された第３連結部材及び椅子の連結杆部に接合するように構成された第４連結部材により構成され、
第２取付部材は、第３連結部材及び／又は第４連結部材を回転させて梶棒と水平面とのなす角度を変更し得るように構成されていることを特徴とする、請求項１に記載の人引き車輪付き椅子である。
【００１８】
本発明では、第１取付部材に加えて第２取付部材でも梶棒を保持して、梶棒を２点支持しているので、１点支持の場合よりも、椅子の前脚側をより安定して持ち上げることができ、且つ、支持強度も高くなる。
【００１９】
この発明の請求項７に係る人引き車輪付き椅子は、第１取付部は、俯仰角度調整機構を備えている請求項１ないし６のいずれかに記載の人引き車輪付き椅子である。
【００２０】
この発明の請求項８に係る人引き車輪付き椅子は、第２取付部は、俯仰角度調整機構を備えている請求項４ないし７のいずれかに記載の人引き車輪付き椅子である。
【発明の効果】
【００２１】
本発明によれば、手っ取り早く運搬できるものを準備でき、かつ、早い速力で引くことができる人引き車輪付き椅子を得ることができる。
【００２２】
この発明の上述の目的、その他の目的、特徴及び利点は、図面を参照して行う以下の発明を実施するための形態の説明から一層明らかとなろう。
【図面の簡単な説明】
【００２３】
【図１】この発明に係る第１の実施の形態である人引き車輪付き椅子を示す斜視図で    ある。
【図２】人引き車輪付き椅子の分解斜視図である。
【図３】人引き車輪付き椅子の分解斜視図である。
【図４】人引き車輪付き椅子の分解斜視図である。
【図５】人引き車輪付き椅子の右側面図である。
【図６】人引き車輪付き椅子を右側から見た一部断面図である。
【図７】図５のＶＩＩ−ＶＩＩ´断面図である。
【図８】図６のＶＩＩＩ−ＶＩＩＩ´断面図である。
【図９】梶棒の構造を説明するための説明図である。
【図１０】梶棒の角度を変更する手順を示す説明図である。
【図１１】人引き車輪付き椅子の使用状態を示す側面図である。
【図１２】この発明に係る第２の実施の形態である人引き車輪付き椅子を示す分解斜    視図である。
【図１３】図１２に示した人引き車輪付き椅子の変形例を示す分解斜視図である。
【図１４】梶棒を示す平面図である。
【図１５】一の第１取付部材を外側から見た斜視図である。
【図１６】一の第１取付部材を座部側から見た斜視図である。
【図１７】一の第１取付部材を示す分解斜視図である。
【図１８】他の第１取付部材を外側から見た斜視図である。
【図１９】他の第１取付部材を座部側から見た斜視図である。
【図２０】一の第２取付部材を外側から見た斜視図である。
【図２１】一の第２取付部材を座部側から見た斜視図である。
【図２２】一の第２取付部材を示す分解斜視図である。
【図２３】他の第２取付部材を外側から見た斜視図である。
【図２４】他の第２取付部材を座部側から見た斜視図である。
【図２５】人引き車輪付き椅子の利用状態を示す説明図である。
【図２６】梶棒の角度を変更する手順を示す斜視図である。
【図２７】第１取付部材の第１連結部材と第２連結部材との位置関係を示す模式図で    ある。
【図２８】第２取付部材の第１連結部材と第２連結部材との位置関係を示す模式図で    ある。
【図２９】梶棒間の横バーを示す平面図である。
【図３０】梶棒杆の横バーの取付け方法を示す説明図であり、（Ａ）は一部拡大平面    図、（Ｂ）は一部断面図である。
【図３１】梶棒間の横バーの変形例を示す平面図である。
【図３２】人引き車輪付き椅子の使用状態を示す正面図である。
【図３３】第１の実施の形態の変形例を示す説明図である。
【図３４】（Ａ）は、第２の実施の形態の一の第１取付部材の変形例を外側から見た    斜視図である。（Ｂ）は、ＸＸＸＩＶＢ−ＸＸＸＩＶＢ’断面図である。
【図３５】図３４の一の第１取付部材の変形例を示す分解斜視図である。
【図３６】第２の実施の形態の他の第１取付部材の変形例を外側から見た斜視図であ    る。
【図３７】この発明に係る第３の実施の形態である人引き車輪付き椅子を示す分解斜    視図である。
【図３８】図３７に示した人引き車輪付き椅子の変形例を示す分解斜視図である。
【図３９】梶棒及び俯仰角度調整機構を示す平面図である。
【図４０】一の第１取付部材を外側から見た斜視図である。
【図４１】一の第１取付部材を座部側から見た斜視図である。
【図４２】一の第１取付部材を示す分解斜視図である。
【図４３】他の第１取付部材を外側から見た斜視図である。
【図４４】他の第１取付部材を座部側から見た斜視図である。
【図４５】一の第２取付部材を外側から見た斜視図である。
【図４６】一の第２取付部材を座部側から見た斜視図である。
【図４７】一の第２取付部材を示す分解斜視図である。
【図４８】他の第２取付部材を外側から見た斜視図である。
【図４９】他の第２取付部材を座部側から見た斜視図である。
【図５０】人引き車輪付き椅子の利用状態を示す説明図である。
【図５１】梶棒の角度を変更する手順を示す斜視図である。
【図５２Ａ】第１取付部材と第２取付部材との位置関係を示す模式図である。
【図５２Ｂ】第１取付部材と第２取付部材との位置関係を示す模式図である。
【発明を実施するための形態】
【００２４】
本発明は、歩行の不自由な人のために工夫された人引き車輪付き椅子であり、災害時などの緊急避難時あるいは砂利道などの不整地や登り坂での走行移動時に、人が引張って人を運搬できる人引き車輪付き椅子である。
以下、添付図面を参照して本発明の実施の形態について説明する。なお、以下に示す実施の形態は、本発明を具体化した一例であって、本発明の技術的範囲を限定するものではない。
【００２５】
［第１の実施の形態］
１．人引き車輪付き椅子の構成
図１は、人引き車輪付き椅子１を示す斜視図である。人引き車輪付き椅子１は、椅子１００と、左側の車輪（タイヤ）１４０及び右側の車輪（タイヤ）１４２と、左側の梶棒１Ａ及び右側の梶棒１Ｂと、左側の第１取付部を構成する左側の第１取付部材３９及び右側の第１取付部を構成する右側の第１取付部材２９と、左側の第２取付部を構成する左側の第２取付部材５９及び右側の第２取付部を構成する右側の第２取付部材４９とを備えている。
【００２６】
この明細書において、椅子の前側を引張り側といい、前側から見て左手を左側といい、右手を右側という。
【００２７】
椅子１００は、左側の前脚部１０２及び右側の前脚部１０４と、座部１１０と、左側の肘掛け部１１６及び右側の肘掛け部１１８と、背もたれ部１２６と、左側の後脚部１２８及び右側の後脚部１３０と、左側のグリップ１３２及び右側のグリップ１３４と、前脚連結杆１５０及び後脚連結杆１５２と、左側の座部連結杆１５４及び右側の座部連結杆１５６と、左側の前後脚連結杆１６０及び右側の前後脚連結杆１６２とを備える。
【００２８】
左側の前脚部１０２及び右側の前脚部１０４と、左側の肘掛け部１１６及び右側の肘掛け部１１８と、左側の後脚部１２８及び右側の後脚部１３０と、前脚連結杆１５０及び後脚連結杆１５２と、左側の座部支持材１５４及び右側の座部支持材１５６と、左側の前後脚連結杆１６０及び右側の前後脚連結杆１６２とは、横断面の形状が矩形で軽量の金属製パイプが使用されている。従って、市販の車椅子を利用する場合に比べて、椅子１００を構成する部材の部材点数を少なくすることができ、椅子１００の軽量化が図られ、椅子１００を速く移動させることができる。
さらに、横断面の形状が矩形の金属製パイプを使用することによって、横断面の形状が円形の金属製パイプを使用した場合と比較して、孔開け加工や溶接加工などの加工性が容易になるという利点がある。
【００２９】
椅子１００は、図２に示すように、椅子１００の左側を構成する左側の脚体１００Ａと、椅子１００の右側を構成する右側の脚体１００Ｂとを、前脚連結杆１５０及び後脚連結杆１５２で連結することによって、椅子１００の骨格が構成される。
【００３０】
左側の脚体１００Ａは、左側の前脚部１０２と、左側の肘掛け部１１６と、左側の後脚部１２８と、左側のグリップ１３２と、左側の座部支持材１５４と、左側の前後脚連結杆１６０とからなる。
右側の脚体１００Ｂは、右側の前脚部１０４と、右側の肘掛け部１１８と、右側の後脚部１３０と、右側のグリップ１３４と、右側の座部支持材１５６と、右側の前後脚連結杆１６２とからなる。
左側の脚体１００Ａと右側の脚体１００Ｂとは、座部１１０の幅方向の中心部を通って、座部１１０及び背もたれ部１２６の中心部を含む面に対して、面対称である。
【００３１】
左側の前脚部１０２及び右側の前脚部１０４は、椅子１００の前側に垂延して配置されている。左側の肘掛け部１１６及び右側の肘掛け部１１８は、椅子１００を利用する人が肘を付くためのものであり、左側の前脚部１０２及び右側の前脚部１０４の上部から水平に延在して、肘掛け部１１６は、その端部が左側の後脚部１２８に及び肘掛け部１１８は、その端部が右側の後脚部１３０に、溶接などで接合されている。
【００３２】
左側の後脚部１２８及び右側の後脚部１３０は、椅子１００の後側に垂延して配置されている。左側の後脚部１２８及び右側の後脚部１３０は、左側の肘掛け部１１６及び右側の肘掛け部１１８が接合している位置から上方に延びて後で装着される背もたれ部１２６の高さ寸法を確保している。左側の後脚部１２８及び右側の後脚部１３０の上端部には、左側のグリップ１３２及び右側のグリップ１３４が延在している。グリップ１３２及びグリップ１３４は、人が椅子１００の後側から前脚部１０２及び前脚部１０４を地面から浮かせた状態で、椅子１００を押して移動する際に利用される。グリップ１３２及びグリップ１３４は、椅子１００を押す人が手で握って椅子１００を押すためのものであり、手で握り易いようにゴム材などでできている。
【００３３】
さらに、左側の後脚部１２８及び右側の後脚部１３０は、左側の肘掛け部１１６及び右側の肘掛け部１１８が接合している位置から下方に延びている。しかし、椅子１００の座部１１０を水平に維持した状態で、左側の前脚部１０２及び右側の前脚部１０４の下端は、地面に接地しているけれども、左側の後脚部１２８及び右側の後脚部１３０の下端は、地面から適当に離れて浮いている。
【００３４】
左側の座部連結杆１５４及び右側の座部連結杆１５６は、左側の前脚部１０２と左側の後脚部１２８との間、並びに、右側の前脚部１０４と右側の後脚部１３０との間に架け渡され溶接などで固定されている。左側の座部連結杆１５４及び右側の座部連結杆１５６は、椅子１００を利用する人が着座し易い同じ高さの位置に水平に並置されている。左側の座部連結杆１５４及び右側の座部連結杆１５６の高さは、座部１１０の位置が左側の車輪１４０及び右側の車輪１４２の上部より高くなるように、左側の車輪１４０及び右側の車輪１４２の直径より大きくなるように設定されている。椅子１００を利用する人及び運搬される人が着座したとき、その人の腕などが椅子１００と車輪１４０及び車輪１４２との間に挟まれないようにするためである。
【００３５】
左側の前後脚連結杆１６０及び右側の前後脚連結杆１６２は、左側の座部連結杆１５４及び右側の座部連結杆１５６の下方に、左側の前脚部１０２と左側の後脚部１２８との間、並びに、右側の前脚部１０４と右側の後脚部１３０との間に架け渡され溶接などで固定されている。左側の前後脚連結杆１６０の後脚部１２８側の端部は、後脚部１２８の下端部１２８ａに固定されている。右側の前後脚連結杆１６２の後脚部１３０側の端部は、後脚部１３０の下端部１３０ａに固定されている。左側の前後脚連結杆１６０及び右側の前後脚連結杆１６２は、同じ高さの位置に水平に並置されている。
【００３６】
また、左側の前後脚連結杆１６０と後脚部１２８の下端部１２８ａとが直交する下側の角部には、略１／４楕円形の左側の車輪取付板１７０が溶接で固定されている。左側の車輪取付板１７０の左側（外側）の表面１７０ａは、左側の前後脚連結杆１６０の左側（外側）の表面と面一となっている。左側の車輪取付板１７０の後脚部１２８の側の近傍には、車輪軸孔１７４がその孔の長さ方向が椅子１００の左右方向に平行になるように穿設されている。車輪軸孔１７４は、その軸心が車輪取付軸Ｑ１上に形成されている。
さらに、車輪軸孔１７４から左側の前脚部１０２側に所定の距離離れた位置に一連の梶棒角度位置決め孔１７８ａ〜１７８ｄが穿設されている。梶棒角度位置決め孔１７８ａ〜１７８ｄは、左側の前脚部１０２に設けられた梶棒取付孔２１０ａ及び梶棒取付孔２１０ｂ（後述）を中心にして半径ｒ（図９参照）の円弧上に等間隔で配置されている。
【００３７】
同様に、右側の前後脚連結杆１６２と後脚部１３０の下端部１３０ａとが直交する下側の角部には、略１／４楕円形の右側の車輪取付板１７２が溶接で固定されている。右側の車輪取付板１７２は、左側の車輪取付板１７０と平行に配置される。右側の車輪取付板１７２の右側（外側）の表面１７２ａは、右側の前後脚連結杆１６２の右側（外側）の表面と面一となっている。右側の車輪取付板１７２の後脚部１３０の側の近傍には、車輪軸孔１７６がその孔の長さ方向が椅子１００の左右方向に平行になるように穿設されている。車輪軸孔１７６は、その軸心が車輪取付軸Ｑ１上に形成されている。
さらに、車輪軸孔１７６から右側の前脚部１０４側に所定の距離離れた位置に一連の梶棒角度位置決め孔１８０ａ〜１８０ｄが穿設されている。梶棒角度位置決め孔１８０ａ〜１８０ｄは、右側の前脚部１０４に設けられた梶棒取付孔２１２ａ及び梶棒取付孔２１２ｂ（後述）を中心にして半径ｒ（図９参照）の円弧上に等間隔で配置されている。
【００３８】
左側の前脚部１０２の座部連結杆１５４との接合部と前後脚連結杆１６０との接合部との間には、梶棒１Ａを取り付けるための左右一対の梶棒取付孔２１０ａ及び梶棒取付孔２１０ｂが、孔の長さ方向が椅子１００の左右方向に平行になるように穿設されている。梶棒取付孔２１０ａ及び梶棒取付孔２１０ｂは、軸心が左側の梶棒１Ａの左右一対の椅子取付孔１４ａ，１４ｂの軸心と同一軸上になるように形成されている。左側の前脚部１０２の前後脚連結杆１６０との接合部の下方の位置には、左右一対の前脚連結杆取付孔２１４ａ及び前脚連結杆取付孔２１４ｂが穿設されている。
また、左側の後脚部１２８の前後脚連結杆１６０との接合部の位置には、左右一対の後脚連結杆取付孔２１５ａ及び後脚連結杆取付孔２１５ｂが穿設されている。
【００３９】
右側の前脚部１０４の座部連結杆１５６との接合部と前後脚連結杆１６２との接合部との間には、梶棒１Ｂを取り付けるための左右一対の梶棒取付孔２１２ａ及び梶棒取付孔２１２ｂが、孔の長さ方向が椅子１００の左右方向に平行になるように穿設されている。梶棒取付孔２１２ａ及び梶棒取付孔２１２ｂは、軸心が右側の梶棒１Ｂの左右一対の椅子取付孔２４ａ，２４ｂの軸心と同一軸上になるように形成されている。梶棒取付孔２１２ａ及び梶棒取付孔２１２ｂは、左側の前脚部１０２の梶棒取付孔２１０ａ及び梶棒取付孔２１０ｂと同じ高さの位置に配置されている。右側の前脚部１０４の前後脚連結杆１６２との接合部の下方の位置には、左右一対の前脚連結杆取付孔２１６ａ，２１６ｂが穿設されている。
また、右側の後脚部１３０の前後脚連結杆１６２との接合部の位置には、左右一対の後脚連結杆取付孔２１７ａ，２１７ｂが穿設されている。
【００４０】
前脚連結杆１５０及び後脚連結杆１５２は、それぞれ左右の端部に埋め込みナット２２０及び埋め込みナット２２２並びに埋め込みナット２３０及び埋め込みナット２３２が開口を外側にして埋め込まれ、溶接されて固定されている。そして、左側の脚体１００Ａと右側の脚体１００Ｂとの間に、直交するように配置された前脚連結杆１５０及び後脚連結杆１５２は、ボルト２２４及びボルト２２６並びにボルト２３４及びボルト２３６を椅子１００の外側から内側に向けて、前脚連結杆取付孔２１４ａ，２１４ｂ及び前脚連結杆取付孔２１６ａ，２１６ｂ並びに後脚連結杆取付孔２１５ａ，２１５ｂ及び後脚連結杆取付孔２１７ａ，２１７ｂを挿通させて、埋め込みナット２２０及び埋め込みナット２２２並びに埋め込みナット２３０及び埋め込みナット２３２に螺着させることによって固定されている。
左側の前脚部１０２と右側の前脚部１０４とは平行で同じ長さである。左側の肘掛け部１１６及び右側の肘掛け部１１８とは平行で同じ長さである。左側の後脚部１２８と右側の後脚部１３０とは平行で同じ長さである。前脚連結杆１５０と後脚連結杆１５２とは平行で同じ長さである。左側の前後脚連結杆１６０と右側の前後脚連結杆１６２とは平行で同じ長さである。
【００４１】
図３に示すように、座部１１０は、椅子１００を利用する人及び運搬される人が着座するためのものであり、肘掛け部１１６と肘掛け部１１８との間に配置されている。座部１１０は、左右両側に位置決めのためのストッパー１１０ａ及びストッパー１１０ｂが座部１１０に対して直角に下方に折り曲げられて形成されている。座部１１０は、このストッパー１１０ａ及びストッパー１１０ｂをそれぞれ座部連結杆１５４及び座部連結杆１５６に位置合わせすることによって、座部連結杆１５４及び座部連結杆１５６上に載置される。
【００４２】
背もたれ部１２６は、後脚部１２８と後脚部１３０との間に架け渡され、椅子１００を利用する人が背もたれできるようになっている。背もたれ部１２６は、可撓性を有する帯状の布２４０の一端部２４２ａと他端部２４２ｂとを重ね合わせて縫い付け、無端状にしている。背もたれ部１２６の左右の内周面側には、短冊状の仕切り布２４４及び仕切り布２４６が、背もたれ部１２６の外周方向に対して直交するように縫い付けられ、左側の後脚部１２８が緩挿するための緩挿孔２４８及び右側の後脚部１３０が緩挿するための緩挿孔２５０が形成されている。
【００４３】
背もたれ部１２６は、可撓性を有すれば布製に限定されるものではなく、例えば、金属板やプラスチック板などの適度の剛性を有する裏板にウレタンなどのクッションを貼り付けたサンドウィッチ構造のものであってもよい。
【００４４】
次に、図４〜図８を参照して、左側の車輪（タイヤ）１４０及び右側の車輪（タイヤ）１４２が、それぞれ左側の車輪取付板１７０に穿設した車輪軸孔１７４、及び、左側の車輪取付板１７０と平行に配置されている右側の車輪取付板１７２に穿設した車輪軸孔１７６を利用して取り付けられている構造を説明する。車輪軸孔１７４及び車輪軸孔１７６は、それぞれの軸心が車輪取付軸Ｑ１上に形成されている。左側の車輪１４０と右側の車輪１４２は、互いに独立して回転する構造である。
【００４５】
図７に示すように、右側の車輪１４２は、ホイール２６０と、ホイール２６０の外周に装着されたゴムタイヤ２６２と、回転軸２６４とを備えている。回転軸２６４の中心は、車輪取付軸Ｑ１に一致する。回転軸２６４の中央部は、板ベアリング部２６６となっており、板ベアリング部２６６の両側には、それぞれ（椅子１００の）外側のねじ部２６８及び（椅子１００の）内側のねじ部２７０が形成されている。回転軸２６４の軸方向は、水平面に平行で、且つ、椅子１００の引張り側と椅子側とを結ぶ方向に対して直交する方向である。
【００４６】
ホイール２６０の中央部には、回転軸２６４の板ベアリング部２６６を挿通して支持している回転軸支持部２６１が形成されている。従って、回転軸２６４は、ゴムタイヤ２６２を回転自在の状態で保持する。回転軸２６４の内側のねじ部２７０は、右側の車輪取付板１７２に穿設した車輪軸孔１７６に挿通され、後述するように３個のナット２７４ａ、ナット２７４ｂ及びナット２７４ｃによって螺着されることによって、右側の車輪１４２は、右側の車輪取付板１７２に取り付けられている。
【００４７】
回転軸２６４の外側のねじ部２６８には、２個のナット２７２ａ及びナット２７２ｂがＷナット構造で螺着して、ワッシャー２７３を介してホイール２６０の回転軸支持部２６１の外側端面を押圧しているため、ホイール２６０が回転軸２６４から外れ難い。
【００４８】
また、回転軸２６４の内側のねじ部２７０には、ナット２７４ａが螺着してばねワッシャー２７５を介してホイール２６０の回転軸支持部２６１の内側端面を押圧しているため、ホイール２６０が回転軸２６４の軸方向にずれて移動することがなく、ゴムタイヤ２６２の横ブレ回転を防止することができる。さらに、ナット２７４ａから突出した内側のねじ部２７０は、右側の車輪取付板１７２に穿設した車輪軸孔１７６に挿通された後、車輪取付板１７２から突出した内側のねじ部２７０に、２個のナット２７４ｂ及びナット２７４ｃがＷナット構造で螺着して、ワッシャー２７６を介して右側の車輪取付板１７２の内側面１７２ｂを押圧しているため、回転軸２６４が右側の車輪取付板１７２から外れ難い。
【００４９】
図８に示すように、左側の車輪１４０は、右側の車輪１４２と同様に、ホイール３６０と、ホイール３６０の外周に装着されたゴムタイヤ３６２と、回転軸３６４とを備えている。回転軸３６４の中心は、車輪取付軸Ｑ１に一致する。回転軸３６４の中央部は、板ベアリング部３６６となっており、板ベアリング部３６６の両側には、それぞれ（椅子１００の）外側のねじ部３６８及び（椅子１００の）内側のねじ部３７０が形成されている。回転軸３６４の軸方向は、水平面に平行で、且つ、椅子１００の引張り側と椅子側とを結ぶ方向に対して直交する方向である。
【００５０】
ホイール３６０の中央部には、回転軸３６４の板ベアリング部３６６を挿通して支持している回転軸支持部３６１が形成されている。従って、回転軸３６４は、ゴムタイヤ３６２を回転自在の状態で保持する。回転軸３６４の内側のねじ部３７０は、左側の車輪取付板１７０に穿設した車輪軸孔１７４に挿通され、後述するように３個のナット３７４ａ、ナット３７４ｂ及びナット３７４ｃによって螺着されることによって、左側の車輪１４０は、左側の車輪取付板１７０に取り付けられている。
【００５１】
回転軸３６４の外側のねじ部３６８には、２個のナット３７２ａ及びナット３７２ｂがＷナット構造で螺着して、ワッシャー３７３を介してホイール３６０の回転軸支持部３６１の外側端面を押圧している。
【００５２】
また、回転軸３６４の内側のねじ部３７０には、ナット３７４ａが螺着してばねワッシャー３７５を介してホイール３６０の回転軸支持部３６１の内側端面を押圧している。さらに、ナット３７４ａから突出した内側のねじ部３７０は、左側の車輪取付板１７０に穿設した車輪軸孔１７４に挿通された後、車輪取付板１７０から突出した内側のねじ部３７０に、２個のナット３７４ｂ及びナット３７４ｃがＷナット構造で螺着して、ワッシャー３７６を介して左側の車輪取付板１７０の内側面１７０ｂを押圧している。
左右の車輪１４０及び車輪１４２の回転軸３６４及び回転軸２６４の中心は、車輪取付軸Ｑ１に一致している。
【００５３】
こうして、左側の車輪１４０と右側の車輪１４２は、それぞれ左側の後脚部１２８と右側の後脚部１３０の外側に回転自在に固定されている。左側の車輪１４０と右側の車輪１４２とは正面視平行で、左側の車輪１４０及び右側の車輪１４２の下部が、左側の後脚部１２８及び右側の後脚部１３０の下部より下方に位置し、回転するように構成されている。
【００５４】
なお、左側の前脚部１０２及び右側の前脚部１０４には（前）車輪を取り付けていない。左側の前脚部１０２及び右側の前脚部１０４に（前）車輪を取り付けると、人引き車輪付き椅子１の操舵性が、（前）車輪に付随して悪化するからである。
【００５５】
次に、左側の梶棒１Ａ及び右側の梶棒１Ｂと、左側の第１取付部材３９及び右側の第１取付部材２９と、左側の第２取付部材５９及び右側の第２取付部材４９とを説明する。前記梶棒１Ａ及び梶棒１Ｂは、椅子１００を引っ張るためのものである。
左側の梶棒１Ａは、左側の第１取付部材３９のボルト（第１連結部材）３９０を中心軸にして回動され、梶棒１Ａと水平面とのなす角度を変更するように構成されている。右側の梶棒１Ｂは、右側の第１取付部材２９のボルト（第１連結部材）２９０を中心軸にして回動され、梶棒１Ｂと水平面とのなす角度を変更するように構成されている。すなわち、梶棒１Ａ及び梶棒１Ｂは、一対の第１取付部材３９及び第１取付部材２９を結ぶ軸（回動軸）Ｑ１１を中心軸にして回動される。
左側の第１取付部材３９及び右側の第１取付部材２９は、椅子１００の左右の前脚部１０２及び前脚部１０４、左右の前後脚連結杆１６０及び前後脚連結杆１６２、および、左右の後脚部１２８及び後脚部１３０の少なくとも何れかに、前記梶棒１Ａ及び梶棒１Ｂを着脱自在に取り付けるためのものである。
【００５６】
左側の梶棒１Ａと右側の梶棒１Ｂとは、同様の形状およびサイズを有している。左側の梶棒１Ａと右側の梶棒１Ｂは、握り部１２及び握り部２２が杆体１０及び杆体２０の一端部に形成され、且つ、椅子取付部３５に形成された椅子取付孔１４ａ及び椅子取付孔１４ｂ並びに椅子取付部４５に形成された椅子取付孔２４ａ及び椅子取付孔２４ｂが杆体１０及び杆体２０に他端側に形成されている。
【００５７】
左側の第１取付部材３９及び右側の第１取付部材２９は、前記梶棒１Ａ及び梶棒１Ｂの杆体１０及び杆体２０の椅子取付部３５に形成された椅子取付孔１４ａ及び椅子取付孔１４ｂ並びに椅子取付部４５に形成された椅子取付孔２４ａ及び椅子取付孔２４ｂを挿通するように構成され、且つ、蝶ナット２９２及び蝶ナット３９２の螺着によって前記梶棒１Ａ及び梶棒１Ｂの杆体１０及び杆体２０を着脱するように構成されている。
【００５８】
左側の第１取付部材３９及び右側の第１取付部材２９は、椅子１００の左右の前脚部１０２及び前脚部１０４、左右の前後脚連結杆１６０及び前後脚連結杆１６２、および、左右の後脚部１２８及び後脚部１３０の少なくとも何れかに接合するように構成されたボルト（第１連結部材）３９０及びボルト（第１連結部材）２９０、並びに、椅子１００の左右の前脚部１０２及び前脚部１０４、左右の前後脚連結杆１６０及び前後脚連結杆１６３、および、左右の後脚部１２８及び後脚部１３０の少なくとも何れかに接合するように構成された蝶ナット（第２連結部材）３９２及び蝶ナット（第２連結部材）２９２により構成されている。
【００５９】
ボルト（第１連結部材）３９０及びボルト（第１連結部材）２９０と蝶ナット（第２連結部材）３９２及び蝶ナット（第２連結部材）２９２とは、椅子１００の左右の前脚部１０２及び前脚部１０４、左右の前後脚連結杆１６０及び前後脚連結杆１６２、および、左右の後脚部１２８及び後脚部１３０の少なくとも何れかを間に挟んで連結されている。
【００６０】
左側の第１取付部材３９及び右側の第１取付部材２９は、左側の梶棒１Ａと右側の梶棒１Ｂを回転させて、梶棒１Ａ及び梶棒１Ｂと水平面とのなす角度を変更するように構成されている。
【００６１】
人引き車輪付き椅子１は、椅子１００の左右の前後脚連結杆１６０及び前後脚連結杆１６２に設けられた左右の車輪取付板１７０及び車輪取付板１７２に着脱自在に取り付け可能である、前記梶棒１Ａ及び梶棒１Ｂの杆体１０及び杆体２０を支えるための左側の第２取付部材５９及び右側の第２取付部材４９を、更に備える。
【００６２】
左側の第２取付部材５９及び右側の第２取付部材４９は、杆体１０及び杆体２０の他端部に位置し、左側の第１取付部材３９及び右側の第１取付部材２９は、杆体１０及び杆体２０の握り部１２及び握り部２２と左側の第２取付部材５９及び右側の第２取付部材４９との間に位置し、左側の第２取付部材５９及び右側の第２取付部材４９は、椅子１００の左右の前後脚連結杆１６０及び前後脚連結杆１６２に設けられた左右の車輪取付板１７０及び車輪取付板１７２に接合するように構成されたボルト（第３連結部材）５９０及びボルト（第３連結部材）４９０、並びに、前記椅子１００の左右の車輪取付板１７０及び車輪取付板１７２に接合するように構成された蝶ナット（第４連結部材）５９２及び蝶ナット（第４連結部材）４９２により構成されている。
【００６３】
左側の第２取付部材５９及び右側の第２取付部材４９は、ボルト（第３連結部材）５９０及びボルト（第３連結部材）４９０および蝶ナット（第４連結部材）５９２及び蝶ナット（第４連結部材）４９２の取付位置を、前記椅子１００の左右の車輪取付板１７０及び車輪取付板１７２に穿設した一連の梶棒角度位置決め孔１７０ａ〜１７０ｄ及び一連の梶棒角度位置決め孔１８０ａ〜１８０ｄに合わせて変えることにより梶棒１Ａ及び梶棒１Ｂを回転させて、梶棒１Ａ及び梶棒１Ｂと水平面とのなす角度を変更するように構成されている。
なお、左側の第２取付部材５９及び右側の第２取付部材４９は、人引き車輪付き椅子１の仕様によっては、省略される場合がある。
【００６４】
（ａ）梶棒
図４に示すように、左側の梶棒１Ａ及び右側の梶棒１Ｂは、杆体１０及び杆体２０と、握り部１２及び握り部２２と、椅子取付孔１４ａ及び椅子取付孔１４ｂ並びに椅子取付孔２４ａ及び椅子取付孔２４ｂと、角度決め孔１８及び角度決め孔２８とを備えている。アルミニウムなどからなる杆体１０及び杆体２０は、例えば１ｍ〜２ｍの長さを有し、軽量化と機械的強度アップのために横断面が円環形状のパイプである。左側の梶棒１Ａと右側の梶棒１Ｂとは、椅子１００の幅すなわち座部１１０の幅より若干長い間隔をおいて、椅子１００の左側と右側とに取り付けられている。
【００６５】
略円筒形状の握り部１２及び握り部２２は、横断面が円環形状の杆体１０及び杆体２０の一端部（引張り側の端部）を覆うように設けられている。
【００６６】
右側の梶棒１Ｂの杆体２０は、その中央付近において、左右一対の椅子取付孔２４ａ及び椅子取付孔２４ｂが、杆体２０の外周面の左側および右側に形成されている。椅子取付孔２４ａ及び椅子取付孔２４ｂは、それぞれの軸心が同一軸上に形成されている。杆体２０の握り部２２とは反対側の端部付近には、角度決め孔２８が形成されている。
【００６７】
図７に示すように、杆体２０は、角度決め孔２８の近傍が、右側の車輪取付板１７２に向かって押しつぶされたように平坦状に変形されている。これにより、ボルト（第３連結部材）４９０の頭部と杆体２０、及び、杆体２０と右側の車輪取付板１７２が面接触するようになるため、ボルト（第３連結部材）４９０及び蝶ナット（第４連結部材）４９２による杆体２０と右側の車輪取付板１７２との間の固定力がより堅固なものとなる。
【００６８】
右側の梶棒１Ｂの杆体２０は、右側の第１取付部材２９によって、右側の脚体１００Ｂの外側でかつ右側の車輪１４２の内側に配置されるように、右側の前脚部１０４に取り付けられている。右側の梶棒１Ｂは、右側の脚体１００Ｂと平行に配置されている。そして、右側の梶棒１Ｂは、左側の梶棒１Ａと平行関係にある。
【００６９】
左側の梶棒１Ａの杆体１０は、その中央付近において、左右一対の椅子取付孔１４ａ及び椅子取付孔１４ｂが、杆体１０の外周面の左側および右側に形成されている。椅子取付孔１４ａ及び椅子取付孔１４ｂは、それぞれの軸心が同一軸上に形成されている。杆体１０の握り部１２とは反対側の端部付近には、角度決め孔１８が形成されている。
【００７０】
図８に示すように、杆体１０は、角度決め孔１８の近傍が、左側の車輪取付板１７０に向かって押しつぶされたように平坦状に変形されている。これにより、ボルト（第３連結部材）５９０の頭部と杆体１０、及び、杆体１０と左側の車輪取付板１７０が面接触するようになるため、ボルト（第３連結部材）５９０及び蝶ナット（第４連結部材）５９２による杆体１０と左側の車輪取付板１７０との間の固定力がより堅固なものとなる。
【００７１】
左側の梶棒１Ａの杆体１０は、左側の第１取付部材３９によって、左側の脚体１００Ａの外側でかつ左側の車輪１４０の内側に配置されるように、左側の前脚部１０２に取り付けられている。左側の梶棒１Ａは、左側の脚体１００Ａと平行に配置されている。
【００７２】
左側の梶棒１Ａ及び右側の梶棒１Ｂは、それぞれ長さの中央付近において２分割できる。例えば、右側の梶棒１Ｂの杆体２０は、握り部２２を含む取り外し可能部分２０ａと、椅子取付孔２４ａ、椅子取付孔２４ｂ及び角度決め孔２８が穿設されている固定部分２０ｂとに２分割されている。そして、図９（Ａ）及び（Ｂ）に示すように、取り外し可能部分２０ａの分割端面部のパイプ内には、埋め込みナット７３２が埋め込まれ、溶接されて固定されている。固定部分２０ｂの分割端面部のパイプ内には、埋め込みナット７３４が埋め込まれ、溶接されて固定されている。取り外し可能部分２０ａと固定部分２０ｂとは、連結ボルト７３０を介して連結される。
【００７３】
固定部分２０ｂは、通常、第１取付部材３９と第１取付部材２９によって、椅子１００に取り付けられている。そして、人引き車輪付き椅子１が通常の椅子として使用されるときは、取り外し可能部分２０ａが容易に取り外される。災害時などの緊急避難時に人が引っ張る椅子として使用されるときは、取り外し可能部分２０ａが連結ボルト２９０を介して容易に連結される。つまり、椅子１００の前側に突出した部分（取り外し可能部分２０ａ）だけを容易に着脱することができるため、梶棒１Ｂが不必要な時には取り外し可能部分２０ａだけを取り外せばよく、梶棒１Ｂの取り扱い性が簡単になる。梶棒１Ａも梶棒１Ｂと同様の構造を有しており、梶棒１Ａも梶棒１Ｂと同様の作用効果を有する。
【００７４】
また、図９（Ｃ）は、左側の梶棒１Ａ及び右側の梶棒１Ｂの連結構造の変形例を示す。取り外し可能部分２０ａと固定部分２０ｂとは径が相互に異なる。取り外し可能部分２０ａの分割端面部のパイプには、一対の連結孔７３６ａ，７３６ｂが形成されている。同様に、固定部分２０ｂの分割端面部のパイプにも、一対の連結孔７３８ａ，７３８ｂが形成されている。一対の連結孔７３６ａ，７３６ｂと一対の連結孔７３８ａ，７３８ｂとは、軸心が同一軸上になるように形成されている。そして、取り外し可能部分２０ａ及び固定部分２０ｂのいずれか一方を他方に挿入して、両者が重なり合って一対の連結孔７３６ａ，７３６ｂと一対の連結孔７３８ａ，７３８ｂとの軸心が同一軸上になっている部分にボルト７３６を挿入してナット７３８で締め付けることによって、取り外し可能部分２０ａと固定部分２０ｂとが連結される。
【００７５】
この梶棒１Ａ及び梶棒１Ｂは、使用の際には、予め椅子１００に取り付けられた第１取付部材３９と第１取付部材２９に螺着するだけで、椅子１００に取り付けられる。
梶棒１Ａと梶棒１Ｂとは、椅子１００の中心軸Ｃに対して線対称の位置関係になるように、椅子１００に取り付けられる。
さらに、梶棒１Ａ及び梶棒１Ｂは、握り部１２及び握り部２２の側（引張り側）が上方になり、握り部１２及び握り部２２とは反対側（椅子側）に向かって直線状に下がり傾斜の状態となるように、椅子１００に取り付けられる。
【００７６】
（ｂ）第１取付部材
左側の第１取付部材３９及び右側の第１取付部材２９は、椅子１００の左右の前脚部１０２及び前脚部１０４、左右の前後脚連結杆１６０及び前後脚連結杆１６２および左右の後脚部１２９及び後脚部１３１の少なくとも何れかに、着脱自在に取り付け可能である。
通常、第１取付部材２９及び第１取付部材３９から取り外されている梶棒１Ａと梶棒１Ｂとは、緊急時等に第１取付部材２９及び第１取付部材３９に締め付けられることにより、椅子１００に取り付けられる。
なお、本第１の実施の形態では、第１取付部材２９，３９が前脚部１０２，１０４に取り付けられた場合を例にして説明する。
【００７７】
（ｉ）第１取付部材２９
第１取付部材２９は、椅子１００の右側の前脚部１０４を内側から挿通するボルト（第１連結部材）２９０と、前脚部１０４を挟んで外側に配置される蝶ナット（第２連結部材）２９２とで構成されている。第１取付部材２９は、ボルト（第１連結部材）２９０と蝶ナット（第２連結部材）２９２とが前脚部１０４を挟んで対向して連結され、前脚部１０４を締め付けて前脚部１０４に取り付けられる。
【００７８】
（ｉｉ）第１取付部材３９
第１取付部材３９は、椅子１００の左側の前脚部１０２を内側から挿通するボルト（第１連結部材）３９０と、前脚部１０２を挟んで外側に配置される蝶ナット（第２連結部材）３９２とで構成されている。第１取付部材３９は、ボルト（第１連結部材）３９０と蝶ナット（第２連結部材）３９２とが前脚部１０２を挟んで対向して連結され、前脚部１０２を締め付けて前脚部１０２に取り付けられる。
左側の第１取付部材３９及び右側の第１取付部材２９は、通常、同じ高さ位置で、椅子１００に取り付けられている。
【００７９】
（ｃ）第２取付部材
左側の第２取付部材５９及び右側の第２取付部材４９は、椅子１００の左側の前後脚連結杆１６０及び後脚部１２８に設けられた左側の車輪取付板１７０、および、右側の前後脚連結杆１６２及び後脚部１３０に設けられた右側の車輪取付板１７２に着脱自在に取り付け可能である。
【００８０】
（ｉ）第２取付部材４９
第２取付部材４９は、椅子１００の右側の車輪取付板１７２を外側から挿通するボルト（第３連結部材）４９０と、車輪取付板１７２を挟んで内側に配置される蝶ナット（第４連結部材）４９２とで構成されている。第２取付部材４９は、ボルト（第３連結部材）４９０と蝶ナット（第４連結部材）４９２とが車輪取付板１７２を挟んで対向して連結され、車輪取付板１７２を締め付けて車輪取付板１７２に取り付けられる。
【００８１】
（ｉｉ）第２取付部材５９
第２取付部材５９は、椅子１００の左側の車輪取付板１７０を外側から挿通するボルト（第３連結部材）５９０と、車輪取付板１７０を挟んで内側に配置される蝶ナット（第４連結部材）５９２とで構成されている。第２取付部材５９は、ボルト（第３連結部材）５９０と蝶ナット（第４連結部材）５９２とが車輪取付板１７０を挟んで対向して連結され、車輪取付板１７０を締め付けて車輪取付板１７０に取り付けられる。
左側の第２取付部材４９及び右側の第２取付部材５９は、通常、同じ高さ位置で、椅子１００に取り付けられている。
【００８２】
２．梶棒の取り扱い手順
（ａ）梶棒を椅子へ取り付ける手順
次に、梶棒１Ａ及び梶棒１Ｂを、第１取付部材２９及び第１取付部材３９並びに第２取付部材４９及び第２取付部材５９によって椅子１００へ取り付ける手順について説明する。
【００８３】
先ず、椅子１００の前脚部１０２及び前脚部１０４に取り付けられている左右の第１取付部材３９及び第１取付部材２９の蝶ナット（第２連結部材）３９２及び蝶ナット（第２連結部材）２９２が緩められ、ボルト（第１連結部材）３９０及びボルト（第１連結部材）２９０から外される。次に、左右の第２取付部材５９及び第２取付部材４９のボルト（第３連結部材）５９０及びボルト（第３連結部材）４９０と蝶ナット（第４連結部材）５９２及び蝶ナット（第４連結部材）４９２とが、椅子１００の車輪取付板１７０及び車輪取付板１７２から外される。
【００８４】
次に、右側の梶棒１Ｂが、椅子１００の外側（右側）から右側の前脚部１０４に当てられ、前脚部１０４の外側方向に突出しているボルト（第１連結部材）２９０のねじ部分に、軸心が同一軸上に形成されている杆体２０の左右一対の椅子取付孔２４ａ及び椅子取付孔２４ｂを差し込んで挿通される。そして、蝶ナット（第２連結部材）２９２が、ボルト（第１連結部材）２９０に緩く螺着される。
【００８５】
次に、梶棒１Ｂを回動して、杆体２０の角度決め孔２８と右側の車輪取付板１７２に穿設された一連の梶棒角度位置決め孔１８０ａ〜１８０ｄのいずれか１つの孔（本第１の実施の形態では、梶棒角度位置決め孔１８０ｃ）とが重なり合う（その軸心が同一軸上になる）位置まで移動される。次に、右側の第２取付部材４９のボルト（第３連結部材）４９０を角度決め孔１８及び梶棒角度位置決め孔１８０ｃに挿通した後、蝶ナット（第４連結部材）４９２を螺着して締め付けられる。さらに、第１取付部材２９の蝶ナット（第２連結部材）２９２を締め付けることによって、梶棒１Ｂが容易に位置決めされて固定される。
【００８６】
同様の手順によって、梶棒１Ａも容易に位置決めされて固定される。
右側の第２取付部材４９のボルト（第３連結部材）４９０及び蝶ナット（第４連結部材）４９２と、左側の第２取付部材５９のボルト（第３連結部材）５９０及び蝶ナット（第４連結部材）５９２とは、同じ高さ位置及び前後位置で、つまり、梶棒角度位置決め孔１８０ｃ及び梶棒角度位置決め孔１７８ｃで、右側の車輪取付板１７２及び左側の車輪取付板１７０に取り付けられる。
【００８７】
（ｂ）梶棒の角度を変える手順
次に、梶棒１Ａ及び梶棒１Ｂの角度を変更する手順について説明する。椅子１００を牽引する人２００の体型によっては、梶棒１Ａ及び梶棒１Ｂの角度を変更する必要があるからである。
【００８８】
図１０は、梶棒１Ａ及び梶棒１Ｂの角度を変更する手順を示す説明図である。例えば、人引き車輪付き椅子１を牽引する人の体型が大きい場合は、梶棒１Ａ及び梶棒１Ｂの角度を大きくする必要がある。
【００８９】
例えば、右側の梶棒１Ｂの角度を大きくするときは、第１取付部材２９の蝶ナット（第２連結部材）２９２が緩められると共に、第２取付部材４９のボルト（第３連結部材）４９０及び蝶ナット（第４連結部材）４９２が右側の車輪取付板１７２から外される。
【００９０】
次に、梶棒１Ｂがボルト（第１連結部材）２９０を中心にして時計回り方向に回動され、角度決め孔２８と右側の車輪取付板１７２の梶棒角度位置決め孔１８０ｄとが重なり合う（その軸心が同一軸上になる）位置まで移動される。その後、第２取付部材４９のボルト（第３連結部材）４９０が、角度決め孔２８及び梶棒角度位置決め孔１８０ｄを挿通して、蝶ナット（第４連結部材）４９２によって締め付けられる。次に、第１取付部材２９の蝶ナット（第２連結部材）２９２が締め付けられる。この結果、梶棒１Ｂの角度が大きくできる。
【００９１】
同様の手順によって、梶棒１Ａの角度も大きくすることができる。
右側の第２取付部材４９のボルト（第３連結部材）４９０及び蝶ナット（第４連結部材）４９２と、左側の第２取付部材５９のボルト（第３連結部材）５９０及び蝶ナット（第４連結部材）５９２とは、同じ高さ位置及び前後位置で、つまり、梶棒角度位置決め孔１８０ｃ及び梶棒角度位置決め孔１７８ｃで、右側の車輪取付板１７２及び左側の車輪取付板１７０に取り付けられる。
【００９２】
また、人引き車輪付き椅子１を牽引する人の体型が小さい場合は、梶棒１Ａ及び梶棒１Ｂの角度を小さくする必要がある。梶棒１Ｂの角度を小さくするときは、第１取付部材２９の蝶ナット（第２連結部材）２９２が緩められると共に、第２取付部材４９のボルト（第３連結部材）４９０及び蝶ナット（第４連結部材）４９２が右側の車輪取付板１７２から外される。
【００９３】
次に、梶棒１Ｂがボルト（第１連結部材）２９０を中心にして反時計回り方向に回動され、角度決め孔２８と右側の車輪取付板１７２の梶棒角度位置決め孔１８０ａまたは１８０ｂとが重なり合う（その軸心が同一軸上になる）位置まで移動される。その後、第２取付部材４９のボルト（第３連結部材）４９０が、角度決め孔２８及び梶棒角度位置決め孔１８０ｄを挿通して、蝶ナット（第４連結部材）４９２によって締め付けられる。次に、第１取付部材２９の蝶ナット（第２連結部材）２９２が締め付けられる。この結果、梶棒１Ｂの角度が小さくできる。同様の手順によって、梶棒１Ａの角度も小さくすることができる。
【００９４】
また、右側の車輪取付板１７２及び左側の車輪取付板１７０に穿設されている一連の梶棒角度位置決め孔１８０ａ〜１８０ｄ及び梶棒角度位置決め孔１７８ａ〜１７８ｄの替りに、右側の前脚部１０４に穿設された梶棒取付孔２１２を中心にして半径ｒ（ｒ：杆体１０及び杆体２０の椅子取付孔１４ａ及び椅子取付孔１４ｂ並びに椅子取付孔２４ａ及び椅子取付孔２４ｂと角度決め孔１８及び角度決め孔２８との間の距離）の円弧状の長孔１８１を形成してもよい。これによって、無段階で梶棒１Ｂの角度を調整することができる。
【００９５】
ただし、一連の梶棒角度位置決め孔１８０ａ〜１８０ｄ及び梶棒角度位置決め孔１７８ａ〜１７８ｄの方が、右側の第２取付部材４９と左側の第２取付部材５９とを同じ高さ位置及び前後位置で右側の車輪取付板１７２及び左側の車輪取付板１７０に取り付けられるため、人引き車輪付き椅子１の左右のバランスが取り易いという利点がある。
【００９６】
図１１は、人引き車輪付き椅子１の使用状態を示す説明図である。人引き車輪付き椅子１を牽引する人２００は、椅子１００の座部１１０に運搬される人２０２を座らせた状態で、椅子１００の左右一対の梶棒１Ａと梶棒１Ｂとの間の領域に入り、握り部１２及び握り部２２を手で掴んで、左側の車輪１４０及び右側の車輪１４２を接地させ、且つ、左側の前脚部１０２及び右側の前脚部１０４の下部を接地面より浮かせた状態で、前に進むことにより、災害時などの緊急避難時の椅子１００の走行移動などを補助することができる。
【００９７】
２．第１の実施の形態の効果
（ａ）通常の椅子を利用できるため、構造が簡素で安価な人引き車輪付き椅子１が得られる。
【００９８】
（ｂ）梶棒１Ａ及び梶棒１Ｂの使用の際には、左側の前脚部１０２及び右側の前脚部１０４に穿設された梶棒取付孔２１０ａ，２１０ｂ及び梶棒取付孔２１２ａ，２１２ｂに、第１取付部材３９及び第１取付部材２９のボルト（第１連結部材）３９０，２９０と蝶ナット（第２連結部材）３９２，２９２を利用して固定するだけで、椅子１００に取り付けられるように構成されているため、梶棒１Ａ及び梶棒１Ｂを椅子１００へ容易に脱着することができる。
【００９９】
（ｃ）第２取付部材５９及び第２取付部材４９のボルト（第３連結部材）５９０，４９０と蝶ナット（第４連結部材）５９２，４９２によって、梶棒１Ａ，１Ｂの角度が変更されるように構成されているため、梶棒１Ａ，１Ｂの角度設定を容易に行うことができる。
【０１００】
（ｄ）さらに、第１取付部材３９，２９に加えて、第２取付部材５９，４９でも梶棒１Ａ，１Ｂを保持して、梶棒１Ａ，１Ｂを２点支持しているので、１点支持の場合よりも、椅子１００の前脚側をより安定して持ち上げることができ、且つ、支持強度も高くすることができる。
【０１０１】
［第２の実施の形態］
１．人引き車輪付き椅子の構成
図１２は、人引き車輪付き椅子２を示す斜視図である。人引き車輪付き椅子２は、椅子１０１と、左側の車輪（タイヤ）１４１及び右側の車輪（タイヤ）１４３と、左側の梶棒２Ａ及び右側の梶棒２Ｂと、左側の第１取付部（以下、第１取付部材とも称する）４０及び右側の第１取付部（第１取付部材）３０と、左側の第２取付部（以下、第２取付部材とも称する）６０及び右側の第２取付部（第２取付部材）５０とを備えている。
【０１０２】
椅子１０１は、左側の前脚部１０３及び右側の前脚部１０５と、座部１１１と、左側の肘掛け部１１７及び右側の肘掛け部１１９と、背もたれ部１２７と、左側の後脚部１２９及び右側の後脚部１３１と、左側のグリップ１３３及び右側のグリップ１３５と、前脚連結杆１５１及び後脚連結杆１５３と、左側の座部連結杆１５５及び右側の座部連結杆１５７と、左側の前後脚連結杆１６１及び右側の前後脚連結杆１６３とを備えている。
【０１０３】
左側の前脚部１０３及び右側の前脚部１０５と、左側の肘掛け部１１７及び右側の肘掛け部１１９と、左側の後脚部１２９及び右側の後脚部１３１と、前脚連結杆１５１及び後脚連結杆１５３と、左側の座部支持材１５５及び右側の座部支持材１５７と、左側の前後脚連結杆１６１及び右側の前後脚連結杆１６３とは、横断面の形状が円形で軽量の金属製パイプが使用されている。従って、市販の車椅子を利用する場合に比べて、椅子１０１を構成する部材の部材点数を少なくすることができ、椅子１０１の軽量化が図られ、椅子１０１を速く移動させることができる。
椅子１０１は、座部１１１の幅方向の中心部を通って、座部１１１及び背もたれ部１２７の中心部を含む面に対して、面対称である。
【０１０４】
左側の前脚部１０３及び右側の前脚部１０５は、それぞれ椅子１０１の前側に垂延して配置されている。左側の肘掛け部１１７及び右側の肘掛け部１１９は、それぞれ椅子１０１を利用する人が肘を付くためのものであり、左側の前脚部１０３及び右側の前脚部１０５の上部から水平に延在して、その端部は左側の後脚部１２９及び右側の後脚部１３１に溶接などで接合されている。
【０１０５】
左側の後脚部１２９及び右側の後脚部１３１は、それぞれ椅子１０１の後側に垂延して配置されている。左側の後脚部１２９と右側の後脚部１３１との間には背もたれ部１２７が架け渡され、椅子１０１を利用する人が背もたれできるようになっている。背もたれ部１２７は、前記第１の実施の形態で説明した背もたれ部１２６と同様の構成を有している。左側の後脚部１２９及び右側の後脚部１３１の上端部には、それぞれ左側のグリップ１３３及び右側のグリップ１３５が設けられている。グリップ１３３及びグリップ１３５は、人が椅子１０１の後側から前脚部１０３及び前脚部１０５を地面から浮かせた状態で、椅子１０１を押して移動する際に利用される。
【０１０６】
さらに、左側の後脚部１２９及び右側の後脚部１３１は、それぞれ左側の肘掛け部１１７及び右側の肘掛け部１１９が接合している位置から下方に延びているけれども、その長さ寸法は、左側の前脚部１０３及び右側の前脚部１０５の長さより短い。すなわち、椅子１０１の座部１１１を水平に維持した状態では、前脚部１０３，１０５の下端が地面に接地していても、後脚部１２９，１３１の下端は地面から相当離れて浮いている。
【０１０７】
左側の座部連結杆１５５及び右側の座部連結杆１５７は、それぞれ左側の前脚部１０３と左側の後脚部１２９との間、並びに、右側の前脚部１０５と右側の後脚部１３１との間に架け渡され溶接などで固定されている。左側の座部連結杆１５５及び右側の座部連結杆１５７は、椅子１０１を利用する人が着座し易い同じ高さの位置に水平に並置されている。左側の座部連結杆１５５及び右側の座部連結杆１５７の高さは、座部１１１の位置が左側の車輪１４１及び右側の車輪１４３の上部より高くなるように、左側の車輪１４１及び右側の車輪１４３の直径より大きくなるように設定されている。椅子１０１を利用する人及び運搬される人が着座したとき、その人の腕などが椅子１００と車輪１４０及び車輪１４２との間に挟まれないようにするためである。
【０１０８】
座部１１１は、椅子１０１を利用する人及び運搬される人が着座するためのものであり、肘掛け部１１７と肘掛け部１１９との間に配置されている。座部１１１は、座部連結杆１５５及び座部連結杆１５７上に載置されている。
【０１０９】
左側の前後脚連結杆１６１及び右側の前後脚連結杆１６３は、それぞれ座部１１１の下方に、左側の前脚部１０３と左側の後脚部１２９との間、並びに、右側の前脚部１０５と右側の後脚部１３１との間に架け渡され溶接などで固定されている。左側の前後脚連結杆１６１の後脚部１２８側の端部は、後脚部１２８の下端部１２８ａに固定されている。左側の前後脚連結杆１６１及び右側の前後脚連結杆１６３は、同じ高さの位置に水平に並置されている。
【０１１０】
左側の前脚部１０３の前後脚連結杆１６１との接合部及び右側の前脚部１０５の前後脚連結杆１６３との接合部の下方の位置には、前脚連結杆１５１が左側の前脚部１０３と右側の前脚部１０５との間に配置されている。
【０１１１】
左側の後脚部１２９の前後脚連結杆１６１との接合部及び右側の後脚部１３１の前後脚連結杆１６３との接合部の下方の位置には、後脚連結杆１５３が左側の後脚部１２９と右側の後脚部１３１との間に配置されている。後脚連結杆１５３の両端部は、左側の後脚部１２９の下端部１２９ａおよび後脚部１３１の下端部１３１ａの近傍に固定されている。
【０１１２】
左側の後脚部１２９の前後脚連結杆１６１との接合部及び右側の後脚部１３１の前後脚連結杆１６３との接合部の下方の位置には、後脚連結杆１５３が左側の後脚部１２９と右側の後脚部１３１との間に配置されている。後脚連結杆１５３の両端部は、左側の後脚部１２９の下端部１２９ａおよび後脚部１３１の下端部１３１ａの近傍に固定されている。
左側の前脚部１０３と右側の前脚部１０５とは平行で同じ長さである。左側の肘掛け部１１７及び右側の肘掛け部１１９とは平行で同じ長さである。左側の後脚部１２９と右側の後脚部１３１とは平行で同じ長さである。前脚連結杆１５１と後脚連結杆１５３とは平行で同じ長さである。左側の前後脚連結杆１６１と右側の前後脚連結杆１６３とは平行で同じ長さである。
【０１１３】
さらに、左側の後脚部１２９の下端部１２９ａの外周面の左部には、左側の車輪（タイヤ）１４１の回転軸１４１ａを嵌合固定するための嵌合孔８００が形成されている。嵌合孔８００は、孔の中心軸が椅子１０１の左右方向に平行になるように形成されている。右側の後脚部１３１の下端部１３１ａの外周面の右部には、右側の車輪（タイヤ）１４３の回転軸１４３ａを嵌合固定するための嵌合孔８０２が形成されている。嵌合孔８０２は、孔の中心軸が椅子１０１の左右方向に平行になるように形成されている。嵌合孔８００と嵌合孔８０２とは、それぞれの軸心が車輪取付軸Ｑ１上に形成されている。
【０１１４】
左側の車輪１４１と右側の車輪１４３は、椅子１０１を中心にして左右対称であり、互いに独立して回転する構造である。左側の車輪１４１及び右側の車輪１４３は、それぞれ左側の後脚部１２９の下端部１２９ａに形成された嵌合孔８００及び右側の後脚部１３１の下端部１３１ａに形成された嵌合孔８０２を利用して椅子１０１に取り付けられている。
【０１１５】
すなわち、左側の車輪１４１は、その中央に設けられた回転軸１４１ａを、左側の後脚部１２９の下端部１２９ａに形成している嵌合孔８００に嵌合固定することによって、椅子１０１に取り付けられている。右側の車輪１４３は、その中央に設けられた回転軸１４３ａを、右側の後脚部１３１の下端部１３１ａに形成している嵌合孔８０２に嵌合固定することによって、椅子１０１に取り付けられている。回転軸１４１ａ及び回転軸１４３ａの軸方向は、水平面に平行で、且つ、椅子１０１の引張り側と椅子側とを結ぶ方向に対して直交する方向である。
左右の車輪１４１及び車輪１４３の回転軸１４１ａ及び回転軸１４３ａの中心は、車輪取付軸Ｑ１に一致する。
【０１１６】
こうして、左側の車輪１４１と右側の車輪１４３は、それぞれ左側の後脚部１２９と右側の後脚部１３１の外側に回転自在に固定されている。左側の車輪１４１と右側の車輪１４３とは正面視平行で、左側の車輪１４１及び右側の車輪１４３の下部が、左側の後脚部１２９の下端部１２９ａ及び右側の後脚部１３１の下端部１３１ａより下方に位置し、回転するように構成されている。
【０１１７】
また、図１３は人引き車輪付き椅子２の変形例を示す図であり、左右の車輪１４１及び車輪１４３を椅子１０１に取り付ける構造が異なる。
左右の車輪１４１及び車輪１４３は、それぞれ回転軸１４１ａに設けられた嵌合支持部材８０４及び回転軸１４３ａに設けられた嵌合支持部材８０６を利用して椅子１０１に取り付けられている。
すなわち、左側の車輪１４１は、左側の後脚部１２９の下端部１２９ａを、上方に開口を有するパイプ状の嵌合支持部材８０４に挿入して嵌合固定することによって、椅子１０１に取り付けられている。右側の車輪１４３は、右側の後脚部１３１の下端部１３１ａを、上方に開口を有するパイプ状の嵌合支持部材８０６に挿入して嵌合固定することによって、椅子１０１に取り付けられている。回転軸１４１ａ及び回転軸１４３ａの軸方向は、水平面に平行で、且つ、椅子１０１の引張り側と椅子側とを結ぶ方向に対して直交する方向である。
左右の車輪１４１及び車輪１４３の回転軸１４１ａ及び回転軸１４３ａの中心は、車輪取付軸Ｑ１に一致する。
【０１１８】
次に、図１４を参照して、左側の梶棒２Ａ及び右側の梶棒２Ｂと、左側の第１取付部材４０及び右側の第１取付部材３０と、左側の第２取付部材６０及び右側の第２取付部材５０とを説明する。前記梶棒２Ａ及び梶棒２Ｂは、椅子１０１を引っ張るためのものである。左側の第１取付部材４０及び右側の第１取付部材３０は、椅子１０１の左右の前脚部１０３及び前脚部１０５、および、左右の後脚部１２９及び後脚部１３１の少なくとも何れかに、前記梶棒２Ａ及び梶棒２Ｂを着脱自在に取り付けるためのものである。
【０１１９】
左側の梶棒２Ａと右側の梶棒２Ｂとは、同様の形状およびサイズを有している。左側の梶棒２Ａ及び右側の梶棒２Ｂは、握り部１３及び握り部２３が杆体１１及び杆体２１の一端部に形成され、且つ、椅子取付部１５及び椅子取付部２５が杆体１１及び杆体２１に他端側に形成されている。
【０１２０】
左側の第１取付部材４０及び右側の第１取付部材３０は、前記梶棒２Ａ及び梶棒２Ｂの杆体１１及び杆体２１の椅子取付部１５及び椅子取付部２５を挿通するように構成され、且つ、位置決めピン３０４及び位置決めピン４０４の抜き差し、または、位置決めねじ３６０、位置決めねじ３６２、位置決めねじ３６４、位置決めねじ３６６、位置決めねじ４６０、位置決めねじ４６２、位置決めねじ４６４及び位置決めねじ４６６の締め付けによって前記梶棒の杆体を脱着するように構成され、によって前記梶棒２Ａ及び梶棒２Ｂの杆体１１及び杆体２１を着脱するように構成されている。
左側の第１取付部材４０及び右側の第１取付部材３０は、椅子１０１の左右の前脚部１０３及び前脚部１０５、および、左右の前後脚連結杆１６１及び前後脚連結杆１６３の少なくとも何れかに接合するように構成された第１連結部材４００及び第１連結部材３００、並びに、椅子１０１の左右の前脚部１０３及び前脚部１０５、および、左右の前後脚連結杆１６１及び前後脚連結杆１６３の少なくとも何れかに接合するように構成された第２連結部材４０２及び第２連結部材３０２により構成されている。
【０１２１】
第１連結部材４００及び第１連結部材３００と第２連結部材４０２及び第２連結部材３０２とは、椅子１０１の左右の前脚部１０３及び前脚部１０５、および、左右の前後脚連結杆１６１及び前後脚連結杆１６３の少なくとも何れかを間に挟んで連結されている。
【０１２２】
人引き車輪付き椅子２は、梶棒２Ａ及び梶棒２Ｂと水平面とのなす角度を変更するための俯抑角調整機構を備える。
左側の第１取付部材４０及び右側の第１取付部材３０は、俯抑角変更部材を構成しており、第１連結部材４００及び第１連結部材３００及び／または第２連結部材４０２及び第２連結部材３０２を相対回転させて、左側の梶棒２Ａと右側の梶棒２Ｂを回転させて、梶棒２Ａ及び梶棒２Ｂと水平面とのなす角度を変更するように構成されている。
【０１２３】
人引き車輪付き椅子２は、椅子１０１の左右の前後脚連結杆１６１及び前後脚連結杆１６３に着脱自在に取り付け可能である、前記梶棒２Ａ及び梶棒２Ｂの杆体１１及び杆体２１を支えるための左側の第２取付部材６０及び右側の第２取付部材５０を、更に備える。
【０１２４】
左側の第２取付部材６０及び右側の第２取付部材５０は、杆体１１及び杆体２１の他端部に位置し、左側の第１取付部材４０及び右側の第１取付部材３０は、杆体１１及び杆体２１の握り部１３及び握り部２３と左側の第２取付部材６０及び右側の第２取付部材５０との間に位置し、左側の第２取付部材６０及び右側の第２取付部材５０は、椅子１０１の左右の前後脚連結杆１６１及び前後脚連結杆１６３に接合するように構成された第３連結部材６００及び第３連結部材５００、並びに、前記椅子１０１の左右の前後脚連結杆１６１及び前後脚連結杆１６３に接合するように構成された第４連結部材６０２及び第４連結部材５０２により構成されている。
【０１２５】
人引き車輪付き椅子２は、俯仰角度調整機構を構成する俯仰角変更部材を備える。
左側の第２取付部材６０及び右側の第２取付部材５０は、俯抑角変更部材を構成しており、第３連結部材６００及び第３連結部材５００、及び／または、第４連結部材６０２及び第４連結部材５０２を回転させて、梶棒１Ａ及び梶棒１Ｂと水平面とのなす角度を変更するように構成されている。
なお、左側の第２取付部材６０及び右側の第２取付部材５０は、人引き車輪付き椅子２の仕様によっては、省略される場合がある。
【０１２６】
（ａ）梶棒
左側の梶棒２Ａ及び右側の梶棒２Ｂは、杆体１１及び杆体２１と、握り部１３及び握り部２３と、椅子取付部１５及び椅子取付部２５と、保護部９０１及び保護部９０３とを備えている。アルミニウムなどからなる杆体１１及び杆体２１は、例えば１ｍ〜２ｍの長さを有し、軽量化と機械的強度アップのために横断面が円環形状のパイプである。左側の梶棒２Ａと右側の梶棒２Ｂとは、椅子１０１の幅すなわち座部１１１の幅より若干長い間隔をおいて、椅子１０１の左側と右側とに取り付けられている。
【０１２７】
略円筒形状の握り部１３及び握り部２３は、横断面が円環形状の杆体１１及び杆体２１の一端部（引張り側の端部）を覆うように設けられている。
【０１２８】
左側の梶棒２Ａの杆体１１は、その他端部（椅子側の端部）が一方の（左側の）第２取付部材６０に挿通されている。杆体１１は、その中央付近において、椅子取付部１５が形成され、杆体１１の握り部１３と第２取付部材６０との間の椅子取付部１５が、第１取付部材４０に挿入されて取り付けられている。
杆体１１の第１取付部材４０が配置されるべき位置には、位置決めピン４０４（後述）を挿通するための上下一対の貫通孔１６ａ，１６ｂが、杆体１１の外周面の上側および下側に形成されている。貫通孔１６ａ，１６ｂはそれぞれの軸心が同一軸上に形成されている。
【０１２９】
左側の梶棒２Ａの杆体１１は、左側の第１取付部材４０によって、椅子１０１の左側（外側）でかつ左側の車輪１４１の内側に配置されるように、左側の前脚部１０３に取り付けられている。
【０１３０】
右側の梶棒２Ｂの杆体２１は、その他端部（椅子側の端部）が他方の（右側の）第２取付部材５０に挿通されている。杆体２１は、その中央付近において、椅子取付部２５が形成され、杆体２１の握り部２３と第２取付部材５０との間の椅子取付部２５が、第１取付部材３０に挿入されて取り付けられている。
杆体２１の第１取付部材３０が配置されるべき位置には、位置決めピン３０４（後述）を挿通するための上下一対の貫通孔２６ａ，２６ｂが、杆体２１の外周面の上側および下側に形成されている。貫通孔２６ａ，２６ｂはそれぞれの軸心が同一軸上に形成されている。
【０１３１】
右側の梶棒２Ｂの杆体２１は、右側の第１取付部材３０によって、椅子１０１の右側（外側）でかつ右側の車輪１４３の内側に配置されるように、右側の前脚部１０５に取り付けられている。そして、右側の梶棒２Ｂは、左側の梶棒２Ａと平行関係にある。
【０１３２】
この梶棒２Ａ及び梶棒２Ｂは、使用の際には、予め椅子１０１に取り付けられた第１取付部材３０と第１取付部材４０とに挿通するだけで、椅子１０１に取り付けられる。
梶棒２Ａと梶棒２Ｂとは、椅子１０１の中心軸Ｃに対して線対称の位置関係になるように、椅子１０１に取り付けられる。
さらに、梶棒２Ａ及び梶棒２Ｂは、握り部１３，２３の側（引張り側）が上方になり、保護部９０１及び保護部９０３の側（椅子１０１の側）に向かって直線状に下がり傾斜の状態となるように、椅子１０１に取り付けられる。
【０１３３】
また、略半円球形状の保護部９０１及び保護部９０３は、杆体１１，２１の他端部（椅子１００の側の端部）を覆うように設けられている。保護部９０１及び保護部９０３が略半円球形状であるため、梶棒２Ａ及び梶棒２Ｂの他端部が車椅子や地面や床に衝突したときでも、椅子や地面や床を傷付け難い。保護部９０１及び保護部９０３は弾性を有するゴム材や樹脂材などからなる。握り部１３，２３は、車椅子１００を引っ張る人が手で握り易いようにゴム材や樹脂材などからなる。
【０１３４】
（ｂ）第１取付部材
左側の第１取付部材４０及び右側の第１取付部材３０は、椅子１０１の左右の前脚部１０３及び前脚部１０５および左右の後脚部１２９及び後脚部１３１の少なくとも何れかに、着脱自在に取り付け可能である。
第１取付部材３０は、第１連結部材３００と第２連結部材３０２とが前脚部１０５を挟んで対向して連結され、前脚部１０５を締め付けて前脚部１０５に取り付けられている。
第１取付部材４０は、第１連結部材４００と第２連結部材４０２とが前脚部１０３を挟んで対向して連結され、前脚部１０３を締め付けて前脚部１０５に取り付けられている。
左側の第１取付部材４０及び右側の第１取付部材３０は、通常、同じ高さ位置で、椅子１０１に取り付けられている。
通常、第１取付部材３０及び第１取付部材４０から取り外されている梶棒２Ａと梶棒２Ｂとは、緊急時等に第１取付部材３０及び第１取付部材４０に差し込むことにより、椅子１０１に取り付けられる。
なお、本第２の実施の形態では、第１取付部材３０，４０が前脚部１０３，１０５に取り付けられた場合を例にして説明する。
梶棒用杆体挿通部３１０は、円板形の第１連結部材３００の径方向に延びており、後述するように、円形の第１連結部材３００の中心（中心軸Ｌ）を中心として回動したとき、椅子１０１の接地面との間のなす角度（俯仰角、図２３図示Ｑ）を適宜変更できる。俯仰角度調整機構は、第１連結部材３００と、第２連結部材３０２と、位置決めピン３０４とと、４セットのボルト３２６，３２８，３３０，３３２とナット３２７，３２９，３３１，３３３とで構成されている。
【０１３５】
（ｉ）第１取付部材３０
図１５は、右側の第１取付部材３０を外側から見た斜視図である。図１６は、第１取付部材３０を座部側から見た斜視図である。図１７は、第１取付部材３０を示す分解斜視図である。第１取付部材３０は、外側に配置された第１連結部材３００と、前脚部１０５を挟んで座部側に配置された第２連結部材３０２と、位置決めピン３０４とで構成されている。
そして、第１連結部材３００と第２連結部材３０２とは、４セットのボルト３２６，３２８，３３０，３３２とナット３２７，３２９，３３１，３３３とを用いて、前脚部１０５に締め付けられ、組み合わされて連結されている。
【０１３６】
第１連結部材３００は円板形であり、中央部に外側に凸状に張り出した筒状の梶棒用杆体挿通部３１０が形成されている。梶棒用杆体挿通部３１０は、第１連結部材３００の中央部を通って、第１連結部材３００の一方の外縁から他方の外縁にまで延びている。梶棒用杆体挿通部３１０は、その延在方向が、梶棒２Ｂが延びている方向（図１５図示ａ方向）と平行であり、かつ、梶棒２Ｂの軸と略同一軸である。
【０１３７】
梶棒用杆体挿通部３１０の横断面は半長円形であり、内径寸法は梶棒２Ｂの杆体２１の外径寸法より大きく設定されている。従って、第１連結部材３００は、ボルト３２６，３２８，３３０，３３２とナット３２７，３２９，３３１，３３３とが緩められているときは勿論、締め付けられているときでも、梶棒２Ｂが梶棒用杆体挿通部３１０内を挿通することができる。
さらに、梶棒用杆体挿通部３１０の外周面の上部および下部には、位置決めピン３０４を挿通するための上下一対の貫通孔３４０，３４２が形成されている。上下一対の貫通孔３４０，３４２は、軸心が杆体２１の上下一対の貫通孔２６ａ，２６ｂの軸心と同一軸上になるように形成されている。
【０１３８】
また、第１連結部材３００は、梶棒用杆体挿通部３１０を間にして、第１連結部材３００の中心を同心円とした対向する円弧状の一対の可動域規制長孔３１２，３１４が形成されている。可動域規制長孔３１２の一方の端部にはボルト３２６が挿通され、他方の端部にはボルト３３２が挿通されている。可動域規制長孔３１４の一方の端部にはボルト３２８が挿通され、他方の端部にはボルト３３０が挿通されている。可動域規制長孔３１２，３１４は、ボルト３２６，３２８，３３０，３３２とナット３２７，３２９，３３１，３３３とによって組み合わされている第１連結部材３００と第２連結部材３０２との回動域を規制するためのものである。可動域規制長孔３１２，３１４の孔径は、ボルト３２６，３２８，３３０，３３２の直径より若干大きく設定されており、ボルト３２６，３２８，３３０，３３２が可動域規制長孔３１２，３１４内を円滑に移動できるように構成されている。
【０１３９】
一方、左側の第２連結部材３０２も、第１連結部材３００と略同様の形状およびサイズを有している。第２連結部材３０２は、椅子１０１の前脚部１０５および後脚部１３１の少なくとも何れかに嵌合するように構成されている。なお、本第２の実施の形態では、第２連結部材３０２が前脚部１０５に取り付けられた場合を例にして説明する。
【０１４０】
第２連結部材３０２は円板形であり、中央部に座部側に凸状に張り出した筒状の脚部嵌合部３２０が形成されている。脚部嵌合部３２０は、第２連結部材３０２の中央部を通って、第２連結部材３０２の一方の外縁から他方の外縁にまで延びている。脚部嵌合部３２０は、その延在方向が、前脚部１０５が延びている方向（図１５図示ｂ方向）と平行であり、かつ、前脚部１０５の軸と略同一軸である。脚部嵌合部３２０は、第１連結部材３００の梶棒用杆体挿通部３１０と略直交している位置関係にある。
【０１４１】
脚部嵌合部３２０の横断面は半長円形であり、内径寸法は前脚部１０５の外径寸法より若干大きく設定されている。従って、第２連結部材３０２は、ボルト３２６，３２８，３３０，３３２とナット３２７，３２９，３３１，３３３とが緩められているときは、前脚部１０５が脚部嵌合部３２０内を挿通することができる。そして、第２連結部材３０２が、ボルト３２６，３２８，３３０，３３２とナット３２７，３２９，３３１，３３３とによって締め付けられているときは、前脚部１０５が脚部嵌合部３２０に嵌合され、第１取付部材３０が前脚部１０５に固定される。
【０１４２】
また、第２連結部材３０２は、脚部嵌合部３２０を間にして、第２連結部材３０２の中心を同心円とした対向する円弧状の一対の可動域規制長孔３２２，３２４が形成されている。可動域規制長孔３２２の一方の端部にはボルト３２６が挿通され、他方の端部にはボルト３２８が挿通されている。可動域規制長孔３２４の一方の端部にはボルト３３２が挿通され、他方の端部にはボルト３３０が挿通されている。可動域規制長孔３２２，３２４は、ボルト３２６，３２８，３３０，３３２とナット３２７，３２９，３３１，３３３とによって組み合わされている第１連結部材３００と第２連結部材３０２との回動域を規制するためのものである。可動域規制長孔３２２，３２４の孔径は、ボルト３２６，３２８，３３０，３３２の直径より若干大きく設定されており、ボルト３２６，３２８，３３０，３３２が可動域規制長孔３２２，３２４を円滑に移動できるように構成されている。可動域規制長孔３２２，３２４は、第１連結部材３００の可動域規制長孔３１２，３１４と略直交している位置関係にある。
【０１４３】
第１連結部材３００と第２連結部材３０２とは、梶棒用杆体挿通部３１０が張り出していない側の面３０１と脚部嵌合部３２０が張り出していない側の面３０３とが突き合わされ、面接触した状態で重ね合わされている。第１連結部材３００の中心と第２連結部材３０２の中心とは第１取付部材３０の中心軸Ｌ（図１７図示）上に存在している。そして、第１連結部材３００の円弧状の一対の可動域規制長孔３１２，３１４と、第２連結部材３０２の円弧状の一対の可動域規制長孔３２２，３２４とは、第１取付部材３０の中心軸Ｌを中心とする同一円状に配設されている。また、第１連結部材３００と第２連結部材３０２とは、相互に略９０°ずれた状態で組み合わされている。
第１連結部材３００と第２連結部材３０２とは、第１連結部材３００の梶棒用杆体挿通部３１０と第２連結部材３０２の脚部嵌合部３２０とが交差する方向にのびるように、組み合わされる。
第１連結部材３００の可動域規制長孔３１２及び可動域規制長孔３１４は、第２連結部材３０２の可動域規制長孔３２２及び可動域規制長孔３２４と交差する方向にのびる。
図２７に示すように、第１連結部材３００の円弧状の一対の可動域規制長孔３１２，３１４と、第２連結部材３０２の円弧状の一対の可動域規制長孔３２２，３２４とは、相互にそれぞれの両端部が重なり合っている。この重なり合っている範囲Ｒ１，Ｒ２，Ｒ３，Ｒ４にそれぞれボルト３２６，３２８，３３０，３３２が挿通されている。
【０１４４】
ボルト３２６とボルト３２８との間、並びに、ボルト３３０とボルト３３２との間には、梶棒用杆体挿通部３１０が配設されている。ボルト３２６とボルト３３２との間、並びに、ボルト３２８とボルト３３０との間には、脚部嵌合部３２０が配設されている。従って、４つのボルト３２６，３２８，３３０，３３２が、第１取付部材３０の縁部に略等間隔に配置されているため、第１取付部材３０の機械的強度が高くなる。
【０１４５】
そして、第１連結部材３００は、４セットのボルト３２６，３２８，３３０，３３２とナット３２７，３２９，３３１，３３３とが緩められたとき、第１取付部材３０の中心軸Ｌ（図１７図示）を回転軸として、面接触した面３０１と面３０３同士を相対的に摺動させて図１３に図示したｃ方向に回動させることができる。言い換えると、第１連結部材３００は、一対の第１取付部材３０，４０を結ぶ軸Ｑ１１（図１４図示）を回動軸として、梶棒２Ｂと共に回動自在である。ただし、回動できる範囲は、可動域規制長孔３１２，３１４と可動域規制長孔３２２，３２４とが重なり合っている範囲Ｒ１，Ｒ２，Ｒ３，Ｒ４に限られる。さらに、ボルト３２６，３２８，３３０，３３２とナット３２７，３２９，３３１，３３３とが緩められたとき、第１取付部材３０は、前脚部１０５が延びている方向（図１５図示ｂ方向）にも移動可能である。軸Ｑ１１は梶棒２Ｂに対して直交関係にある。また、面接触した面３０１と面３０３とは、軸Ｑ１１に対して直交関係にあり、かつ、梶棒１Ａに対して平行関係にある。ボルト３２６，３２８，３３０，３３２のそれぞれの軸心３２６ａ，３２８ａ，３３０ａ，３３２ａは、面３０１，３０３および梶棒２Ｂに対して直交関係にある。
第１連結部材３００と第２連結部材３０２とは、相対回転して、前脚部１０５に取り付けられた第２取付部材３０２の脚部嵌合部３２０と第１連結部材３００の梶棒用杆体挿通部３１０とのなす角度を変更できる。
【０１４６】
位置決めピン３０４は、円環状頭部３０４ａと円柱状胴部３０４ｂとからなる。位置決めピン３０４は、円柱状胴部３０４ｂを下側にして、上方から、軸心が同一軸上に形成されている梶棒用杆体挿通部３１０の上下一対の貫通孔３４０，３４２と杆体２１の上下一対の貫通孔２６ａ，２６ｂとに挿通される。そして、位置決めピン３０４の円環状頭部３０４ａが貫通孔３４０で係止されることによって、梶棒用杆体挿通部３１０（第１連結部材３００）に梶棒２Ｂが位置決めされる。
【０１４７】
（ｉｉ）第１取付部材４０
図１８は、左側の第１取付部材４０を外側から見た斜視図である。図１９は、第１取付部材４０を外部側から見た斜視図である。第１取付部材４０は、第１取付部材３０と同様のものであり、外側に配置された左側の第１連結部材４００と、前脚部１０３を挟んで座部側に配置された第２連結部材４０２と、位置決めピン４０４とで構成されている。そして、第１連結部材４００と第２連結部材４０２とは、４セットのボルト４２６，４２８，４３０，４３２とナット４２７，４２９，４３１，４３３とを用いて締め付けられ、組み合わされて連結されている。
【０１４８】
第１連結部材４００は円板形であり、中央部に座部側に凸状に張り出した筒状の梶棒用杆体挿通部４１０が形成されている。梶棒用杆体挿通部４１０は、第１連結部材４００の中央部を通って、第１連結部材４００の一方の外縁から他方の外縁にまで延びている。梶棒用杆体挿通部４１０は、その延在方向が、梶棒２Ａが延びている方向（図１８図示ａ方向）と平行であり、かつ、梶棒２Ａの軸と略同一軸である。
梶棒用杆体挿通部４１０は、円板形の第１連結部材４００の径方向に延びており、後述するように、円形の第１連結部材４００の中心（中心軸Ｌ）を中心として回動したとき、椅子１０１の接地面との間のなす角度（俯仰角、図２５図示Ｑ）を適宜変更できる。俯仰角度調整機構は、第１連結部材４００と、第２連結部材４０２と、位置決めピン４０４と、４セットのボルト４２６，４２８，４３０，４３２とナット４２７，４２９，４３１，４３３とで構成されている。
【０１４９】
梶棒用杆体挿通部４１０の横断面は半長円形であり、内径寸法は梶棒２Ａの杆体１１の外径寸法より大きく設定されている。従って、第１連結部材４００は、ボルト４２６，４２８，４３０，４３２とナット４２７，４２９，４３１，４３３とが緩められているときは勿論、締め付けられているときでも、梶棒２Ａが梶棒用杆体挿通部４１０内を挿通することができる。
【０１５０】
さらに、梶棒用杆体挿通部４１０の外周面の上部および下部には、位置決めピン４０４を挿通するための上下一対の貫通孔４４０，４４２が形成されている。上下一対の貫通孔４４０，４４２は、軸心が杆体１１の上下一対の貫通孔１６ａ，１６ｂの軸心と同一軸上になるように形成されている。
【０１５１】
また、第１連結部材４００は、梶棒用杆体挿通部４１０を間にして、第１連結部材４００の中心を同心円とした対向する円弧状の一対の可動域規制長孔４１２，４１４が形成されている。可動域規制長孔４１２の一方の端部にはボルト４２６が挿通され、他方の端部にはボルト４３２が挿通されている。可動域規制長孔４１４の一方の端部にはボルト４２８が挿通され、他方の端部にはボルト４３０が挿通されている。可動域規制長孔４１２，４１４は、ボルト４２６，４２８，４３０，４３２とナット４２７，４２９，４３１，４３３とによって組み合わされている第１連結部材４００と第２連結部材４０２との回動域を規制するためのものである。可動域規制長孔４１２，４１４の孔径は、ボルト４２６，４２８，４３０，４３２の直径より若干大きく設定されており、ボルト４２６，４２８，４３０，４３２が可動域規制長孔４１２，４１４内を円滑に移動できるように構成されている。
【０１５２】
一方、第２連結部材４０２も、第１連結部材４００と略同様の形状およびサイズを有している。第２連結部材４０２は、椅子１０１の前脚部１０３および後脚部１２９の少なくとも何れかに嵌合するように構成されている。なお、本第２の実施の形態では、第２連結部材４０２が前脚部１０３に取り付けられた場合を例にして説明する。
【０１５３】
第２連結部材４０２は円板形であり、中央部に座部側に凸状に張り出した筒状の脚部嵌合部４２０が形成されている。脚部嵌合部４２０は、第２連結部材４０２の中央部を通って、第２連結部材４０２の一方の外縁から他方の外縁にまで延びている。脚部嵌合部４２０は、その延在方向が、前脚部１０３が延びている方向（図１８図示ｂ方向）と平行であり、かつ、前脚部１０３の軸と略同一軸である。脚部嵌合部４２０は、第１連結部材４００の梶棒用杆体挿通部４１０と略直交している位置関係にある。
【０１５４】
脚部嵌合部４２０の横断面は半長円形であり、内径寸法は前脚部１０３の外径寸法より若干大きく設定されている。従って、第２連結部材４０２は、ボルト４２６，４２８，４３０，４３２とナット４２７，４２９，４３１，４３３とが緩められているときは、レッグパイプ１０８が脚部嵌合部４２０内を挿通することができる。そして、第２連結部材４０２が、ボルト４２６，４２８，４３０，４３２とナット４２７，４２９，４３１，４３３とによって締め付けられているときは、前脚部１０３が脚部嵌合部４２０に嵌合され、第１取付部材４０が前脚部１０３に固定される。
【０１５５】
また、第２連結部材４０２は、脚部嵌合部４２０を間にして、第２連結部材４０２の中心を同心円とした対向する円弧状の一対の可動域規制長孔４２２，４２４が形成されている。可動域規制長孔４２２の一方の端部にはボルト４２６が挿通され、他方の端部にはボルト４２８が挿通されている。可動域規制長孔４２４の一方の端部にはボルト４３２が挿通され、他方の端部にはボルト４３０が挿通されている。可動域規制長孔４２２，４２４は、ボルト４２６，４２８，４３０，４３２とナット４２７，４２９，４３１，４３３とによって組み合わされている第１連結部材４００と第２連結部材４０２との回動域を規制するためのものである。可動域規制長孔４２２，４２４の孔径は、ボルト４２６，４２８，４３０，４３２の直径より若干大きく設定されており、ボルト４２６，４２８，４３０，４３２が可動域規制長孔４２２，４２４を円滑に移動できるように構成されている。可動域規制長孔４２２，４２４は、第１連結部材４００の可動域規制長孔４１２，４１４と略直交している位置関係にある。
【０１５６】
第１連結部材４００と第２連結部材４０２とは、梶棒用杆体挿通部４１０が張り出していない側の面４０１と脚部嵌合部４２０が張り出していない側の面４０３とが突き合わされ、面接触した状態で重ね合わされている。第１連結部材４００の中心と第２連結部材４０２の中心とは第１取付部材４０の中心軸Ｌ上に存在している。そして、第１連結部材４００の円弧状の一対の可動域規制長孔４１２，４１４と、第２連結部材４０２の円弧状の一対の可動域規制長孔４２２，４２４とは、第１取付部材４０の中心軸Ｌを中心とする同一円状に配設されている。また、第１連結部材４００と第２連結部材４０２とは、相互に略９０°ずれた状態で組み合わされている。
第１連結部材４００と第２連結部材４０２とは、第１連結部材４００の梶棒用杆体挿通部４１０と第２連結部材４０２の脚部嵌合部４２０とが交差する方向にのびるように、組み合わされる。
第１連結部材４００の可動域規制長孔４１２及び可動域規制長孔４１４は、第２連結部材４０２の可動域規制長孔４２２及び可動域規制長孔４２４と交差する方向にのびる。
図２５と同様に、第１連結部材４００の円弧状の一対の可動域規制長孔４１２，４１４と、第２連結部材４０２の円弧状の一対の可動域規制長孔４２２，４２４とは、相互にそれぞれの両端部が重なり合っている。この重なり合っている範囲Ｒ１，Ｒ２，Ｒ３，Ｒ４にそれぞれボルト４２６，４２８，４３０，４３２が挿通されている。
【０１５７】
ボルト４２６とボルト４２８との間、並びに、ボルト４３０とボルト４３２との間には、梶棒用杆体挿通部４１０が配設されている。ボルト４２６とボルト４３２との間、並びに、ボルト４２８とボルト４３０との間には、脚部嵌合部４２０が配設されている。従って、４つのボルト４２６，４２８，４３０，４３２が、第１取付部材４０の縁部に略等間隔に配置されているため、第１取付部材４０の機械的強度が高くなる。
【０１５８】
そして、第１連結部材４００は、４セットのボルト４２６，４２８，４３０，４３２とナット４２７，４２９，４３１，４３３とが緩められたとき、第１取付部材４０の中心軸Ｌを回転軸として、面接触した面４０１と面４０３同士を相対的に摺動させて図１８に図示したｃ方向に回動させることができる。言い換えると、第１連結部材４００は、一対の第１取付部材３０，４０を結ぶ軸を回動軸Ｑ１１（図１４図示）として、梶棒２Ａと共に回動自在である。ただし、回動できる範囲は、可動域規制長孔４１２，４１４と可動域規制長孔４２２，４２４とが重なり合っている範囲Ｒ１，Ｒ２，Ｒ３，Ｒ４に限られる。さらに、ボルト４２６，４２８，４３０，４３２とナット４２７，４２９，４３１，４３３とが緩められたとき、第１取付部材４０は、前脚部１０３が延びている方向（図１７図示ｂ方向）にも移動可能である。面接触した面４０１と面４０３とは、軸Ｑ１１に対して直交関係にあり、かつ、梶棒２Ｂに対して平行関係にある。ボルト４２６，４２８，４３０，４３２のそれぞれの軸心４２６ａ，４２８ａ，４３０ａ，４３２ａは、面４０１，４０３および梶棒２Ｂに対して直交関係にある。
第１連結部材４００と第２連結部材４０２とは、相対回転して、前脚部１０３に取り付けられた第２取付部材４０２の脚部嵌合部４２０と第１連結部材４００の梶棒用杆体挿通部４１０とのなす角度を変更できる。
【０１５９】
位置決めピン４０４は、円環状頭部４０４ａと円柱状胴部４０４ｂとからなる。位置決めピン４０４は、円柱状胴部４０４ｂを下側にして、上方から、軸心が同一軸上に形成されている梶棒用杆体挿通部４１０の上下一対の貫通孔４４０，４４２と杆体１１の上下一対の貫通孔１６ａ，１６ｂとに挿通される。そして、位置決めピン４０４の円環状頭部４０４ａが貫通孔４４０で係止されることによって、梶棒用杆体挿通部４１０（第１連結部材４００）に梶棒２Ａが位置決めされる。
【０１６０】
（ｃ）第２取付部材
左側の第２取付部材６０及び右側の第２取付部材５０は、椅子１０１の左側の前後脚連結杆１６１及び右側の前後脚連結杆１６３に着脱自在に取り付け可能である。
【０１６１】
（ｉ）第２取付部材５０
図２０は、第２取付部材５０を外側から見た斜視図である。図２１は、第２取付部材５０を座部側から見た斜視図である。図２２は、第２取付部材５０を示す分解斜視図である。第２取付部材５０は、外側に配置された第３連結部材５００と、座部側に配置された第４連結部材５０２とで構成されている。そして、第３連結部材５００と第４連結部材５０２とは、４セットのボルト５２６，５２８，５３０，５３２とナット５２７，５２９，５３１，５３３とを用いて締め付けられ、組み合わされている。
【０１６２】
第３連結部材５００は円板形であり、中央部に外側に凸状に張り出した筒状の梶棒用杆体挿通部５１０が形成されている。梶棒用杆体挿通部５１０は、第３連結部材５００の中央部を通って、第３連結部材５００の一方の外縁から他方の外縁にまで延びている。梶棒用杆体挿通部５１０は、その延在方向が、梶棒２Ｂが延びている方向（図２０図示ａ方向）と平行であり、かつ、梶棒２Ｂの軸と略同一軸である。
梶棒用杆体挿通部５１０は、円板形の第１連結部材５００の径方向に延びており、後述するように、円形の第１連結部材５００の中心（中心軸Ｌ）を中心として回動したとき、椅子１０１の接地面との間のなす角度（俯仰角、図２５図示Ｑ）を適宜変更できる。俯仰角度調整機構は、第３連結部材５００と、第４連結部材４０２と、４セットのボルト５２６，５２８，５３０，５３２とナット５２７，５２９，５３１，５３３とで構成されている。
【０１６３】
梶棒用杆体挿通部５１０の横断面は半長円形であり、内径寸法は梶棒２Ｂの杆体２１の外径寸法より大きく設定されている。従って、第３連結部材５００は、ボルト５２６，５２８，５３０，５３２とナット５２７，５２９，５３１，５３３とが緩められているときは勿論、締め付けられているときでも、梶棒２Ｂが梶棒用杆体挿通部５１０内を挿通することができる。
【０１６４】
また、第３連結部材５００は、梶棒用杆体挿通部５１０を間にして、第３連結部材５００の中心を同心円とした対向する円弧状の一対の可動域規制長孔５１２，５１４が形成されている。可動域規制長孔５１２の一方の端部にはボルト５２６が挿通され、他方の端部にはボルト５３２が挿通されている。可動域規制長孔５１４の一方の端部にはボルト５２８が挿通され、他方の端部にはボルト５３０が挿通されている。可動域規制長孔５１２，５１４は、ボルト５２６，５２８，５３０，５３２とナット５２７，５２９，５３１，５３３とによって組み合わされている第３連結部材５００と第４連結部材５０２との回動域を規制するためのものである。可動域規制長孔５１２，５１４の孔径は、ボルト５２６，５２８，５３０，５３２の直径より若干大きく設定されており、ボルト５２６，５２８，５３０，５３２が可動域規制長孔５１２，５１４内を円滑に移動できるように構成されている。
【０１６５】
一方、第４連結部材５０２も、第３連結部材５００と略同様の形状およびサイズを有している。第４連結部材５０２は、椅子１０１の前後脚連結杆１６３に嵌合するように構成されている。第４連結部材５０２は円板形であり、中央部に座部側に凸状に張り出した筒状の前後脚連結杆嵌合部５２０が形成されている。前後脚連結杆嵌合部５２０は、第４連結部材５０２の中心部を通って、第４連結部材５０２の一方の外縁から他方の外縁にまで延びている。前後脚連結杆嵌合部５２０は、その延在方向が、前後脚連結杆１６３が延びている方向（図２０図示ｂ方向）と平行であり、かつ、前後脚連結杆１６３の軸と略同一軸である。前後脚連結杆嵌合部５２０は、第３連結部材５００の梶棒用杆体挿通部５１０と斜交している位置関係にある。
【０１６６】
前後脚連結杆嵌合部５２０の横断面は半長円形であり、内径寸法は前後脚連結杆１６３の外径寸法より若干大きく設定されている。従って、第３連結部材５００と第４連結部材５０２とは、ボルト５２６，５２８，５３０，５３２とナット５２７，５２９，５３１，５３３とが緩められているときは、前後脚連結杆１６３が前後脚連結杆嵌合部５２０内を挿通することができる。そして、第３連結部材５００と第４連結部材５０２とが、ボルト５２６，５２８，５３０，５３２とナット５２７，５２９，５３１，５３３とによって締め付けられているときは、前後脚連結杆１６３が前後脚連結杆嵌合部５２０に嵌合され、第２取付部材５０が前後脚連結杆１６３に固定される。
【０１６７】
また、第４連結部材５０２は、前後脚連結杆嵌合部５２０を間にして、第４連結部材５０２の中心を同心円とした対向する円弧状の一対の可動域規制長孔５２２，５２４が形成されている。可動域規制長孔５２２の一方の端部にはボルト５２６が挿通され、他方の端部にはボルト５２８が挿通されている。可動域規制長孔５２４の一方の端部にはボルト５３２が挿通され、他方の端部にはボルト５３０が挿通されている。可動域規制長孔５２２，５２４は、ボルト５２６，５２８，５３０，５３２とナット５２７，５２９，５３１，５３３とによって組み合わされている第３連結部材５００と第４連結部材５０２との回動域を規制するためのものである。可動域規制長孔５２２，５２４の孔径は、ボルト５２６，５２８，５３０，５３２の直径より若干大きく設定されており、ボルト５２６，５２８，５３０，５３２が可動域規制長孔５２２，５２４を円滑に移動できるように構成されている。可動域規制長孔５２２，５２４は、第３連結部材５００の可動域規制長孔５１２，５１４と斜交している位置関係にある。
【０１６８】
第３連結部材５００と第４連結部材５０２とは、梶棒用杆体挿通部５１０が張り出していない側の面５０１と前後脚連結杆嵌合部５２０が張り出していない側の面５０３とが突き合わされ、面接触した状態で重ね合わされている。第３連結部材５００の中心と第４連結部材５０２の中心とは第２取付部材５０の中心軸（図２２図示Ｌ）上に存在している。そして、第３連結部材５００の円弧状の一対の可動域規制長孔５１２，５１４と、第４連結部材５０２の円弧状の一対の可動域規制長孔５２２，５２４とは、第２取付部材５０の中心軸Ｌを中心とする同一円状に配設されている。また、第３連結部材５００と第４連結部材５０２とは、相互に若干ずれた状態で組み合わされている。
第３連結部材５００と第４連結部材５０２とは、第３連結部材５００の梶棒用杆体挿通部５１０と第４連結部材５０２の前後脚連結杆嵌合部５２０とが交差する方向にのびるように、組み合わされる。
図２８に示すように、第３連結部材５００の円弧状の一対の可動域規制長孔５１２，５１４と、第４連結部材５０２の円弧状の一対の可動域規制長孔５２２，５２４とは、相互にそれぞれの中央部が重なり合っている。この重なり合っている範囲Ｒ５，Ｒ６にそれぞれボルト５２６，５２８，５３０，５３２が挿通されている。
【０１６９】
ボルト５２６とボルト５２８との間、並びに、ボルト５３０とボルト５３２との間には、梶棒用杆体挿通部５１０が配設されている。ボルト５２６とボルト５３２との間、並びに、ボルト５２８とボルト５３０との間には、前後脚連結杆嵌合部５２０が配設されている。従って、４つのボルト５２６，５２８，５３０，５３２が、第２取付部材５０の縁部に略等間隔に配置されているため、第２取付部材５０の機械的強度が高くなる。
【０１７０】
そして、第３連結部材５００は、４セットのボルト５２６，５２８，５３０，５３２とナット５２７，５２９，５３１，５３３とが緩められたとき、第２取付部材５０の中心軸Ｌ（図２１図示）を回転軸として、面接触した面５０１と面５０３面同士を相対的に摺動させて図１８に図示したｃ方向に回動させることができる。言い換えると、第３連結部材５００は、一対の第２取付部材５０，６０を結ぶ軸Ｑ１２（図１４図示）を回動軸として、梶棒２Ｂと共に回動自在である。ただし、回動できる範囲は、可動域規制長孔５１２，５１４と可動域規制長孔５２２，５２４とが重なり合っている範囲Ｒ５，Ｒ６に限られる。さらにボルト５２６，５２８，５３０，５３２とナット５２７，５２９，５３１，５３３とが緩められたとき、第２取付部材５０は、ベースパイプ１５４が延びている方向（図２０図示ｂ方向）にも移動可能である。軸Ｑ１２は梶棒２Ａ，２Ｂに対して直交関係にある。また、面接触した面５０１と面５０３とは、軸Ｑ１２に対して直交関係にあり、かつ、梶棒２Ｂに対して平行関係にある。ボルト５２６，５２８，５３０，５３２のそれぞれの軸心５２６ａ，５２８ａ，５３０ａ，５３２ａは、面５０１，５０３および梶棒２Ｂに対して直交関係にある。
第１連結部材５００と第２連結部材５０２とは、相対回転して、前後脚連結杆１６３に取り付けられた第２取付部材５０２の前後脚連結杆嵌合部５２０と第１連結部材５００の梶棒用杆体挿通部５１０とのなす角度を変更できる。
【０１７１】
（ｉｉ）第２取付部材６０
図２３は、第２取付部材６０を外側から見た斜視図である。図２４は、第２取付部材６０を座部側から見た斜視図である。第２取付部材６０は、第２取付部材５０と同様のものであり、外側に配置された第３連結部材６００と、座部側に配置された第４連結部材６０２とで構成されている。そして、第３連結部材６００と第４連結部材６０２とは、４セットのボルト６２６，６２８，６３０，６３２とナット６２７，６２９，６３１，６３３とを用いて締め付けられ、組み合わされている。
【０１７２】
第３連結部材６００は円板形であり、中央部に外側に凸状に張り出した筒状の梶棒用杆体挿通部６１０が形成されている。梶棒用杆体挿通部６１０は、第３連結部材６００の中央部を通って、第３連結部材６００の一方の外縁から他方の外縁にまで延びている。梶棒用杆体挿通部６１０は、その延在方向が、梶棒２Ａが延びている方向（図２３図示ａ方向）と平行であり、かつ、梶棒２Ａの軸と略同一軸である。
梶棒用杆体挿通部６１０は、円板形の第１連結部材６００の径方向に延びており、後述するように、円形の第１連結部材６００の中心（中心軸Ｌ）を中心として回動したとき、椅子１０１の接地面との間のなす角度（俯仰角、図２５図示Ｑ）を適宜変更できる。俯仰角度調整機構は、第３連結部材６００と、第４連結部材６０２と、４セットのボルト６２６，６２８，６３０，６３２とナット６２７，６２９，６３１，６３３とで構成されている。
【０１７３】
梶棒用杆体挿通部６１０の横断面は半長円形であり、内径寸法は梶棒２Ａの杆体１１の外径寸法より大きく設定されている。従って、第３連結部材６００と第４連結部材６０２とは、ボルト６２６，６２８，６３０，６３２とナット６２７，６２９，６３１，６３３とが緩められているときは勿論、締め付けられているときでも、梶棒２Ａが梶棒用杆体挿通部６１０内を挿通することができる。
【０１７４】
また、第３連結部材６００は、梶棒用杆体挿通部６１０を間にして、第３連結部材６００の中心を同心円とした対向する円弧状の一対の可動域規制長孔６１２，６１４が形成されている。可動域規制長孔６１２の一方の端部にはボルト６２６が挿通され、他方の端部にはボルト６３２が挿通されている。可動域規制長孔６１４の一方の端部にはボルト６２８が挿通され、他方の端部にはボルト６３０が挿通されている。可動域規制長孔６１２，６１４は、ボルト６２６，６２８，６３０，６３２とナット６２７，６２９，６３１，６３３とによって組み合わされている第３連結部材６００と第４連結部材６０２との回動域を規制するためのものである。可動域規制長孔６１２，６１４の孔径は、ボルト６２６，６２８，６３０，６３２の直径より若干大きく設定されており、ボルト６２６，６２８，６３０，６３２が可動域規制長孔６１２，６１４内を円滑に移動できるように構成されている。
【０１７５】
一方、第４連結部材６０２も、第３連結部材６００と略同様の形状およびサイズを有している。第４連結部材６０２は、椅子１０１の前後脚連結杆１６１に嵌合するように構成されている。第４連結部材６０２は円板形であり、中央部に座部側に凸状に張り出した筒状の前後脚連結杆嵌合部６２０が形成されている。前後脚連結杆嵌合部６２０は、第４連結部材６０２の中心部を通って、第４連結部材６０２の一方の外縁から他方の外縁にまで延びている。前後脚連結杆嵌合部６２０は、その延在方向が、前後脚連結杆１６１が延びている方向（図２３図示ｂ方向）と平行であり、かつ、前後脚連結杆１６１の軸と略同一軸である。前後脚連結杆嵌合部６２０は、第３連結部材６００の梶棒用杆体挿通部６１０と斜交している位置関係にある。
【０１７６】
前後脚連結杆嵌合部６２０の横断面は半長円形であり、内径寸法は前後脚連結杆１６１の外径寸法より若干大きく設定されている。従って、第３連結部材６００と第４連結部材６０２とは、ボルト６２６，６２８，６３０，６３２とナット６２７，６２９，６３１，６３３とが緩められているときは、前後脚連結杆１６１が前後脚連結杆嵌合部６２０内を挿通することができる。そして、第３連結部材６００と第４連結部材６０２とが、ボルト６２６，６２８，６３０，６３２とナット６２７，６２９，６３１，６３３とによって締め付けられているときは、前後脚連結杆１６１が前後脚連結杆嵌合部６２０に嵌合され、第２取付部材６０が前後脚連結杆１６１に固定される。
【０１７７】
また、第４連結部材６０２は、前後脚連結杆嵌合部６２０を間にして、第４連結部材６０２の中心を同心円とした対向する円弧状の一対の可動域規制長孔６２２，６２４が形成されている。可動域規制長孔６２２の一方の端部にはボルト６２６が挿通され、他方の端部にはボルト６２８が挿通されている。可動域規制長孔６２４の一方の端部にはボルト６３２が挿通され、他方の端部にはボルト６３０が挿通されている。可動域規制長孔６２２，６２４は、ボルト６２６，６２８，６３０，６３２とナット６２７，６２９，６３１，６３３とによって組み合わされている第３連結部材６００と第４連結部材６０２との回動域を規制するためのものである。可動域規制長孔６２２，６２４の孔径は、ボルト６２６，６２８，６３０，６３２の直径より若干大きく設定されており、ボルト６２６，６２８，６３０，６３２が可動域規制長孔６２２，６２４を円滑に移動できるように構成されている。可動域規制長孔６２２，６２４は、第３連結部材６００の可動域規制長孔６１２，６１４と斜交している位置関係にある。
【０１７８】
第３連結部材６００と第４連結部材６０２とは、梶棒用杆体挿通部６１０が張り出していない側の面６０１と前後脚連結杆嵌合部６２０が張り出していない側の面６０３とが突き合わされ、面接触した状態で重ね合わされている。第３連結部材６００の中心と第４連結部材６０２の中心とは第２取付部材６０の中心軸Ｌ上に存在している。そして、第３連結部材６００の円弧状の一対の可動域規制長孔６１２，６１４と、第４連結部材６０２の円弧状の一対の可動域規制長孔６２２，６２４とは、第２取付部材６０の中心軸Ｌを中心とする同一円状に配設されている。また、第３連結部材６００と第４連結部材６０２とは、相互に若干ずれた状態で組み合わされている。
第３連結部材６００と第４連結部材６０２とは、第３連結部材６００の梶棒用杆体挿通部６１０と第４連結部材６０２の前後脚連結杆嵌合部６２０とが交差する方向にのびるように、組み合わされる。
図２６と同様に、第３連結部材６００の円弧状の一対の可動域規制長孔６１２，６１４と、第４連結部材６０２の円弧状の一対の可動域規制長孔６２２，６２４とは、相互にそれぞれの中央部が重なり合っている。この重なり合っている範囲Ｒ５，Ｒ６にそれぞれボルト６２６，６２８，６３０，６３２が挿通されている。
【０１７９】
ボルト６２６とボルト６２８との間、並びに、ボルト６３０とボルト６３２との間には、梶棒用杆体挿通部６１０が配設されている。ボルト６２６とボルト６３２との間、並びに、ボルト６２８とボルト６３０との間には、前後脚連結杆嵌合部６２０が配設されている。従って、４つのボルト６２６，６２８，６３０，６３２が、第２取付部材６０の縁部に略等間隔に配置されているため、第２取付部材６０の機械的強度が高くなる。
【０１８０】
そして、第３連結部材６００は、４セットのボルト６２６，６２８，６３０，６３２とナット６２７，６２９，６３１，６３３とが緩められたとき、第２取付部材６０の中心軸Ｌを回転軸として、面接触した面６０１と面６０３同士を相対的に摺動させて図２３に図示したｃ方向に回動させることができる。言い換えると、第３連結部材６００は、一対の第１取付部材５０，６０を結ぶ軸Ｑ１２（図１４図示）を回動軸として、梶棒２Ａと共に回動自在である。ただし、回動できる範囲は、可動域規制長孔６１２，６１４と可動域規制長孔６２２，６２４とが重なり合っている範囲Ｒ５，Ｒ６に限られる。さらに、ボルト６２６，６２８，６３０，６３２とナット６２７，６２９，６３１，６３３とが緩められたとき、第２取付部材６０は、前後脚連結杆１６１が延びている方向（図２２図示ｂ方向）にも移動可能である。面接触した面６０１と面６０３とは、軸Ｑ１２に対して直交関係にあり、かつ、梶棒２Ａに対して平行関係にある。ボルト６２６，６２８，６３０，６３２のそれぞれの軸心６２６ａ，６２８ａ，６３０ａ，６３２ａは、面６０１，６０３および梶棒２Ａに対して直交関係にある。
第３連結部材６００と第４連結部材６０２とは、相対回転して、前後脚連結杆１６１に取り付けられた第４取付部材６０２の前後脚連結杆嵌合部６２０と第３連結部材６００の梶棒用杆体挿通部６１０とのなす角度を変更できる。
【０１８１】
第１取付部材３０の第１連結部材３００と第２連結部材３０２とを接し合わせる第１取付部材３０の第１連結部材３００及び第２連結部材３０２の接合面は、平面状であり、且つ、第１取付部材４０と第２連結部材４０２とを接し合わせる第１取付部材４０の第１連結部材４００及び第２連結部材４０２の接合面は、平面状である。
又、第２取付部材５０の第４連結部材５０２と第４連結部材５０２とを接し合わせる第２取付部材５０の第３連結部材５００及び第４連結部材５０２の接合面は、平面状であり、且つ、第２取付部材６０の第３連結部材６００と第４連結部材６０２とを接し合わせる第２取付部材６０の第３連結部材６００及び第４連結部材６０２の接合面は、平面状である。
第１取付部材３０の接合面、第１取付部材４０、第２取付部材５０の接合面及び第２取付部材６０の接合面は、一平面内において接合される。
そして、第１取付部材３０の第１連結部材３００と第２連結部材３０２の接合面及び第１取付部材４０の第１連結部材４００と第２連結部材４０２の接合面とは前記一平面内において第１取付部材３０の第１連結部材３００と第２連結部材３０２と第１取付部材４０とは相互に回転する。
第２取付部材５０の第３連結部材５００と第４連結部材５０２の接合面及び第２取付部材６０の第３連結部材６００と第４連結部材６０２の接合面とは前記一平面内において第２取付部材５０の第３連結部材５００と第４連結部材５０２及び第２取付部材６０の第３連結部材６００と第４連結部材６０２とは相互に回転する。
【０１８２】
２．梶棒の取り扱い手順
（ａ）梶棒を椅子へ取り付ける手順
次に、梶棒２Ａ及び梶棒２Ｂを椅子１０１へ取り付ける手順について説明する。
【０１８３】
右側の第１取付部材３０の第１連結部材３００と第２連結部材３０２とは、ボルト３２６，３２８，３３０，３３２とナット３２７，３２９，３３１，３３３とによって締め付けられ、椅子１０１の右側の前脚部１０５の所定の位置に、第２連結部材３０２の脚部嵌合部３２０が嵌合されて固定される。同様に、左側の第１取付部材４０の第１連結部材４００と第２連結部材４０２とが、ボルト４２６，４２８，４３０，４３２とナット４２７，４２９，４３１，４３３とによって締め付けられ、椅子１０１の前脚部１０３の所定の位置に、第２連結部材４０２の脚部嵌合部４２０が嵌合されて固定される。
第１取付部材３０の第１連結部材３００及び第２連結部材３０２と、第１取付部材４０の第１連結部材４００及び第２連結部材４０２とは、同じ高さ位置で前脚部１０５及び前脚部１０３に取り付けられる。
【０１８４】
さらに、右側の第２取付部材５０の第３連結部材５００と第４連結部材５０２とが、ボルト５２６，５２８，５３０，５３２とナット５２７，５２９，５３１，５３３とによって締め付けられ、椅子１０１の前後脚連結杆１６３の所定の位置に、第４連結部材５０２の前後脚連結杆嵌合部５２０が嵌合されて固定される。同様に、左側の第２取付部材６０の第３連結部材６００と第４連結部材６０２とが、ボルト６２６，６２８，６３０，６３２とナット６２７，６２９，６３１，６３３とによって締め付けられ、椅子１０１の前後脚連結杆１６１の所定の位置に、第４連結部材６０２の前後脚連結杆嵌合部６２０が嵌合されて固定される。
【０１８５】
次に、梶棒２Ａ及び梶棒２Ｂを、第１取付部材３０及び第１取付部材４０並びに第２取付部材５０及び第２取付部材６０に取り付ける手順について説明する。
先ず、梶棒２Ｂが、保護部９０３が設けられた側から、第１取付部材３０の梶棒用杆体挿通部３１０および第２取付部材５０の梶棒用杆体挿通部５１０に挿通される。その後、位置決めピン３０４が、上方から、軸心が同一軸上に形成されている梶棒用杆体挿通部３１０の上下一対の貫通孔３４０，３４２と杆体２１の上下一対の貫通孔２６ａ，２６ｂとに差し込まれて挿通される。そして、位置決めピン３０４の円環状頭部３０４ａが貫通孔３４０で係止されることによって、第１取付部材３０の梶棒用杆体挿通部３１０に梶棒１Ａが位置決めされて容易に固定される。
第２取付部材５０の第３連結部材５００及び第４連結部材５０２と、第２取付部材６０の第３連結部材６００及び第４連結部材６０２とは、同じ高さ位置及び前後位置で、前後脚連結杆１６３及び前後脚連結杆１６１に取り付けられる。
【０１８６】
同様に、梶棒２Ａが、保護部９０１が設けられた側から、第１取付部材４０の梶棒用杆体挿通部４１０および第２取付部材６０の梶棒用杆体挿通部６１０に挿通される。その後、位置決めピン４０４が、上方から、軸心が同一軸上に形成されている梶棒用杆体挿通部４１０の上下一対の貫通孔４４０，４４２と杆体１１の上下一対の貫通孔１６ａ，１６ｂとに差し込まれて挿通される。そして、位置決めピン４０４の円環状頭部４０４ａが貫通孔４４０で係止されることによって、第１取付部材４０の梶棒用杆体挿通部４１０に梶棒２Ａが位置決めされて容易に固定される。
【０１８７】
図２５は、人引き車輪付き椅子２の利用状態を示す説明図である。椅子１０１を牽引する人２００は、椅子１０１の座部１１１に運搬される人２０２を座らせた状態で、左右一対の梶棒２Ａと梶棒２Ｂとの間の領域に入り、握り部１３，２３を手で掴んで、左側の車輪１４１及び右側の車輪１４３を接地させ、且つ、左側の前脚部１０３及び右側の前脚部１０５の下部を接地面より浮かせた状態で、前に進むことにより、災害時などの緊急避難時の椅子１０１の走行移動、あるいは、砂利道などの不整地や登り坂での椅子１０１の走行移動を補助することができる。
牽引する人２００が椅子１０１を引くときに補助するために、梶棒２Ａと梶棒２Ｂとの間にベルトが架け渡されてもよい。
ベルトは、梶棒２Ａに取付けられたベルト片と梶棒２Ｂに取付けられたベルト片とを、ベルト片の先端に取付けられた連結具とベルト片の先端に取付けられた連結具とに係合して連結されるように構成されている。
牽引する人２００は、ベルトを腹部に宛がい、椅子１０１を前方に引く。
【０１８８】
（ｂ）梶棒を椅子から取り外す手順
次に、梶棒２Ａ及び梶棒２Ｂを椅子１０１から取り外す手順について説明する。
位置決めピン３０４が、梶棒用杆体挿通部３１０の上下一対の貫通孔３４０，３４２と杆体２１の上下一対の貫通孔２６ａ，２６ｂから抜き取られ、梶棒２Ｂの位置決めが解除される。従って、梶棒２Ｂは、第１取付部材３０の梶棒用杆体挿通部３１０および第２取付部材５０の梶棒用杆体挿通部５１０から引き抜くことが可能となり、梶棒２Ｂが椅子１０１から容易に取り外される。
【０１８９】
同様に、位置決めピン４０４が、梶棒用杆体挿通部４１０の上下一対の貫通孔４４０，４４２と杆体１１の上下一対の貫通孔１６ａ，１６ｂから抜き取られ、梶棒２Ａの位置決めが解除される。従って、梶棒２Ａは、第１取付部材４０の梶棒用杆体挿通部４１０および第２取付部材６０の梶棒用杆体挿通部６１０から引き抜くことが可能となり、梶棒２Ａが椅子１０１から容易に取り外される。
【０１９０】
（ｃ）梶棒の角度を変える手順
次に、梶棒２Ａ及び梶棒２Ｂの角度を変更する手順について説明する。椅子１０１を牽引する人２００の体型によっては、梶棒２Ａ及び梶棒２Ｂの角度を変更する必要があるからである。
【０１９１】
図２５は、梶棒２Ｂの角度を変更する手順を示す斜視図である。図２７は、第１取付部材３０の第１連結部材３００と第２連結部材３０２との位置関係を示す模式図である。図２８は、第２取付部材５０の第３連結部材５００と第４連結部材５０２との位置関係を示す模式図である。例えば、椅子１０１を牽引する人２００の体型が大きい場合は、図２６に示すように、梶棒２Ａ及び梶棒２Ｂの角度を大きくする必要がある。
【０１９２】
つまり、梶棒２Ｂの角度を大きくするときは、第１取付部材３０のボルト３２６，３２８，３３０，３３２とナット３２７，３２９，３３１，３３３とが緩められると共に、第２取付部材５０のボルト５２６，５２８，５３０，５３２とナット５２７，５２９，５３１，５３３とが緩められる。
【０１９３】
次に、第１取付部材３０の第１連結部材３００が第２連結部材３０２に対して時計回り方向（図２６（Ａ）図示方向）に所定の角度だけ回動する。その時、図２７（Ｂ）に示すように、ボルト３２６，３２８，３３０，３３２の位置が、第１連結部材３００の可動域規制長孔３１２，３１４と第２連結部材３０２の可動域規制長孔３２２，３２４とが重なり合っている範囲Ｒ１，Ｒ２，Ｒ３，Ｒ４内で若干移動する。同様に、第２取付部材５０の第３連結部材５００が第４連結部材５０２に対して時計回り方向（図２６（Ｂ）図示方向）に所定の角度だけ回動する。その時、図２８（Ｂ）に示すように、ボルト５２６，５２８，５３０，５３２の位置が、第３連結部材５００の可動域規制長孔５１２，５１４と第４連結部材５０２の可動域規制長孔５２２，５２４とが重なり合っている範囲Ｒ５，Ｒ６内で若干移動する。
【０１９４】
その後、第１取付部材３０のボルト３２６，３２８，３３０，３３２とナット３２７，３２９，３３１，３３３とが締め付けられると共に、第２取付部材５０のボルト５２６，５２８，５３０，５３２とナット５２７，５２９，５３１，５３３とが締め付けられる。この結果、第１取付部材３０，５０の梶棒用杆体挿通部３１０，５１０の延在方向の角度が大きくなり、梶棒２Ｂの角度を大きくすることができる。同様の手順によって、梶棒２Ａの角度も大きくすることができる。
【０１９５】
また、椅子１０１を牽引する人２００の体型が小さい場合は、梶棒２Ａ及び梶棒２Ｂの角度を小さくする必要がある。梶棒２Ｂの角度を大きくするときは、第１取付部材３０のボルト３２６，３２８，３３０，３３２とナット３２７，３２９，３３１，３３３とが緩められると共に、第２取付部材５０のボルト５２６，５２８，５３０，５３２とナット５２７，５２９，５３１，５３３とが緩められる。
【０１９６】
次に、第１取付部材３０の第１連結部材３００が第２連結部材３０２に対して反時計回り方向（図２６（Ａ）図示方向とは逆方向）に所定の角度だけ回動する。その時、図２７（Ｃ）に示すように、ボルト３２６，３２８，３３０，３３２の位置が、第１連結部材３００の可動域規制長孔３１２，３１４と第２連結部材３０２の可動域規制長孔３２２，３２４とが重なり合っている範囲Ｒ１，Ｒ２，Ｒ３，Ｒ４内で若干移動する。同様に、第２取付部材５０の第３連結部材５００が第４連結部材５０２に対して反時計回り方向（図２６（Ｂ）図示方向とは逆方向）に所定の角度だけ回動する。その時、図２８（Ｃ）に示すように、ボルト５２６，５２８，５３０，５３２の位置が、第３連結部材５００の可動域規制長孔５１２，５１４と第４連結部材５０２の可動域規制長孔５２２，５２４とが重なり合っている範囲Ｒ５，Ｒ６内で若干移動する。
【０１９７】
その後、第１取付部材３０のボルト３２６，３２８，３３０，３３２とナット３２７，３２９，３３１，３３３とが締め付けられると共に、第２取付部材５０のボルト５２６，５２８，５３０，５３２とナット５２７，５２９，５３１，５３３とが締め付けられる。この結果、第１取付部材３０，５０の梶棒用杆体挿通部３１０，５１０の延在方向の角度が小さくなり、梶棒２Ｂの角度を小さくすることができる。同様の手順によって、梶棒２Ａの角度も小さくすることができる。
【０１９８】
３．第２の実施の形態の効果
（ａ）梶棒２Ａ及び梶棒２Ｂに位置決めピン３０４，４０４を挿通するように構成されているため、位置決めピンの抜き差しだけで、梶棒２Ａ及び梶棒２Ｂを椅子１０１へ容易に脱着することができる。
【０１９９】
（ｂ）また、第１取付部材３０，４０の第１連結部材３００，４００が、梶棒２Ａ，２Ｂに取り付けられ、一対の第１取付部材３０，４０を結ぶ軸Ｑ１１を回動軸として、梶棒２Ａ，２Ｂと共に回動可能であるように構成されている。そして、第２取付部材５０，６０の第３連結部材５００，６００が、梶棒２Ａ，２Ｂに取り付けられ、一対の第２取付部材５０，６０を結ぶ軸Ｑ１２を回動軸として、梶棒２Ａ，２Ｂと共に回動可能であるように構成されている。この結果、梶棒２Ａ，２Ｂの角度設定を容易に行うことができる。
【０２００】
（ｃ）さらに、第１取付部材３０，４０に加えて第２取付部材５０，６０でも梶棒２Ａ，２Ｂを保持して、梶棒２Ａ，２Ｂを２点支持しているので、１点支持の場合よりも、椅子１０１の前脚側をより安定して持ち上げることができ、且つ、支持強度も高くすることができる。
【０２０１】
この発明は、前記実施の形態に限定されず、この発明の思想に基づき種々変更することができる。例えば、左右一対の梶棒２Ａ，２Ｂは、椅子１０１の左右の前脚部１０３，１０５および左右の前後脚連結杆１６１，１６３の外側でなく、内側（座部１１０側）に取り付けてもよい。この場合、例えば、第１取付部材３０，４０の第１連結部材３００，４００と第２連結部材３０２，４０２の配置は交替し、第１連結部材３００，４００が座部側に配置され、第２連結部材３０２，４０２が外側に配置されることになる。
【０２０２】
また、図２９に示すように、牽引する人２００が人引き車輪付き椅子１を引くときに補助するために、梶棒１Ａと梶棒１Ｂとの間に横バー７００が架け渡されてもよい。横バー７００の横断面の形状は、中央部が凸状に湾曲している略半円形状のパイプである。横バー７００の左側の端部７０２及び右側の端部７０４は、プレス加工などによって押しつぶされて板状になっている。さらに、左側の端部７０２及び右側の端部７０４は、それぞれ引張り側に切欠き７０３及び切欠き７０５が形成されている。
【０２０３】
一方、梶棒１Ａの握り部１２の近傍及び梶棒１Ｂの握り部２２の近傍の上部には、椅子１の中心線Ｃに対して対称の位置に、図３０（Ｂ）に示すように、それぞれ埋め込みナット７１０が埋め込まれ、溶接されて固定されている。さらに、梶棒１Ａには、埋め込みナット７１０が埋め込まれた位置から椅子側に、横バー７００の切欠き７０３と切欠き７０５との間の寸法だけ離れた位置にも、埋め込みナット７１０が埋め込まれ、溶接されて固定されている。そして、横バー７００を使用する場合には、梶棒１Ａの握り部１２の近傍及び梶棒１Ｂの握り部２２の近傍に設けられた埋め込みナット７１０に、それぞれ蝶ボルト７０６及び蝶ボルト７０８が緩く螺着される。
【０２０４】
図３０（Ａ）に示すように、横バー７００は、梶棒１Ａと梶棒１Ｂの上側に、梶棒１Ａ及び梶棒１Ｂと直交し、且つ、切欠き７０３及び切欠き７０５が引張り側になるように配置された後、切欠き７０３及び切欠き７０５が蝶ボルト７０６及び蝶ボルト７０８に当たって係止されるまで、横バー７００を引張り側に移動させる。その後、切欠き７０３及び切欠き７０５が蝶ボルト７０６及び蝶ボルト７０８に係止した状態で、蝶ボルト７０６及び蝶ボルト７０８が締め付けられ、横バー７００が固定される。
【０２０５】
横バー７００を使用しない場合には、梶棒１Ａに設けられた２個の埋め込みナット７１０に、それぞれ蝶ボルト７０６及び蝶ボルト７０８が螺着された後、横バー７００の切欠き７０３及び切欠き７０５が蝶ボルト７０６及び蝶ボルト７０８に係止した状態で、蝶ボルト７０６及び蝶ボルト７０８が締め付けられ、横バー７００が固定される。
【０２０６】
あるいは、図３１に示すように、横バー７００の左側の端部７０２及び右側の端部７０４にねじ用孔（図示せず）を予め形成しておき、ねじ７１２及びねじ７１４をそのねじ用孔を挿通させた後、梶棒１Ａ及び梶棒１Ｂのそれぞれの上部に予め形成したねじ孔（図示せず）に螺着させることによって、梶棒１Ａと梶棒１Ｂとの間に横バー７００を取り付けてもよい。
【０２０７】
図３２に示すように、牽引する人２００は、横バー７００を腹部に宛がい、人引き車輪付き椅子１を前方に容易に引くことができる。
【０２０８】
また、図３３は、第１の実施の形態の変形例を示す説明図である。右側の第１取付部材２９は右側の車輪取付板１７２に設けられ、左側の第１取付部材３９は左側の車輪取付板１７０に設けられている。右側の第２取付部材４９は、右側の座部連結杆１５６と前後脚連結杆１６２との間に架け渡されて、前脚部１０４の近傍の位置に取付けられた梶棒角度位置決め孔形成板８１０に設けられている。同様に、左側の第２取付部材５９は、左側の座部連結杆１５４と前後脚連結杆１６０との間に架け渡されて、前脚部１０２の近傍の位置に取付けられた梶棒角度位置決め孔形成板（図示せず）に設けられている。
この変形例の人引き車輪付き椅子は、座部１１０の幅方向の中心部を通って、座部１１０及び背もたれ部１２６の中心部を含む面に対して、面対称である。
【０２０９】
右側の車輪取付板１７２には、車輪軸孔１７６から右側の前脚部１０４の側に所定の距離離れた位置に梶棒取付孔２１２が穿設されている。梶棒角度位置決め孔形成板８１０には、右側の車輪取付板１７２に穿設された梶棒取付孔２１２を中心にして半径ｒの円弧上に等間隔で一連の梶棒角度位置決め孔１８０ａ〜１８０ｄが穿設されている。
【０２１０】
右側の梶棒１Ｂの杆体２０は、その中央付近において、左右一対の角度決め孔２８ａ及び角度決め孔２８ｂが、杆体２０の外周面の左側および右側に形成されている。角度決め孔２８ａ及び角度決め孔２８ｂは、それぞれの軸心が同一軸上に形成されている。杆体２０の握り部２２とは反対側の端部付近には、椅子取付孔２４が形成されている。
【０２１１】
右側の第１取付部材２９は、梶棒１Ｂの杆体２０の椅子取付孔２４を挿通するように構成され、且つ、蝶ナット２９２の螺着によって梶棒１Ｂの杆体２０を着脱するように構成されている。右側の第１取付部材２９を構成するボルト（第１連結部材）２９０と蝶ナット（第２連結部材）２９２とは、椅子１００の右側の車輪取付板１７２を間に挟んで連結されている。
【０２１２】
右側の第１取付部材２９は、右側の梶棒１Ｂを回転させて、梶棒１Ｂと水平面とのなす角度を変更するように構成されている。すなわち、右側の梶棒１Ｂは、右側の第１取付部材２９のボルト（第１連結部材）２９０を中心軸にして回動され、梶棒１Ｂと水平面とのなす角度を変更する。
【０２１３】
右側の第２取付部材４９は、杆体２０の中央付近に位置し、椅子１００の梶棒角度位置決め孔形成板８１０に接合するように構成されたボルト（第３連結部材）４９０及び蝶ナット（第４連結部材）４９２により構成されている。
【０２１４】
右側の第２取付部材４９は、ボルト（第３連結部材）４９０および蝶ナット（第４連結部材）４９２の取付位置を、椅子１００の梶棒角度位置決め孔形成板８１０に穿設した一連の梶棒角度位置決め孔１８０ａ〜１８０ｄに合わせて変えることにより梶棒１Ｂを回転させて、梶棒１Ｂと水平面とのなす角度を変更するように構成されている。
左側の梶棒１Ａ、左側の第１取付部材３９及び左側の第２取付部材５９も、それぞれ前記右側の梶棒１Ｂ、前記右側の第１取付部材２９及び右側の第２取付部材４９と同様の構造を有している。
【０２１５】
また、図３４〜図３６は第２の実施の形態の変形例を示す。図３４は、第２の実施の形態の一の第１取付部材の変形例を外側から見た斜視図である。図３５は、図３４の一の第１取付部材の変形例を示す分解斜視図である。図３６は、第２の実施の形態の他の第１取付部材の変形例を外側から見た斜視図である。
この変形例の人引き車輪付き椅子は、座部１１１の幅方向の中心部を通って、座部１１１及び背もたれ部１２７の中心部を含む面に対して、面対称である。
【０２１６】
この変形例は、右側の第１取付部材３０の位置決めピン３０４を梶棒２Ｂに挿通して梶棒２Ｂの位置決め（固定）をする替りに、位置決めねじ３６０、位置決めねじ３６２、位置決めねじ３６４及び位置決めねじ３６６で梶棒１Ｂの外周面を締め付けて位置決め（固定）をする。同様に、左側の第１取付部材４０の位置決めピン４０４を梶棒２Ａに挿通して梶棒２Ａの位置決め（固定）をする替りに、位置決めねじ４６０、位置決めねじ４６２、位置決めねじ４６４及び位置決めねじ４６６で梶棒１Ａの外周面を締め付けて位置決め（固定）をする。梶棒１Ａ及び梶棒１Ｂの椅子取付部１５及び椅子取付部２５には、孔は形成されていない。
【０２１７】
右側の第１取付部材３０は、第１連結部材３００と、第２連結部材３０２と、位置決めねじ３６０、位置決めねじ３６２、位置決めねじ３６４及び位置決めねじ３６６と、４セットのボルト３２６，３２８，３３０，３３２とナット３２７，３２９，３３１，３３３とで構成されている。
【０２１８】
さらに、梶棒用杆体挿通部３１０の外周面の上部および下部には、位置決めねじ３６０、位置決めねじ３６２、位置決めねじ３６４及び位置決めねじ３６６を螺着するためのねじ孔３５０、ねじ孔３５２、ねじ孔３５４及びねじ孔３５６が形成されている。上下一対のねじ孔３５０とねじ孔３５２とは、軸心が同一軸上になるように形成されている。上下一対のねじ孔３５４とねじ孔３５６とは、軸心が同一軸上になるように形成されている。
【０２１９】
ねじ孔３５０、ねじ孔３５２、ねじ孔３５４及びねじ孔３５６に螺着された位置決めねじ３６０、位置決めねじ３６２、位置決めねじ３６４及び位置決めねじ３６６を締め付けると、位置決めねじ３６０、位置決めねじ３６２、位置決めねじ３６４及び位置決めねじ３６６の先端部が梶棒２Ｂの外周面に当接して、梶棒用杆体挿通部３１０（第１連結部材３００）に梶棒２Ｂが位置決めされる。
【０２２０】
左側の第１取付部材４０は、第１連結部材４００と、第２連結部材４０２と、位置決めねじ４６０、位置決めねじ４６２、位置決めねじ４６４及び位置決めねじ４６６と、４セットのボルト４２６，４２８，４３０，４３２とナット４２７，４２９，４３１，４３３とで構成されている。
【０２２１】
さらに、梶棒用杆体挿通部４１０の外周面の上部および下部には、位置決めねじ４６０、位置決めねじ４６２、位置決めねじ４６４及び位置決めねじ４６６を螺着するためのねじ孔４５０、ねじ孔４５２、ねじ孔４５４及びねじ孔４５６が形成されている。上下一対のねじ孔４５０とねじ孔４５２とは、軸心が同一軸上になるように形成されている。上下一対のねじ孔４５４とねじ孔４５６とは、軸心が同一軸上になるように形成されている。
【０２２２】
ねじ孔４５０、ねじ孔４５２、ねじ孔４５４及びねじ孔４５６に螺着された位置決めねじ４６０、位置決めねじ４６２、位置決めねじ４６４及び位置決めねじ４６６を締め付けると、位置決めねじ４６０、位置決めねじ４６２、位置決めねじ４６４及び位置決めねじ４６６の先端部が梶棒２Ａの外周面に当接して、梶棒用杆体挿通部４１０（第１連結部材４００）に梶棒２Ａが位置決めされる。
【０２２３】
［第３の実施の形態］
１．人引き車輪付き椅子の構成
図３７は、人引き車輪付き椅子３を示す斜視図である。人引き車輪付き椅子３は、椅子１０１と、左側の車輪（タイヤ）１４１及び右側の車輪（タイヤ）１４３と、左側の梶棒１００２Ａ及び右側の梶棒１００２Ｂと、左側の第１取付部（以下、第１取付部材とも称する）３１及び右側の第１取付部（第１取付部材）４１と、左側の第２取付部（以下、第２取付部材とも称する）５１及び右側の第２取付部（第２取付部材）６１とを備えている。
【０２２４】
椅子１０１は、左側の前脚部１０３及び右側の前脚部１０５と、座部１１１と、左側の肘掛け部１１７及び右側の肘掛け部１１９と、背もたれ部１２７と、左側の後脚部１２９及び右側の後脚部１３１と、左側のグリップ１３３及び右側のグリップ１３５と、前脚連結杆１５１及び後脚連結杆１５３と、左側の座部連結杆１５５及び右側の座部連結杆１５７と、左側の前後脚連結杆１６１及び右側の前後脚連結杆１６３とを備えている。
【０２２５】
左側の前脚部１０３及び右側の前脚部１０５と、左側の肘掛け部１１７及び右側の肘掛け部１１９と、左側の後脚部１２９及び右側の後脚部１３１と、前脚連結杆１５１及び後脚連結杆１５３と、左側の座部支持材１５５及び右側の座部支持材１５７と、左側の前後脚連結杆１６１及び右側の前後脚連結杆１６３とは、横断面の形状が円形で軽量の金属製パイプが使用されている。従って、市販の車椅子を利用する場合に比べて、椅子１０１を構成する部材の部材点数を少なくすることができ、椅子１０１の軽量化が図られ、椅子１０１を速く移動させることができる。
椅子１０１は、座部１１１の幅方向の中心部を通って、座部１１１及び背もたれ部１２７の中心部を含む面に対して、面対称である。
【０２２６】
左側の前脚部１０３及び右側の前脚部１０５は、それぞれ椅子１０１の前側に垂延して配置されている。左側の肘掛け部１１７及び右側の肘掛け部１１９は、それぞれ椅子１０１を利用する人が肘を付くためのものであり、左側の前脚部１０３及び右側の前脚部１０５の上部から水平に延在して、その端部は左側の後脚部１２９及び右側の後脚部１３１に溶接などで接合されている。
【０２２７】
左側の前脚部１０３は、垂直にのびる脚部、又は接地部が斜め前に傾斜した、斜めにのびる脚部を構成している。
右側の前脚部１０５は、垂直にのびる脚部、又は接地部が斜め前に傾斜した、斜めにのびる脚部を構成している。
【０２２８】
左側の後脚部１２９及び右側の後脚部１３１は、それぞれ椅子１０１の後側に垂延して配置されている。左側の後脚部１２９と右側の後脚部１３１との間には背もたれ部１２７が架け渡され、椅子１０１を利用する人が背もたれできるようになっている。背もたれ部１２７は、前記第１の実施の形態で説明した背もたれ部１２６と同様の構成を有している。左側の後脚部１２９及び右側の後脚部１３１の上端部には、それぞれ左側のグリップ１３３及び右側のグリップ１３５が設けられている。グリップ１３３及びグリップ１３５は、人が椅子１０１の後側から前脚部１０３及び前脚部１０５を地面から浮かせた状態で、椅子１０１を押して移動する際に利用される。
【０２２９】
さらに、左側の後脚部１２９及び右側の後脚部１３１は、それぞれ左側の肘掛け部１１７及び右側の肘掛け部１１９が接合している位置から下方に延びているけれども、その長さ寸法は、左側の前脚部１０３及び右側の前脚部１０５の長さより短い。すなわち、椅子１０１の座部１１１を水平に維持した状態では、前脚部１０３，１０５の下端が地面に接地していても、後脚部１２９，１３１の下端は地面から相当離れて浮いている。
【０２３０】
左側の座部連結杆１５５及び右側の座部連結杆１５７は、それぞれ左側の前脚部１０３と左側の後脚部１２９との間、並びに、右側の前脚部１０５と右側の後脚部１３１との間に架け渡され溶接などで固定されている。左側の座部連結杆１５５及び右側の座部連結杆１５７は、椅子１０１を利用する人が着座し易い同じ高さの位置に水平に並置されている。左側の座部連結杆１５５及び右側の座部連結杆１５７の高さは、座部１１１の位置が左側の車輪１４１及び右側の車輪１４３の上部より高くなるように、左側の車輪１４１及び右側の車輪１４３の直径より大きくなるように設定されている。椅子１０１を利用する人及び運搬される人が着座したとき、その人の腕などが椅子１０１と車輪１４０及び車輪１４２との間に挟まれないようにするためである。
【０２３１】
座部１１１は、椅子１０１を利用する人及び運搬される人が着座するためのものであり、肘掛け部１１７と肘掛け部１１９との間に配置されている。座部１１１は、座部連結杆１５５及び座部連結杆１５７上に載置されている。
【０２３２】
左側の前後脚連結杆１６１は、座部１１１の下方において、左側の前脚部１０３と左側の後脚部１２９との間に架け渡され溶接などで固定されている。並びに、右側の前後脚連結杆１６３は、座部１１１の下方において、右側の前脚部１０５と右側の後脚部１３１との間に架け渡され溶接などで固定されている。左側の前後脚連結杆１６１の後脚部１２９側の端部は、後脚部１２９の下端部１２９ａ側に固定されている。右側の前後脚連結杆１６３の後脚部１３１側の端部は、後脚部１３１の下端部１３１ａ側に固定されている。
左側の前後脚連結杆１６１及び右側の前後脚連結杆１６３は、同じ高さの位置に水平に並置されている。
【０２３３】
左側の前脚部１０３の前後脚連結杆１６１との接合部及び右側の前脚部１０５の前後脚連結杆１６３との接合部の下方の位置には、前脚連結杆１５１が左側の前脚部１０３と右側の前脚部１０５との間に配置されている。
【０２３４】
左側の後脚部１２９の前後脚連結杆１６１との接合部及び右側の後脚部１３１の前後脚連結杆１６３との接合部の下方の位置には、後脚連結杆１５３が左側の後脚部１２９と右側の後脚部１３１との間に配置されている。後脚連結杆１５３の両端部は、左側の後脚部１２９の下端部１２９ａおよび後脚部１３１の下端部１３１ａ側の近傍に固定されている。
【０２３５】
左側の後脚部１２９の前後脚連結杆１６１との接合部及び右側の後脚部１３１の前後脚連結杆１６３との接合部の下方の位置には、後脚連結杆１５３が左側の後脚部１２９と右側の後脚部１３１との間に配置されている。後脚連結杆１５３の両端部は、左側の後脚部１２９の下端部１２９ａおよび後脚部１３１の下端部１３１ａ側の近傍に固定されている。
左側の前脚部１０３と右側の前脚部１０５とは平行で同じ長さである。左側の肘掛け部１１７及び右側の肘掛け部１１９とは平行で同じ長さである。左側の後脚部１２９と右側の後脚部１３１とは平行で同じ長さである。前脚連結杆１５１と後脚連結杆１５３とは平行で同じ長さである。左側の前後脚連結杆１６１と右側の前後脚連結杆１６３とは平行で同じ長さである。
【０２３６】
さらに、左側の後脚部１２９の下端部１２９ａの外周面の左部には、左側の車輪（タイヤ）１４１の回転軸１４１ａを嵌合固定するための嵌合孔８００が形成されている。嵌合孔８００は、孔の中心軸が椅子１０１の左右方向に平行になるように形成されている。右側の後脚部１３１の下端部１３１ａの外周面の右部には、右側の車輪（タイヤ）１４３の回転軸１４３ａを嵌合固定するための嵌合孔８０２が形成されている。嵌合孔８０２は、孔の中心軸が椅子１０１の左右方向に平行になるように形成されている。嵌合孔８００と嵌合孔８０２とは、それぞれの軸心が車輪取付軸Ｑ１上に形成されている。
【０２３７】
左側の車輪１４１と右側の車輪１４３は、椅子１０１を中心にして左右対称であり、互いに独立して回転する構造である。左側の車輪１４１及び右側の車輪１４３は、それぞれ左側の後脚部１２９の下端部１２９ａに形成された嵌合孔８００及び右側の後脚部１３１の下端部１３１ａに形成された嵌合孔８０２を利用して椅子１０１に取り付けられている。
【０２３８】
すなわち、左側の車輪１４１は、その中央に設けられた回転軸１４１ａを、左側の後脚部１２９の下端部１２９ａに形成している嵌合孔８００に嵌合固定することによって、椅子１０１に取り付けられている。右側の車輪１４３は、その中央に設けられた回転軸１４３ａを、右側の後脚部１３１の下端部１３１ａに形成している嵌合孔８０２に嵌合固定することによって、椅子１０１に取り付けられている。回転軸１４１ａ及び回転軸１４３ａの軸方向は、水平面に平行で、且つ、椅子１０１の引張り側と椅子側とを結ぶ方向に対して直交する方向である。
左右の車輪１４１及び車輪１４３の回転軸１４１ａ及び回転軸１４３ａの中心は、車輪取付軸Ｑ１に一致する。
【０２３９】
こうして、左側の車輪１４１と右側の車輪１４３は、それぞれ左側の後脚部１２９と右側の後脚部１３１の外側に回転自在に固定されている。左側の車輪１４１と右側の車輪１４３とは正面視平行で、左側の車輪１４１及び右側の車輪１４３の下部が、左側の後脚部１２９の下端部１２９ａ及び右側の後脚部１３１の下端部１３１ａより下方に位置し、回転するように構成されている。
【０２４０】
また、図３８は人引き車輪付き椅子３の変形例を示す図であり、左右の車輪１４１及び車輪１４３を椅子１０１に取り付ける構造が異なる。
左右の車輪１４１及び車輪１４３は、それぞれ回転軸１４１ａに設けられた嵌合支持部材８０４及び回転軸１４３ａに設けられた嵌合支持部材８０６を利用して椅子１０１に取り付けられている。
すなわち、左側の車輪１４１は、左側の後脚部１２９の下端部１２９ａを、上方に開口を有するパイプ状の嵌合支持部材８０４に挿入して嵌合固定することによって、椅子１０１に取り付けられている。右側の車輪１４３は、右側の後脚部１３１の下端部１３１ａを、上方に開口を有するパイプ状の嵌合支持部材８０６に挿入して嵌合固定することによって、椅子１０１に取り付けられている。回転軸１４１ａ及び回転軸１４３ａの軸方向は、水平面に平行で、且つ、椅子１０１の引張り側と椅子側とを結ぶ方向に対して直交する方向である。
左右の車輪１４１及び車輪１４３の回転軸１４１ａ及び回転軸１４３ａの中心は、車輪取付軸Ｑ１に一致する。
【０２４１】
次に、図３９を参照して、左側の梶棒１００２Ａ及び右側の梶棒１００２Ｂと、左側の第１取付部材３１及び右側の第１取付部材４１と、左側の第２取付部材５１及び右側の第２取付部材６１とを説明する。
前記梶棒１００２Ａ及び梶棒１００２Ｂは、椅子１０１を引っ張るためのものである。左側の第１取付部材３１及び右側の第１取付部材４１は、椅子１０１の左右の前脚部１０３及び前脚部１０５、および、左右の後脚部１２９及び後脚部１３１の少なくとも何れかに、前記梶棒１００２Ａ及び梶棒１００２Ｂを着脱自在に取り付けるためのものである。
【０２４２】
左側の梶棒１００２Ａと右側の梶棒１００２Ｂとは、同様の形状およびサイズを有している。左側の梶棒１００２Ａ及び右側の梶棒１００２Ｂは、握り部１０１３及び握り部１０２３が杆体１０１１及び杆体１０２１の一端部に形成され、且つ、椅子取付部１５及び椅子取付部２５が杆体１０１１及び杆体１０２１に他端側に形成されている。
【０２４３】
梶棒１００２Aは、前脚部１０３に延び、及び梶棒１００２Bは、前脚部１０５に延びる。
梶棒１００２Aの杆体１０１１及び梶棒１００２Bの杆体１０２１は、その他端部（椅子側の端部）が、枢軸支持部１５１０及び枢軸支持部１６１０を設けられている。
枢軸１５１２及び枢軸１６１２との設置面との間の距離は、一定である。
【０２４４】
左側の第１取付部材３１及び右側の第１取付部材４１は、前記梶棒１００２Ａ及び梶棒１００２Ｂの杆体１０１１及び杆体１０２１の椅子取付部１５及び椅子取付部２５を挿通するように構成され、且つ、位置決めピン３０４及び位置決めピン４０４の抜き差し、または、位置決めねじ３６０、位置決めねじ３６２、位置決めねじ３６４、位置決めねじ３６６、位置決めねじ４６０、位置決めねじ４６２、位置決めねじ４６４及び位置決めねじ４６６の締め付けによって前記梶棒の杆体を脱着するように構成され、それらによって前記梶棒１００２Ａ及び梶棒１００２Ｂの杆体１０１１及び杆体１０２１を着脱するように構成されている。
左側の第１取付部材３１及び右側の第１取付部材４１は、椅子１０１の左右の前脚部１０３及び前脚部１０５、および、左右の前後脚連結杆１６１及び前後脚連結杆１６３の少なくとも何れかに接合するように構成された第１連結部材１３００及び第１連結部材１４００、並びに、椅子１０１の左右の前脚部１０３及び前脚部１０５、および、左右の前後脚連結杆１６１及び前後脚連結杆１６３の少なくとも何れかに接合するように構成された第２連結部材１３０２及び第２連結部材１４０２により構成されている。
【０２４５】
第１連結部材１３００及び第１連結部材１４００と第２連結部材１３０２及び第２連結部材１４０２とは、椅子１０１の左右の前脚部１０３及び前脚部１０５、および、左右の前後脚連結杆１６１及び前後脚連結杆１６３の少なくとも何れかを間に挟んで連結されている。
【０２４６】
左側の第１取付部材３１及び右側の第１取付部材４１は、第１連結部材１３００及び／または第２連結部材１３０２並びに第１連結部材１４００及び／または第２連結部材１４０２を相対回転させて、左側の梶棒１００２Ａと右側の梶棒１００２Ｂを回転させて、梶棒１００２Ａ及び梶棒１００２Ｂと水平面とのなす角度を変更するように構成されている。
【０２４７】
人引き車輪付き椅子３は、椅子１０１の左右の前後脚連結杆１６１及び前後脚連結杆１６３に着脱自在に取り付け可能である、前記梶棒１００２Ａ及び梶棒１００２Ｂの杆体１０１１及び杆体１０２１を支えるための左側の第２取付部材５１及び右側の第２取付部材６１を、更に備える。
【０２４８】
左側の第２取付部材５１及び右側の第２取付部材６１は、杆体１０１１及び杆体１０２１の他端部に位置する。
左側の第１取付部材３１及び右側の第１取付部材４１は、杆体１０１１及び杆体１０２１の握り部１０１３及び握り部１０２３と左側の第２取付部材５１及び右側の第２取付部材６１との間に位置する。
左側の第２取付部材５１は、椅子１０１の左の前後脚連結杆１６１に接合するように構成された前後脚連結杆１５０、及び右側の第２取付部材６１は、椅子１０１の右の前後脚連結杆１６３に接合するように構成された第３連結部材１６００、並びに、前記椅子１０１の左の前後脚連結杆１６１に接合するように構成された第４連結部材１５０２、及び椅子１０１の右の前後脚連結杆１６３に接合するように構成された第４連結部材１６０２により構成されている。
【０２４９】
左側の第２取付部材５１及び右側の第２取付部材６１は、第３連結部材１５００及び第３連結部材１６００、及び／または、第４連結部材１５０２及び第４連結部材１６０２を回転させて、梶棒１Ａ及び梶棒１Ｂと水平面とのなす角度を変更するように構成されている。
なお、左側の第２取付部材５１及び右側の第２取付部材６１は、人引き車輪付き椅子３の仕様によっては、省略される場合がある。
【０２５０】
（ａ）梶棒
左側の梶棒１００２Ａ及び右側の梶棒１００２Ｂは、杆体１０１１及び杆体１０２１と、握り部１０１３及び握り部１０２３と、椅子取付部１５及び椅子取付部２５と、握り部１０１３及び握り部１０２３とは反対側の先端に形成された枢支部とを備えている。アルミニウムなどからなる杆体１０１１及び杆体１０２１は、例えば１ｍ〜２ｍの長さを有し、軽量化と機械的強度アップのために横断面が円環形状のパイプである。左側の梶棒１００２Ａと右側の梶棒１００２Ｂとは、椅子１０１の幅すなわち座部１１１の幅より若干長い間隔をおいて、椅子１０１の左側と右側とに取り付けられている。
【０２５１】
略円筒形状の握り部１０１３及び握り部１０２３は、横断面が円環形状の杆体１０１１及び杆体１０２１の一端部（引張り側の端部）を覆うように設けられている。
【０２５２】
左側の梶棒１００２Ａの杆体１０１１は、その他端部（椅子側の端部）の枢支部が一方の（左側の）第２取付部材５１に回動自在に連結されている。
杆体１０１１は、その中央付近において、椅子取付部１５が形成され、杆体１０１１の握り部１０１３と第２取付部材５１との間の椅子取付部１５が、第１取付部材３１に挿入されて取り付けられている。
杆体１０１１の第１取付部材３１が配置されるべき位置には、位置決めピン４０４（後述）を挿通するための上下一対の貫通孔１６ａ，１６ｂが、杆体１０１１の外周面の上側および下側に形成されている。貫通孔１６ａ，１６ｂはそれぞれの軸心が同一軸上に形成されている。
【０２５３】
左側の梶棒１００２Ａの杆体１０１１は、左側の第１取付部材３１によって、椅子１０１の左側（外側）でかつ左側の車輪１４１の内側に配置されるように、左側の前脚部１０３に取り付けられている。
【０２５４】
右側の梶棒１００２Ｂの杆体１０２１は、その他端部（椅子側の端部）の枢支部が他方の（右側の）第２取付部材６１に回動自在に連結されている。
杆体１０２１は、その中央付近において、椅子取付部２５が形成され、杆体１０２１の握り部１０２３と第２取付部材６１との間の椅子取付部２５が、第１取付部材４１に挿入されて取り付けられている。
杆体１０２１の第１取付部材４１が配置されるべき位置には、位置決めピン３０４（後述）を挿通するための上下一対の貫通孔２６ａ，２６ｂが、杆体１０２１の外周面の上側および下側に形成されている。貫通孔２６ａ，２６ｂはそれぞれの軸心が同一軸上に形成されている。
【０２５５】
右側の梶棒１００２Ｂの杆体１０２１は、右側の第１取付部材４１によって、椅子１０１の右側（外側）でかつ右側の車輪１４３の内側に配置されるように、右側の前脚部１０５に取り付けられている。そして、右側の梶棒１００２Ｂは、左側の梶棒１００２Ａと平行関係にある。
【０２５６】
この梶棒１００２Ａ及び梶棒１００２Ｂは、使用の際には、予め椅子１０１に取り付けられた第１取付部材４１と第１取付部材３１とに挿通するだけで、椅子１０１に取り付けられる。
梶棒１００２Ａと梶棒１００２Ｂとは、椅子１０１の中心軸Ｃに対して線対称の位置関係になるように、椅子１０１に取り付けられる。
さらに、梶棒１００２Ａ及び梶棒１００２Ｂは、握り部１０１３，１０２３の側（引張り側）が上方になり、保護部９０１及び保護部９０３の側（椅子１０１の側）に向かって直線状に下がり傾斜の状態となるように、椅子１０１に取り付けられる。
（ｂ）俯仰角度調整機構
前記第１取付部材（第１取付部）３１及び第１取付部材（第１取付部）４１は、梶棒１００２Aの握り部１０１３及び梶棒１００２Bの握り部１０２３を上下に移動するための梶棒１００１A及び１００１Bの俯仰角度調整機構を備えている、
前記第２取付部材（第２取付部）５１及び第２取付部材（第２取付部）６１は、梶棒１００２Aの握り部１０１３及び梶棒１００２Bの握り部１０２３を上下に移動するための梶棒１００１A及び梶棒１００１Bの俯仰角度調整機構を備えている。
【０２５７】
梶棒１００２Ａの握り部１０１３及び梶棒１００２Bの握り部１０２３と椅子の接地面との間の距離を変化させる俯抑角度調整機構は、
前脚部１０３及び前脚部１０５寄りにおいて梶棒１００２Ａの握り部１０１３及び梶棒１００２Bの握り部１０２３寄りの領域を上下動自在に支持する第１取付部３１及び第１取付部４１と、前脚部より後脚部１２９、１３１寄りにおいて梶棒１００２Ａの握り部１０１３及び梶棒１００２Bの握り部１０２３とは反対側の他端側の領域を支持する第２取付部５１及び第２取付部６１とを備え、
車輪１４１及び車輪１４３を接地させ且つ前脚部１０３及び前脚部１０５の下部を接地面より浮かせた状態で、人が梶棒１００２Ａ及び梶棒１００２Bを前方に引くことができるように、第１取付部３１及び第１取付部４１において梶棒１００２Ａの握り部１０１３及び梶棒１００２Bの握り部１０２３寄りの領域を上下動させるように構成されている。
【０２５８】
俯抑角度調整機構は、この実施の形態においては、枢軸（枢軸１５１２）を中心に、梶棒（梶棒１００２Ａ  及び梶棒１００２Ｂ）を回転したとき、梶棒（梶棒１００２Ａ  及び梶棒１００２Ｂ）と椅子の設置面との間のなす角度（俯抑角）を決めるように構成されている。
【０２５９】
前記第１取付部材（第１取付部）３１及び第１取付部（第１取付部材）４１は、前記梶棒１００２Aの杆体１０１１の椅子取付部１５及び梶棒１００２Bの杆体１０２１の椅子取付部２５を挿通するように構成されている。
前記第１取付部材（第１取付部）３１及び第１取付部（第１取付部材）４１は、前記椅子１０１の前脚部１０３，前脚部１０５及び連結杆部の少なくとも何れかに接合するように構成された第１連結部材１３００及び第１連結部材１３０２並びに前脚部１０３，前脚部１０５及び連結杆部の少なくとも何れかに接合するように構成された第２連結部材１３０２及び第２連結部材１４０２により構成されている。
前記第１連結部材１３００及び第２連結部材１３０２と前記第１連結部材１４００及び第２連結部材１４０２とは、前脚部１０３，前脚部１０５及び連結杆部の少なくとも何れかを間にして連結されている。
前記第１取付部（第１取付部材３１）及び第１取付部（第１取付部材４１）は、梶棒１００２A及び梶棒１００２Bを回転させて梶棒１００２A及び梶棒１００２Bと水平面とのなす角度を変更し得るように構成されている。
【０２６０】
梶棒１００２Ａの握り部１０１３及び梶棒１００２Bの握り部１０２３と椅子の接地面との間の距離を変化させる俯抑角度調整機構は、前記椅子１０１の左右の後脚部１２９，後脚部１３１及び連結杆部の少なくとも何れかに接合するように構成され、且つ、前記梶棒１００２Aの杆体１０１１及び梶棒１００２Bの杆体１０２１を回転自在に支えるための左右一対の第２取付部材（第２取付部）５１及び第２取付部（第２取付部材）６１を、更に備える。
前記第２取付部材（第２取付部）５１及び第２取付部（第２取付部材）６１は、前記杆体１０１１及び杆体１０２１の他端部に位置する。
前記第１取付部材（第１取付部）３１及び第１取付部（第１取付部材）４１は、前記杆体１０１１及び杆体１０２１の前記握り部１０１３及び握り部１０２３と前記第２取付部材（第２取付部）５１及び第２取付部（第２取付部材）６１との間に位置している。
前記第２取付部材（第２取付部）５１及び第２取付部（第２取付部材）６１は、前記椅子１０１の前後脚連結杆１６１、前後脚連結杆１６３及び後脚部１２９，１３１の少なくとも何れかに接合するように構成された第３連結部材１５００及び第３連結部材１６００、並びに前記第３連結部材１５００及び第３連結部材１６００に固定され梶棒１００２Aの杆体１０１１及び梶棒１００２Bの杆体１０２１を回転自在に支持するように構成された第４連結部材１５０２及び第４連結部材１６０２により構成されている。
前記第２取付部材（第２取付部）５１及び第２取付部（第２取付部材）６１は、梶棒１００２A及び梶棒１００２Bを連結された部位を中心に回転させて梶棒１００２A及び梶棒１００２Bと水平面とのなす角度を変更し得るように構成されている。
【０２６１】
梶棒１００２Bの杆体１０２１は、その他端部（椅子側の端部）より引張り側の中間部が、第１連結部材１４００の梶棒用杆体挿通部４１０に挿通されている。
梶棒１００２Bは、引張り側が上下方向に回動するように、第１連結部材１４００に取り付けられる。
【０２６２】
梶棒１００２Aの杆体１０１１は、その他端部（椅子側の端部）より引張り側の中間部が、第１連結部材１３００の梶棒用杆体挿通部３１０に挿通されている。
梶棒１００２Ａは、引張り側が上下方向に回動するように、第１連結部材１３００に取り付けられる。
【０２６３】
（ｃ）第１取付部材
左側の第１取付部材３１及び右側の第１取付部材４１は、椅子１０１の左右の前脚部１０３及び前脚部１０５および左右の後脚部１２９及び後脚部１３１の少なくとも何れかに、着脱自在に取り付け可能である。
第１取付部材３１は、第１連結部材１３００と第２連結部材１３０２とが前脚部１０３を挟んで対向して連結され、前脚部１０３を締め付けて前脚部１０３に取り付けられている。
第１取付部材４１は、第１連結部材１４００と第２連結部材１４０２とが前脚部１０５を挟んで対向して連結され、前脚部１０５を締め付けて前脚部１０５に取り付けられている。
左側の第１取付部材３１及び右側の第１取付部材４１は、通常、同じ高さ位置で、椅子１０１に取り付けられている。
通常、第１取付部材３１及び第１取付部材４１から取り外されている梶棒１００２Ａと梶棒１００２Ｂとは、緊急時等に第１取付部材３１及び第１取付部材４１に差し込むことにより、椅子１０１に取り付けられる。
なお、本第３の実施の形態では、第１取付部材３１，４１が前脚部１０３，１０５に取り付けられた場合を例にして説明する。
梶棒用杆体挿通部３１０は、円板形の第１連結部材１３００の径方向に延びており、後述するように、円形の第１連結部材１３００の中心（中心軸Ｌ）を中心として回動したとき、椅子１０１の接地面との間のなす角度（俯仰角、図５０図示Ｑ）を適宜変更できる。俯仰角度調整機構は、第１連結部材１３００と、第２連結部材１３０２と、位置決めピン３０４とと、４セットのボルト３２６，３２８，３３０，３３２とナット３２７，３２９，３３１，３３３とで構成されている。
【０２６４】
（ｉ）第１取付部材３１
図４３は、左側の第１取付部材３１を外側から見た斜視図である。図４４は、第１取付部材３１を座部側から見た斜視図である。図４２は、第１取付部材３１を示す分解斜視図である。第１取付部材３１は、外側に配置された第１連結部材１３００と、前脚部１０３を挟んで座部側に配置された第２連結部材１３０２と、位置決めピン３０４とで構成されている。
そして、第１連結部材１３００と第２連結部材１３０２とは、４セットのボルト３２６，３２８，３３０，３３２とナット３２７，３２９，３３１，３３３とを用いて、前脚部１０５に締め付けられ、組み合わされて連結されている。
【０２６５】
第１連結部材１３００は円板形であり、中央部に外側に凸状に張り出した筒状の梶棒用杆体挿通部３１０が形成されている。梶棒用杆体挿通部３１０は、第１連結部材１３００の中央部を通って、第１連結部材３００の一方の外縁から他方の外縁にまで延びている。梶棒用杆体挿通部３１０は、その延在方向が、梶棒梶棒１００２Ａが延びている方向（図４０図示ａ方向）と平行であり、かつ、梶棒１００２Ａの軸と略同一軸である。
【０２６６】
梶棒用杆体挿通部３１０の横断面は半長円形であり、内径寸法は梶棒１００２Ａの杆体１１の外径寸法より大きく設定されている。従って、第１連結部材１３００は、ボルト３２６，３２８，３３０，３３２とナット３２７，３２９，３３１，３３３とが緩められているときは勿論、締め付けられているときでも、梶棒１００２Ａが梶棒用杆体挿通部３１０内を挿通することができる。
さらに、梶棒用杆体挿通部３１０の外周面の上部および下部には、位置決めピン３０４を挿通するための上下一対の貫通孔３４０，３４２が形成されている。上下一対の貫通孔３４０，３４２は、軸心が杆体２１の上下一対の貫通孔１６ａ，１６ｂの軸心と同一軸上になるように形成されている。
【０２６７】
また、第１連結部材１３００は、梶棒用杆体挿通部３１０を間にして、第１連結部材１３００の中心を同心円とした対向する円弧状の一対の可動域規制長孔３１２，３１４が形成されている。可動域規制長孔３１２の一方の端部にはボルト３２６が挿通され、他方の端部にはボルト３３２が挿通されている。可動域規制長孔３１４の一方の端部にはボルト３２８が挿通され、他方の端部にはボルト３３０が挿通されている。可動域規制長孔３１２，３１４は、ボルト３２６，３２８，３３０，３３２とナット３２７，３２９，３３１，３３３とによって組み合わされている第１連結部材１３００と第２連結部材１３０２との回動域を規制するためのものである。可動域規制長孔３１２，３１４の孔径は、ボルト３２６，３２８，３３０，３３２の直径より若干大きく設定されており、ボルト３２６，３２８，３３０，３３２が可動域規制長孔３１２，３１４内を円滑に移動できるように構成されている。
【０２６８】
一方、左側の第２連結部材１３０２も、第１連結部材１３００と略同様の形状およびサイズを有している。第２連結部材１３０２は、椅子１０１の前脚部１０３および後脚部１２９の少なくとも何れかに嵌合するように構成されている。なお、本第３の実施の形態では、第２連結部材１３０２が前脚部１０５に取り付けられた場合を例にして説明する。
【０２６９】
第２連結部材１３０２は円板形であり、中央部に座部側に凸状に張り出した筒状の脚部嵌合部３２０が形成されている。脚部嵌合部３２０は、第２連結部材１３０２の中央部を通って、第２連結部材１３０２の一方の外縁から他方の外縁にまで延びている。脚部嵌合部３２０は、その延在方向が、前脚部１０３が延びている方向（図４０図示ｂ方向）と平行であり、かつ、前脚部１０３の軸と略同一軸である。脚部嵌合部３２０は、第１連結部材３００の梶棒用杆体挿通部３１０と略直交している位置関係にある。
【０２７０】
脚部嵌合部３２０の横断面は半長円形であり、内径寸法は前脚部１０３の外径寸法より若干大きく設定されている。従って、第２連結部材１３０２は、ボルト３２６，３２８，３３０，３３２とナット３２７，３２９，３３１，３３３とが緩められているときは、前脚部１０３が脚部嵌合部３２０内を挿通することができる。そして、第２連結部材１３０２が、ボルト３２６，３２８，３３０，３３２とナット３２７，３２９，３３１，３３３とによって締め付けられているときは、前脚部１０３が脚部嵌合部３２０に嵌合され、第１取付部材３１が前脚部１０３に固定される。
【０２７１】
また、第２連結部材１３０２は、脚部嵌合部３２０を間にして、第２連結部材１３０２の中心を同心円とした対向する円弧状の一対の可動域規制長孔３２２，３２４が形成されている。可動域規制長孔３２２の一方の端部にはボルト３２６が挿通され、他方の端部にはボルト３２８が挿通されている。可動域規制長孔３２４の一方の端部にはボルト３３２が挿通され、他方の端部にはボルト３３０が挿通されている。可動域規制長孔３２２，３２４は、ボルト３２６，３２８，３３０，３３２とナット３２７，３２９，３３１，３３３とによって組み合わされている第１連結部材１３００と第２連結部材１３０２との回動域を規制するためのものである。可動域規制長孔３２２，３２４の孔径は、ボルト３２６，３２８，３３０，３３２の直径より若干大きく設定されており、ボルト３２６，３２８，３３０，３３２が可動域規制長孔３２２，３２４を円滑に移動できるように構成されている。可動域規制長孔３２２，３２４は、第１連結部材１３００の可動域規制長孔３１２，３１４と略直交している位置関係にある。
【０２７２】
第１連結部材１３００と第２連結部材１３０２とは、梶棒用杆体挿通部３１０が張り出していない側の面３０１と脚部嵌合部３２０が張り出していない側の面３０３とが突き合わされ、面接触した状態で重ね合わされている。第１連結部材１３００の中心と第２連結部材１３０２の中心とは第１取付部材３１の中心軸Ｌ（図４２図示）上に存在している。そして、第１連結部材１３００の円弧状の一対の可動域規制長孔３１２，３１４と、第２連結部材１３０２の円弧状の一対の可動域規制長孔３２２，３２４とは、第１取付部材３１の中心軸Ｌを中心とする同一円状に配設されている。また、第１連結部材１３００と第２連結部材１３０２とは、相互に略９０°ずれた状態で組み合わされている。
第１連結部材３００と第２連結部材３０２とは、第１連結部材３００の梶棒用杆体挿通部３１０と第２連結部材３０２の脚部嵌合部３２０とが交差する方向にのびるように、組み合わされる。
第１連結部材３００の可動域規制長孔３１２及び可動域規制長孔３１４は、第２連結部材３０２の可動域規制長孔３２２及び可動域規制長孔３２４と交差する方向にのびる。
図５２Ａに示すように、第１連結部材１３００の円弧状の一対の可動域規制長孔３１２，３１４と、第２連結部材１３０２の円弧状の一対の可動域規制長孔３２２，３２４とは、相互にそれぞれの両端部が重なり合っている。この重なり合っている範囲Ｒ１，Ｒ２，Ｒ３，Ｒ４にそれぞれボルト３２６，３２８，３３０，３３２が挿通されている。
【０２７３】
ボルト３２６とボルト３２８との間、並びに、ボルト３３０とボルト３３２との間には、梶棒用杆体挿通部３１０が配設されている。ボルト３２６とボルト３３２との間、並びに、ボルト３２８とボルト３３０との間には、脚部嵌合部３２０が配設されている。従って、４つのボルト３２６，３２８，３３０，３３２が、第１取付部材３１の縁部に略等間隔に配置されているため、第１取付部材３１の機械的強度が高くなる。
【０２７４】
そして、第１連結部材１３００は、４セットのボルト３２６，３２８，３３０，３３２とナット３２７，３２９，３３１，３３３とが緩められたとき、第１取付部材３１の中心軸Ｌ（図４２図示）を回転軸として、面接触した面３０１と面３０３同士を相対的に摺動させて図４３に図示したｃ方向に回動させることができる。言い換えると、第１連結部材１３００は、一対の第１取付部材３１，４１を結ぶ軸Ｑ１１（図３９図示）を回動軸として、梶棒１００２Ａと共に回動自在である。ただし、回動できる範囲は、可動域規制長孔３１２，３１４と可動域規制長孔３２２，３２４とが重なり合っている範囲Ｒ１，Ｒ２，Ｒ３，Ｒ４に限られる。さらに、ボルト３２６，３２８，３３０，３３２とナット３２７，３２９，３３１，３３３とが緩められたとき、第１取付部材３１は、前脚部１０３が延びている方向（図４３図示ｂ方向）にも移動可能である。軸Ｑ１１は梶棒１００２Ａに対して直交関係にある。また、面接触した面３０１と面３０３とは、軸Ｑ１１に対して直交関係にあり、かつ、梶棒１００２Ａに対して平行関係にある。ボルト３２６，３２８，３３０，３３２のそれぞれの軸心３２６ａ，３２８ａ，３３０ａ，３３２ａは、面３０１，３０３および梶棒１００２Ａに対して直交関係にある。
第１連結部材１３００と第２連結部材１３０２とは、相対回転して、前脚部１０３に取り付けられた第２取付部材１３０２の脚部嵌合部３２０と第１連結部材１３００の梶棒用杆体挿通部３１０とのなす角度を変更できる。
【０２７５】
位置決めピン３０４は、円環状頭部３０４ａと円柱状胴部３０４ｂとからなる。位置決めピン３０４は、円柱状胴部３０４ｂを下側にして、上方から、軸心が同一軸上に形成されている梶棒用杆体挿通部３１０の上下一対の貫通孔３４０，３４２と杆体２１の上下一対の貫通孔２６ａ，２６ｂとに挿通される。そして、位置決めピン３０４の円環状頭部３０４ａが貫通孔３４０で係止されることによって、梶棒用杆体挿通部３１０（第１連結部材３００）に梶棒１００２Ａが位置決めされる。
【０２７６】
（ｉｉ）第１取付部材４１
図４０は、右側の第１取付部材４１を外側から見た斜視図である。図４１は、第１取付部材４０を外部側から見た斜視図である。第１取付部材４１は、第１取付部材３１と同様のものであり、外側に配置された右側の第１連結部材１４００と、前脚部１０５を挟んで座部側に配置された第２連結部材１４０２と、位置決めピン４０４とで構成されている。そして、第１連結部材１４００と第２連結部材１４０２とは、４セットのボルト４２６，４２８，４３０，４３２とナット４２７，４２９，４３１，４３３とを用いて締め付けられ、組み合わされて連結されている。
【０２７７】
第１連結部材１４００は円板形であり、中央部に座部側に凸状に張り出した筒状の梶棒用杆体挿通部４１０が形成されている。梶棒用杆体挿通部４１０は、第１連結部材１４００の中央部を通って、第１連結部材１４００の一方の外縁から他方の外縁にまで延びている。梶棒用杆体挿通部４１０は、その延在方向が、梶棒１００２Ｂが延びている方向（図４０図示ａ方向）と平行であり、かつ、梶棒１００２Ｂの軸と略同一軸である。
梶棒用杆体挿通部４１０は、円板形の第１連結部材１４００の径方向に延びており、後述するように、円形の第１連結部材１４００の中心（中心軸Ｌ）を中心として回動したとき、椅子１０１の接地面との間のなす角度（俯仰角、図５０図示Ｑ）を適宜変更できる。俯仰角度調整機構は、第１連結部材１４００と、第２連結部材１４０２と、位置決めピン４０４と、４セットのボルト４２６，４２８，４３０，４３２とナット４２７，４２９，４３１，４３３とで構成されている。
【０２７８】
梶棒用杆体挿通部４１０の横断面は半長円形であり、内径寸法は梶棒１００２Ｂの杆体２１の外径寸法より大きく設定されている。従って、第１連結部材１４００は、ボルト４２６，４２８，４３０，４３２とナット４２７，４２９，４３１，４３３とが緩められているときは勿論、締め付けられているときでも、梶棒１００２Ｂが梶棒用杆体挿通部４１０内を挿通することができる。
【０２７９】
さらに、梶棒用杆体挿通部４１０の外周面の上部および下部には、位置決めピン４０４を挿通するための上下一対の貫通孔４４０，４４２が形成されている。上下一対の貫通孔４４０，４４２は、軸心が杆体１１の上下一対の貫通孔２６ａ，２６ｂの軸心と同一軸上になるように形成されている。
【０２８０】
また、第１連結部材１４００は、梶棒用杆体挿通部４１０を間にして、第１連結部材１４００の中心を同心円とした対向する円弧状の一対の可動域規制長孔４１２，４１４が形成されている。可動域規制長孔４１２の一方の端部にはボルト４２６が挿通され、他方の端部にはボルト４３２が挿通されている。可動域規制長孔４１４の一方の端部にはボルト４２８が挿通され、他方の端部にはボルト４３０が挿通されている。可動域規制長孔４１２，４１４は、ボルト４２６，４２８，４３０，４３２とナット４２７，４２９，４３１，４３３とによって組み合わされている第１連結部材１４００と第２連結部材１４０２との回動域を規制するためのものである。可動域規制長孔４１２，４１４の孔径は、ボルト４２６，４２８，４３０，４３２の直径より若干大きく設定されており、ボルト４２６，４２８，４３０，４３２が可動域規制長孔４１２，４１４内を円滑に移動できるように構成されている。
【０２８１】
一方、第２連結部材１４０２も、第１連結部材１４００と略同様の形状およびサイズを有している。第２連結部材１４０２は、椅子１０１の前脚部１０５および後脚部１３１の少なくとも何れかに嵌合するように構成されている。なお、本第３の実施の形態では、第２連結部材１４０２が前脚部１０５に取り付けられた場合を例にして説明する。
【０２８２】
第２連結部材１４０２は円板形であり、中央部に座部側に凸状に張り出した筒状の脚部嵌合部４２０が形成されている。脚部嵌合部４２０は、第２連結部材１４０２の中央部を通って、第２連結部材１４０２の一方の外縁から他方の外縁にまで延びている。脚部嵌合部４２０は、その延在方向が、前脚部１０５が延びている方向（図４０図示ｂ方向）と平行であり、かつ、前脚部１０５の軸と略同一軸である。脚部嵌合部４２０は、第１連結部材１４００の梶棒用杆体挿通部４１０と略直交している位置関係にある。
【０２８３】
脚部嵌合部４２０の横断面は半長円形であり、内径寸法は前脚部１０５の外径寸法より若干大きく設定されている。従って、第２連結部材１４０２は、ボルト４２６，４２８，４３０，４３２とナット４２７，４２９，４３１，４３３とが緩められているときは、レッグパイプ１０８が脚部嵌合部４２０内を挿通することができる。そして、第２連結部材１４０２が、ボルト４２６，４２８，４３０，４３２とナット４２７，４２９，４３１，４３３とによって締め付けられているときは、前脚部１０５が脚部嵌合部４２０に嵌合され、第１取付部材４１が前脚部１０５に固定される。
【０２８４】
また、第２連結部材１４０２は、脚部嵌合部４２０を間にして、第２連結部材１４０２の中心を同心円とした対向する円弧状の一対の可動域規制長孔４２２，４２４が形成されている。可動域規制長孔４２２の一方の端部にはボルト４２６が挿通され、他方の端部にはボルト４２８が挿通されている。可動域規制長孔４２４の一方の端部にはボルト４３２が挿通され、他方の端部にはボルト４３０が挿通されている。可動域規制長孔４２２，４２４は、ボルト４２６，４２８，４３０，４３２とナット４２７，４２９，４３１，４３３とによって組み合わされている第１連結部材４００と第２連結部材４０２との回動域を規制するためのものである。可動域規制長孔４２２，４２４の孔径は、ボルト４２６，４２８，４３０，４３２の直径より若干大きく設定されており、ボルト４２６，４２８，４３０，４３２が可動域規制長孔４２２，４２４を円滑に移動できるように構成されている。可動域規制長孔４２２，４２４は、第１連結部材４００の可動域規制長孔４１２，４１４と略直交している位置関係にある。
【０２８５】
第１連結部材４００と第２連結部材４０２とは、梶棒用杆体挿通部４１０が張り出していない側の面４０１と脚部嵌合部４２０が張り出していない側の面４０３とが突き合わされ、面接触した状態で重ね合わされている。第１連結部材４００の中心と第２連結部材４０２の中心とは第１取付部材４０の中心軸Ｌ上に存在している。そして、第１連結部材４００の円弧状の一対の可動域規制長孔４１２，４１４と、第２連結部材４０２の円弧状の一対の可動域規制長孔４２２，４２４とは、第１取付部材４０の中心軸Ｌを中心とする同一円状に配設されている。また、第１連結部材４００と第２連結部材４０２とは、相互に略９０°ずれた状態で組み合わされている。図４２と同様に、第１連結部材４００の円弧状の一対の可動域規制長孔４１２，４１４と、第２連結部材４０２の円弧状の一対の可動域規制長孔４２２，４２４とは、相互にそれぞれの両端部が重なり合っている。この重なり合っている範囲Ｒ１，Ｒ２，Ｒ３，Ｒ４にそれぞれボルト４２６，４２８，４３０，４３２が挿通されている。
【０２８６】
ボルト４２６とボルト４２８との間、並びに、ボルト４３０とボルト４３２との間には、梶棒用杆体挿通部４１０が配設されている。ボルト４２６とボルト４３２との間、並びに、ボルト４２８とボルト４３０との間には、脚部嵌合部４２０が配設されている。従って、４つのボルト４２６，４２８，４３０，４３２が、第１取付部材４０の縁部に略等間隔に配置されているため、第１取付部材４０の機械的強度が高くなる。
【０２８７】
そして、第１連結部材４００は、４セットのボルト４２６，４２８，４３０，４３２とナット４２７，４２９，４３１，４３３とが緩められたとき、第１取付部材４０の中心軸Ｌを回転軸として、面接触した面４０１と面４０３同士を相対的に摺動させて図４３に図示したｃ方向に回動させることができる。言い換えると、第１連結部材４００は、一対の第１取付部材３０，４０を結ぶ軸を回動軸Ｑ１１（図３９図示）として、梶棒２Ａと共に回動自在である。ただし、回動できる範囲は、可動域規制長孔４１２，４１４と可動域規制長孔４２２，４２４とが重なり合っている範囲Ｒ１，Ｒ２，Ｒ３，Ｒ４に限られる。さらに、ボルト４２６，４２８，４３０，４３２とナット４２７，４２９，４３１，４３３とが緩められたとき、第１取付部材４０は、前脚部１０３が延びている方向（図４２図示ｂ方向）にも移動可能である。面接触した面４０１と面４０３とは、軸Ｑ１１に対して直交関係にあり、かつ、梶棒２Ｂに対して平行関係にある。ボルト４２６，４２８，４３０，４３２のそれぞれの軸心４２６ａ，４２８ａ，４３０ａ，４３２ａは、面４０１，４０３および梶棒２Ｂに対して直交関係にある。
第１連結部材４００と第２連結部材４０２とは、相対回転して、前脚部１０３に取り付けられた第２取付部材４０２の脚部嵌合部４２０と第１連結部材４００の梶棒用杆体挿通部４１０とのなす角度を変更できる。
【０２８８】
位置決めピン４０４は、円環状頭部４０４ａと円柱状胴部４０４ｂとからなる。位置決めピン４０４は、円柱状胴部４０４ｂを下側にして、上方から、軸心が同一軸上に形成されている梶棒用杆体挿通部４１０の上下一対の貫通孔４４０，４４２と杆体１１の上下一対の貫通孔１６ａ，１６ｂとに挿通される。そして、位置決めピン４０４の円環状頭部４０４ａが貫通孔４４０で係止されることによって、梶棒用杆体挿通部４１０（第１連結部材４００）に梶棒１００２Ａが位置決めされる。
【０２８９】
（ｄ）第２取付部材
左側の第２取付部材５１及び右側の第２取付部材６１は、椅子１０１の左側の前後脚連結杆１６１及び右側の前後脚連結杆１６３に着脱自在に取り付け可能である。
【０２９０】
（ｉ）第２取付部材５１
図４５は、左側の第２取付部材５１を外側から見た斜視図である。図４６は、第２取付部材５１を座部側から見た斜視図である。図４７は、第２取付部材５１を示す分解斜視図である。第２取付部材５１は、外側に配置された第３連結部材１５００と、座部側に配置された第４連結部材１５０２とで構成されている。そして、第３連結部材１５００と第４連結部材１５０２とは、６セットのボルト１５４０、１５４２、１５４４、１５４６、１５４８、及び１５５０を用いて締め付けられ、組み合わされている。
【０２９１】
第３連結部材１５００は、枢軸支持部１５１０及び枢軸１５１２で構成されている。
【０２９２】
枢軸支持部１５１０は、外側面が平面である、金属型板状体である。
枢軸支持部１５１０は、前後脚連結杆１６１より上方にのびる長さと、枢軸孔１５１４を形成できる幅とを備える。
【０２９３】
第３連結部材１５００は、枢軸支持部１５１０で構成されている。
枢軸支持部１５１０は、前後脚連結杆１６１に垂直に取り付けられる。
枢軸支持部１５１０は、その上方に枢軸孔１５１４が形成されている。
【０２９４】
枢軸孔１５１４は、前後脚連結杆１６１の中心軸と直交する方向において前後脚連結杆１６１の上部に形成されている。
枢軸孔１５１４は、枢軸支持部１５１０の上方に形成され、且つ枢軸孔１５１６は、梶棒１００２Ａの他端側（椅子側の端部）に形成されている。
【０２９５】
枢軸１５１２は、前後脚連結杆１６１の中心軸と直交する方向において前後脚連結杆１６１の上部に配設されている。
【０２９６】
枢軸１５１２は、梶棒１００２Ａ部（椅子側の端部）に形成された枢軸孔１５１６と枢軸支持部１５１０の上方に形成された枢軸孔１５１４とを合わせて、それらの枢軸孔１５１４及び枢軸孔１５１６に枢軸１５１２を構成するボルトの軸部を貫挿させ、軸部にナット１５１８をはめて締め付けて固定して、枢軸支持部１５１０及び梶棒１００２Ａに取り付けられている。
枢軸１５１２は、ボルトの軸部（シャンク）をもって構成されており、軸部に切られた雄ねじにナット１５１８をはめて、その軸部の一端に突設された六角形の頭とナット１５１８とにより、枢軸支持部１５１０と梶棒１００２Ａとを締め付けるように構成されている。
【０２９７】
第４連結部材１５０２は、枢軸支持部連結部材１５０４で構成されている。
枢軸支持部連結部材１５０４は、椅子１０１の前後脚連結杆１６１に嵌合するように構成されている前後脚連結杆嵌合部１５２０と、前後脚連結杆嵌合部１５２０の上方に向けて延設された第１枢軸支持部固定部１５２２と、前後脚連結杆嵌合部１５２０の下方に向けて延設された第２枢軸支持部固定部１５２４とを備えている。
【０２９８】
第１枢軸支持部固定部１５２２は、前後脚連結杆１６１の外側に配設された枢軸支持部１５１０の内側面に接合され、ボルト１５４８を、第１枢軸支持部固定部１５２２に形成された雌ネジ孔１５３０と枢軸支持部１５１０に形成された雌ネジ孔１５３２とに螺嵌されて、枢軸支持部１５１０に固定される。
第２枢軸支持部固定部１５２４は、前後脚連結杆１６１の外側に配設された枢軸支持部１５１０の内側面に接合され、ボルト１５５０を、第２枢軸支持部固定部１５２４に形成された雌ネジ孔１５３４と枢軸支持部１５１０に形成された雌ネジ孔１５３６とに螺嵌されて、枢軸支持部１５１０に固定される。
【０２９９】
（ｉｉ）第２取付部材６１
図４８は、右側の第２取付部材６１を外側から見た斜視図である。図４９は、第２取付部材６１を座部側から見た斜視図である。第２取付部材６１は、第２取付部材５１と同様のものであり、外側に配置された第３連結部材１６００と、座部側に配置された第４連結部材１６０２とで構成されている。そして、第３連結部材１６００と第４連結部材１６０２とは、６セットのボルト１６４０、１６４２、１６４４、１６４６、１６４８及び１６５０を用いて締め付けられ、組み合わされている。
【０３００】
第３連結部材１６００は、枢軸支持部１６１０及び枢軸１６１２で構成されている。
【０３０１】
枢軸支持部１６１０は、外側面が平面である、金属型板状体である。
枢軸支持部１６１０は、前後脚連結杆１６３より上方にのびる長さと、枢軸孔１６１４を形成できる幅とを備える。
【０３０２】
第３連結部材１６００は、枢軸支持部１６１０で構成されている。
枢軸支持部１６１０は、前後脚連結杆１６３に垂直に取り付けられる。
枢軸支持部１６１０は、その上方に枢軸孔１６１４が形成されている。
【０３０３】
枢軸孔１６１４は、前後脚連結杆１６３の中心軸と直交する方向において前後脚連結杆１６３の上部に形成されている。
枢軸孔１６１４は、枢軸支持部１６１０の上方に形成され、且つ枢軸孔１６１６は、梶棒１００２Bの他端側（椅子側の端部）に形成されている。
【０３０４】
枢軸１６１２は、前後脚連結杆１６３の中心軸と直交する方向において前後脚連結杆１６３の上部に配設されている。
【０３０５】
枢軸１６１２は、梶棒１００２Ｂ部（椅子側の端部）に形成された枢軸孔１６１６と枢軸支持部１６１０の上方に形成された枢軸孔１６１４とを合わせて、それらの枢軸孔１６１４及び枢軸孔１６１６に枢軸１６１２を構成するボルトの軸部を貫挿させ、軸部にナット１６１８をはめて締め付けて固定して、枢軸支持部１６１０及び梶棒１００２Bに取り付けられている。
枢軸１６１２は、ボルトの軸部（シャンク）をもって構成されており、軸部に切られた雄ねじにナット１６１８をはめて、その軸部の一端に突設された六角形の頭とナット１６１８とにより、枢軸支持部１６１０と梶棒１００２Ｂとを締め付けるように構成されている。
【０３０６】
第４連結部材１６０２は、枢軸支持部連結部材１６０４で構成されている。
枢軸支持部連結部材１６０４は、椅子１０１の前後脚連結杆１６３に嵌合するように構成されている前後脚連結杆嵌合部１６２０と、前後脚連結杆嵌合部１６２０の上方に向けて延設された第１枢軸支持部固定部１６２２と、前後脚連結杆嵌合部１６２０の下方に向けて延設された第２枢軸支持部固定部１６２４とを備えている。
【０３０７】
第１枢軸支持部固定部１６２２は、前後脚連結杆１６３の外側に配設された枢軸支持部１６１０の内側面に接合され、ボルト１６４８を、第１枢軸支持部固定部１６２２に形成された雌ネジ孔１６３０と枢軸支持部１６１０に形成された雌ネジ孔１６３２とに螺嵌されて、枢軸支持部１６１０に固定される。
第２枢軸支持部固定部１６２４は、前後脚連結杆１６３の外側に配設された枢軸支持部１６１０の内側面に接合され、ボルト１６５０を、第２枢軸支持部固定部１６２４に形成された雌ネジ孔１６３４と枢軸支持部１６１０に形成された雌ネジ孔１６３６とに螺嵌されて、枢軸支持部１６１０に固定される。
【０３０８】
２．梶棒の取り扱い手順
（ａ）梶棒を椅子へ取り付ける手順
次に、梶棒１００２Ａ及び梶棒１００２Ｂを椅子１０１へ取り付ける手順について説明する。
【０３０９】
左側の第１取付部材３１の第１連結部材１３００と第２連結部材１３０２とは、ボルト３２６，３２８，３３０，３３２とナット３２７，３２９，３３１，３３３とによって締め付けられ、椅子１０１の左側の前脚部１０３の所定の位置に、第２連結部材１３０２の脚部嵌合部３２０が嵌合されて固定される。同様に、右側の第１取付部材４１の第１連結部材１４００と第２連結部材１４０２とが、ボルト４２６，４２８，４３０，４３２とナット４２７，４２９，４３１，４３３とによって締め付けられ、椅子１０１の前脚部１０５の所定の位置に、第２連結部材１４０２の脚部嵌合部４２０が嵌合されて固定される。
第１取付部材３１の第１連結部材１３００及び第２連結部材１３０２と、第１取付部材４１の第１連結部材１４００及び第２連結部材１４０２とは、同じ高さ位置で前脚部１０３及び前脚部１０５に取り付けられる。
【０３１０】
さらに、左側の第２取付部材５１の第３連結部材１５００と第４連結部材１５０２とが、第４連結部材１５０２の上下の第１枢軸支持部固定部１５２２及び第２枢軸支持部固定部１５２４によってボルト１５４８及びボルト１５５０により締め付けられ、椅子１０１の前後脚連結杆１６１の所定の位置に、第４連結部材１５０２の前後前後脚連結杆嵌合部１５２０が嵌合されて固定される。同様に、右側の第２取付部材６１の第３連結部材１６００と第４連結部材１６０２とが、第４連結部材１６０２の上下の第１枢軸支持部固定部１６２２及び第２枢軸支持部固定部１６２４によってボルト１６４８及びボルト１６５０とにより締め付けられ、椅子１０１の前後脚連結杆１６３の所定の位置に、第４連結部材１６０２の前後脚連結杆嵌合部１６２０が嵌合されて固定される。
【０３１１】
次に、梶棒１００２Ａ及び梶棒１００２Ｂを、第１取付部材３１及び第１取付部材４１並びに第２取付部材５１及び第２取付部材６１に取り付ける手順について説明する。
先ず、梶棒１００２Ａが、保護部９０３が設けられた側から、第１取付部材３１の梶棒用杆体挿通部３１０および第２取付部材５１の第３連結部材１５００に取り付けられる。その後、位置決めピン３０４が、上方から、軸心が同一軸上に形成されている梶棒用杆体挿通部３１０の上下一対の貫通孔３４０，３４２と杆体１０２１の上下一対の貫通孔２６ａ，２６ｂとに差し込まれて挿通される。そして、位置決めピン３０４の円環状頭部３０４ａが貫通孔３４０で係止されることによって、第１取付部材３１の梶棒用杆体挿通部３１０に梶棒１００２Ａが位置決めされて容易に固定される。
第２取付部材５１の第３連結部材１５００と、第２取付部材６１の第３連結部材１６００とは、同じ高さ位置及び前後位置で、前後脚連結杆１６１及び前後脚連結杆１６３に取り付けられる。
【０３１２】
同様に、梶棒１００２Ｂが、保護部９０１が設けられた側から、第１取付部材４１の梶棒用杆体挿通部４１０および第２取付部材６１の第３連結部材１６００に取り付けられる。その後、位置決めピン４０４が、上方から、軸心が同一軸上に形成されている梶棒用杆体挿通部４１０の上下一対の貫通孔４４０，４４２と杆体１０１１の上下一対の貫通孔１６ａ，１６ｂとに差し込まれて挿通される。そして、位置決めピン４０４の円環状頭部４０４ａが貫通孔４４０で係止されることによって、第１取付部材４１の梶棒用杆体挿通部４１０に梶棒１００２Ａが位置決めされて容易に固定される。
【０３１３】
図５０は、人引き車輪付き椅子２の利用状態を示す説明図である。椅子１０１を牽引する人２００は、椅子１０１の座部１１１に運搬される人２０２を座らせた状態で、左右一対の梶棒１００２Ａと梶棒１００２Ｂとの間の領域に入り、握り部１０１３，１０２３を手で掴んで、左側の車輪１４１及び右側の車輪１４３を接地させ、且つ、右側の前脚部１０３及び左側の前脚部１０５の下部を接地面より浮かせた状態で、前に進むことにより、災害時などの緊急避難時の椅子１０１の走行移動、あるいは、砂利道などの不整地や登り坂での椅子１０１の走行移動を補助することができる。
牽引する人２００が椅子１０１を引くときに補助するために、梶棒１００２Ａと梶棒１００２Ｂとの間にベルトが架け渡されてもよい。
ベルトは、梶棒１００２Ａに取付けられたベルト片と梶棒１００２Ｂに取付けられたベルト片とを、ベルト片の先端に取付けられた連結具とベルト片の先端に取付けられた連結具とに係合して連結されるように構成されている。
牽引する人２００は、ベルトを腹部に宛がい、椅子１０１を前方に引く。
【０３１４】
（ｂ）梶棒を椅子から取り外す手順
次に、梶棒１００２Ａ及び梶棒１００２Ｂを椅子１０１から取り外す手順について説明する。
位置決めピン３０４が、梶棒用杆体挿通部３１０の上下一対の貫通孔３４０，３４２と杆体１０２１の上下一対の貫通孔２６ａ，２６ｂから抜き取られ、梶棒１００２Ａの位置決めが解除される。従って、梶棒１００２Ａは、第１取付部材３１の梶棒用杆体挿通部３１０から引き抜くことが可能となり、および第２取付部材５１のボルト１５１２及びナット１５１８を取り外すことによって梶棒１００２Ａが椅子１０１から容易に取り外される。
【０３１５】
同様に、位置決めピン４０４が、梶棒用杆体挿通部４１０の上下一対の貫通孔４４０，４４２と杆体１０１１の上下一対の貫通孔１６ａ，１６ｂから抜き取られ、梶棒１００２Ｂの位置決めが解除される。従って、梶棒１００２Ｂは、第１取付部材４１の梶棒用杆体挿通部４１０から引き抜くことが可能となり、および第２取付部材６１のボルト１６１２及びナット１６１８を取り外すことによって梶棒１００２Ｂが椅子１０１から容易に取り外される。
【０３１６】
（ｃ）梶棒の角度を変える手順
次に、梶棒１００２Ａ及び梶棒１００２Ｂの角度を変更する手順について説明する。椅子１０１を牽引する人２００の体型によっては、梶棒１００２Ａ及び梶棒１００２Ｂの角度を変更する必要があるからである。
【０３１７】
図５０は、梶棒１００２Ｂの角度を変更する手順を示す斜視図である。図５２Ａは、第１取付部材３１の第１連結部材１３００と第２連結部材１３０２及び第１取付部４１の第１連結部材１４００と第２連結部材１４０２との位置関係を示す模式図である。図５２Ｂは、第２取付部材５１の第３連結部材１５００と第４連結部材１５０２との位置関係を示す模式図である。例えば、椅子１０１を牽引する人２００の体型が大きい場合は、図５１に示すように、梶棒１００２Ａ及び梶棒１００２Ｂの角度を大きくする必要がある。
第１取付部材３１と第１取付部材４１とは、同様な手順であるので、ここでは、第１取付部材３１について説明する
【０３１８】
つまり、梶棒１００２Ａの角度を大きくするときは、第１取付部材３１のボルト３２６，３２８，３３０，３３２とナット３２７，３２９，３３１，３３３とが緩められる。
【０３１９】
次に、第１取付部材３１の第１連結部材１３００が第２連結部材１３０２に対して時計回り方向（図５１（Ａ）図示方向）に所定の角度だけ回動する。その時、図５２Ａ（Ｂ）に示すように、ボルト３２６，３２８，３３０，３３２の位置が、第１連結部材１３００の可動域規制長孔３１２，３１４と第２連結部材１３０２の可動域規制長孔３２２，３２４とが重なり合っている範囲Ｒ１，Ｒ２，Ｒ３，Ｒ４内で若干移動する。同様に、第２取付部材５１の第３連結部材１５００の枢動軸たるボルト１５１８を中心にして杆体１０１１が回動する。
【０３２０】
その後、第１取付部材３１のボルト３２６，３２８，３３０，３３２とナット３２７，３２９，３３１，３３３とが締め付けられる。
この結果、第１取付部材３１及び第２取付部材５１の延在方向の角度が大きくなり、梶棒１００２Ａの角度を大きくすることができる。同様の手順によって、梶棒１００２Ｂの角度も大きくすることができる。
【０３２１】
また、椅子１０１を牽引する人２００の体型が小さい場合は、梶棒１００２Ａ及び梶棒１００２Ｂの角度を小さくする必要がある。梶棒１００２Ａの角度を小さくするときは、第１取付部材３１のボルト３２６，３２８，３３０，３３２とナット３２７，３２９，３３１，３３３とが緩められる。
【０３２２】
次に、第１取付部材３１の第１連結部材１３００が第２連結部材１３０２に対して反時計回り方向（図５１（Ａ）図示方向とは逆方向）に所定の角度だけ回動する。その時、図５２Ａ（Ｃ）に示すように、ボルト３２６，３２８，３３０，３３２の位置が、第１連結部材１３００の可動域規制長孔３１２，３１４と第２連結部材１３０２の可動域規制長孔３２２，３２４とが重なり合っている範囲Ｒ１，Ｒ２，Ｒ３，Ｒ４内で若干移動する。同様に、第２取付部材５１の枢動軸たるボルト１５１８を中心にして杆体１０１１が回動する。
【０３２３】
その後、第１取付部材３１のボルト３２６，３２８，３３０，３３２とナット３２７，３２９，３３１，３３３とが締め付けられる。
この結果、第１取付部材３１及び第２取付部材５１の梶棒用杆体挿通部３１０，５１０の延在方向の角度が小さくなり、梶棒１００２Ｂの角度を小さくすることができる。同様の手順によって、梶棒１００２Ａの角度も小さくすることができる。
【０３２４】
３．第３の実施の形態の効果
（ａ）梶棒１００２Ａ及び梶棒１００２Ｂに位置決めピン３０４，４０４を挿通するように構成されているため、位置決めピンの抜き差しだけで、梶棒１００２Ａ及び梶棒１００２Ｂを椅子１０１へ容易に脱着することができる。
【０３２５】
（ｂ）また、第１取付部材３１，４１の第１連結部材１３００，１４００が、梶棒１００２Ａ，１００２Ｂに取り付けられ、一対の第１取付部材３１，４１を結ぶ軸Ｑ１１を回動軸として、梶棒１００２Ａ，梶棒１００２Ｂと共に回動可能であるように構成されている。そして、第２取付部材５１，６１の第３連結部材１５００，１６００が、梶棒１００２Ａ，梶棒１００２Ｂに回動自在に取り付けられ、梶棒１００２Ａ，梶棒１００２Ｂが回動可能であるように構成されている。この結果、梶棒１００２Ａ，梶棒１００２Ｂの角度設定を容易に行うことができる。
【０３２６】
（ｃ）さらに、第１取付部材３１，４１に加えて第２取付部材５１，６１でも梶棒１００２Ａ，梶棒１００２Ｂを保持して、梶棒１００２Ａ，梶棒１００２Ｂを２点支持しているので、１点支持の場合よりも、椅子１０１の前脚側をより安定して持ち上げることができ、且つ、支持強度も高くすることができる。
【０３２７】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【産業上の利用可能性】
【０３２８】
この発明に係る人引き車輪付き椅子は、一般の椅子に適用することができる。
【符号の説明】
【０３２９】
１，２，３  人引き車輪付き椅子
１Ａ，１Ｂ，２Ａ，２Ｂ，１００２A，１００２B  梶棒
１０，１１，２０，２１，１０１１，１０２１  杆体
１２，１３，２２，２３，１０１３，１０２３  握り部
１４ａ，１４ｂ，２４ａ，２４ｂ，２４  椅子取付孔
１５，２５  椅子取付部
１６ａ，１６ｂ，２６ａ，２６ｂ  貫通孔
１８，２８，２８ａ，２８ｂ  角度決め孔
１０ａ，２０ａ  取り外し可能部分
２０ａ，２０ｂ  固定部分
２９，３０，３１，３９，４０，４１  第１取付部材（第１取付部）
３５，４５  椅子取付部
４９，５０，５１，５９，６０，６１  第２取付部材（第２取付部）
１００，１０１  椅子
１００Ａ，１００Ｂ  脚体
１０２，１０３，１０４，１０５  前脚部
１１０，１１１  座部
１１０ａ，１１０ｂ  ストッパー
１１６，１１７，１１８，１１９  肘掛け部
１２６，１２７  背もたれ部
１２８，１２９，１３０，１３１  後脚部
１２８ａ，１２９ａ，１３０ａ，１３１ａ  下端部
１３２，１３３，１３４，１３５  グリップ
１４０，１４１，１４２，１４３  車輪
１４１ａ，１４３ａ  回転軸
１５０，１５１  前脚連結杆
１５２，１５３  後脚連結杆
１５４，１５５，１５６，１５７  座部連結杆
１６０，１６１，１６２，１６３  前後脚連結杆
１７０，１７２  車輪取付板
１７０ａ，１７２ａ  車輪取付板の外側の表面
１７０ｂ，１７２ｂ  車輪取付板の内側の表面
１７４，１７６  車輪軸孔
１７８ａ，１７８ｂ，１７８ｃ，１７８ｄ  梶棒角度位置決め孔
１８０ａ，１８０ｂ，１８０ｃ，１８０ｄ  梶棒角度位置決め孔
２００  牽引する人
２０２  運搬される人
２１０ａ，２１０ｂ，２１２ａ，２１２ｂ，２１２  梶棒取付孔
２１４ａ，２１４ｂ，２１６ａ，２１６ｂ  前脚連結杆取付孔
２１５ａ，２１５ｂ，２１７ａ，２１７ｂ  後脚連結杆取付孔
２２０，２２２，２３０，２３２  埋め込みナット
２２４，２２６，２３４，２３６  ボルト
２４０  布
２４２ａ  一端部
２４２ｂ  他端部
２４４，２４６  仕切り布
２４８，２５０  緩挿孔
２６０，３６０  ホイール
２６１，３６１  回転軸支持部
２６２，３６２  ゴムタイヤ
２６４，３６４  回転軸
２６６，３６６  板ベアリング部
２６８，３６８，２７０，３７０  ねじ部
２７２ａ，２７２ｂ，３７２ａ，３７２ｂ  ナット
２７３，２７６，３７３，３７６  ワッシャー
２７４ａ，２７４ｂ，２７４ｃ，３７４ａ，３７４ｂ，３７４ｃ  ナット
２７５，３７５  ばねワッシャー
２９０，３９０  ボルト（第１連結部材）
２９２，３９２  蝶ナット（第２連結部材）
３００  第１連結部材
３０２  第２連結部材
３０１，３０３  面（摺動面）
３０４  位置決めピン
３０４ａ  円環状頭部
３０４ｂ  円柱状胴部
３１０  梶棒用杆体挿通部
３１２，３１４，３２２，３２４  可動域規制長孔
３２０  脚部嵌合部
３２６，３２８，３３０，３３２  ボルト
３２６ａ，３２８ａ，３３０ａ，３３２ａ  軸心
３２７，３２９，３３１，３３３  ナット
３４０，３４２，４４０，４４２  貫通孔
３５０，３５２，３５４，３５６  ねじ孔
３６０，３６２，３６４，３６６  位置決めねじ
４００  第１連結部材
４０２  第２連結部材
４０１，４０３  面（摺動面）
４０４  位置決めピン
４０４ａ  円環状頭部
４０４ｂ  円柱状胴部
４１０  梶棒用杆体挿通部
４１２，４１４，４２２，４２４  可動域規制長孔
４２０  脚部嵌合部
４２６，４２８，４３０，４３２  ボルト
４２６ａ，４２８ａ，４３０ａ，４３２ａ  軸心
４２７，４２９，４３１，４３３  ナット
４５０，４５２，４５４，４５６  ねじ孔
４６０，４６２，４６４，４６６  位置決めねじ
４９０，５９０  ボルト（第３連結部材）
４９２，５９２  蝶ナット（第４連結部材）
５００  第３連結部材
５０２  第４連結部材
５０１，５０３  面（摺動面）
５１０  梶棒用杆体挿通部
５１２，５１４，５２２，５２４  可動域規制長孔
５２０  前後脚連結杆嵌合部
５２６，５２８，５３０，５３２  ボルト
５２６ａ，５２８ａ，５３０ａ，５３２ａ  軸心
５２７，５２９，５３１，５３３  ナット
６００  第３連結部材
６０２  第４連結部材
６０１，６０３  面（摺動面）
６１０  梶棒用杆体挿通部
６１２，６１４，６２２，６２４  可動域規制長孔
６２０  前後脚連結杆嵌合部
６２６，６２８，６３０，６３２  ボルト
６２６ａ，６２８ａ，６３０ａ，６３２ａ  軸心
６２７，６２９，６３１，６３３  ナット
７００  横バー
７０２，７０４  横バーの端部
７０３，７０５  切欠き
７０６，７０８  蝶ボルト
７１０  埋め込みナット
７１２，７１４  ねじ
７３０  連結ボルト
７３２，７３４  埋め込みナット
７３６ａ，７３６ｂ，７３８ａ，７３８ｂ  連結孔
７４０  ボルト
７４２  ナット
８００，８０２  嵌合孔
８０４，８０６  嵌合支持部材
８１０  梶棒角度位置決め孔形成板
９０１，９０３  保護部
Ｃ  椅子の中心軸
Ｌ  第１取付部材（第２取付部材）の中心軸
Ｑ  俯仰角
Ｑ１  車輪取付軸
Ｑ１１  一対の第１取付部材を結ぶ軸（回動軸）
Ｑ１２  一対の第２取付部材を結ぶ軸（回動軸）
Ｒ１，Ｒ２，Ｒ３，Ｒ４  第１連結部材の可動域規制長孔と第２連結部材の可動域規制長孔とが重なり合っている範囲
Ｒ５，Ｒ６  第３連結部材の可動域規制長孔と第４連結部材の可動域規制長孔とが重なり合っている範囲
ｒ  杆体の椅子取付孔と角度決め孔との間の距離
１３００  第１連結部材
１３０２  第２連結部材
１４００  第１連結部材
１４０２  第２連結部材
１５００  第３連結部材
１５０２  第４連結部材
１５０４  枢軸支持部連結部材
１５１０  枢軸支持部
１５１２  枢軸
１５１４，１５１６  枢軸孔
１５１８  ナット
１５２０  前後脚連結杆嵌合部
１５２２  第１枢軸支持部固定部
１５２４  第２枢軸支持部固定部
１５３０，１５３２，１５３４，１５３６  雌ネジ孔
１５４０、１５４２，１５４４，１５４６，１５４８，１５５０  ボルト
１６００  第３連結部材
１６０２  第４連結部材
１６０４  枢軸支持部連結部材
１６１０  枢軸支持部
１６１２  枢軸
１６１４，１６１６  枢軸孔
１６１８  ナット
１６２０  前後脚連結杆嵌合部
１６２２  第１枢軸支持部固定部
１６２４  第２枢軸支持部固定部
１６３０，１６３２，１６３４，１６３６  雌ネジ孔
１６４０，１６４２，１６４４，１６４６，１６４８，１６５０  ボルト
【図１】
2016222226.tif 000003
【図２】
2016222226.tif 000004
【図３】
2016222226.tif 000005
【図４】
2016222226.tif 000006
【図５】
2016222226.tif 000007
【図６】
2016222226.tif 000008
【図７】
2016222226.tif 000009
【図８】
2016222226.tif 000010
【図９】
2016222226.tif 000011
【図１０】
2016222226.tif 000012
【図１１】
2016222226.tif 000013
【図１２】
2016222226.tif 000014
【図１３】
2016222226.tif 000015
【図１４】
2016222226.tif 000016
【図１５】
2016222226.tif 000017
【図１６】
2016222226.tif 000018
【図１７】
2016222226.tif 000019
【図１８】
2016222226.tif 000020
【図１９】
2016222226.tif 000021
【図２０】
2016222226.tif 000022
【図２１】
2016222226.tif 000023
【図２２】
2016222226.tif 000024
【図２３】
2016222226.tif 000025
【図２４】
2016222226.tif 000026
【図２５】
2016222226.tif 000027
【図２６】
2016222226.tif 000028
【図２７】
2016222226.tif 000029
【図２８】
2016222226.tif 000030
【図２９】
2016222226.tif 000031
【図３０】
2016222226.tif 000032
【図３１】
2016222226.tif 000033
【図３２】
2016222226.tif 000034
【図３３】
2016222226.tif 000035
【図３４】
2016222226.tif 000036
【図３５】
2016222226.tif 000037
【図３６】
2016222226.tif 000038
【図３７】
2016222226.tif 000039
【図３８】
2016222226.tif 000040
【図３９】
2016222226.tif 000041
【図４０】
2016222226.tif 000042
【図４１】
2016222226.tif 000043
【図４２】
2016222226.tif 000044
【図４３】
2016222226.tif 000045
【図４４】
2016222226.tif 000046
【図４５】
2016222226.tif 000047
【図４６】
2016222226.tif 000048
【図４７】
2016222226.tif 000049
【図４８】
2016222226.tif 000050
【図４９】
2016222226.tif 000051
【図５０】
2016222226.tif 000052
【図５１】
2016222226.tif 000053
【図５２Ａ】
2016222226.tif 000054
【図５２Ｂ】
2016222226.tif 000055